(57)【要約】【課題】製造途中の遊技盤を積み重ねておくことを可能にできる遊技機を提供すること。【解決手段】遊技盤５３０は、平板状に形成される板部の前面に釘５３６が植設され、板部の外周縁から背面側に外周縁補強リブ５３１が立設される。外レール部３１の盤面への配置位置に対応して外周縁補強リブ５３１に外周縁レール受け５３１ｃ，５３１ｄが設けられ、遊技盤５３０の背面と他の遊技盤５３０の盤面５３０ａとが対向するように複数の遊技盤５３０を積み重ねた場合に、外レール部３１の側縁の一部に当接するように設定される。これにより、遊技盤５３０を積み重ねたときに、外レール部３１と外周縁レール受け５３１ｃ，５３１ｄとを鉛直方向に交互に密着させることができる。その結果、製造途中の遊技盤５３０を積み重ねることを可能にできる。【選択図】図３３
2020192438.tif 000002
【特許請求の範囲】
【請求項１】
遊技球が流下する遊技領域を形成する合成樹脂製の遊技盤と、その遊技盤の盤面に配置されると共に前記遊技球が存在可能な領域を区画する帯状のレール部材と、そのレール部材で区画された領域内に植設される釘とを備える遊技機において、
前記遊技盤は、平板状に形成されると共に前記釘が前面に植設される板部と、
その板部の外周縁から背面側に立設される外周縁補強リブと、
前記レール部材の前記盤面への配置位置に対応して前記板部の外周縁に設けられる外周縁レール受けとを備え、
その外周縁レール受けは、前記遊技盤の背面と他の遊技盤の盤面とが対向するように前記遊技盤と前記他の遊技盤とを積み重ねた場合に、前記他の遊技盤に配置されたレール部材の側縁の一部に当接するように設定されていることを特徴とする遊技機。
【請求項２】
前記外周縁レール受けは、前記遊技盤の厚さ方向における高さが、前記外周縁補強リブより小さい値に設定されていることを特徴とする請求項１記載の遊技機。
【請求項３】
前記外周縁レール受けは、前記外周縁補強リブと一体に形成されていることを特徴とする請求項１又は２に記載の遊技機。
【請求項４】
前記レール部材の前記盤面への配置位置に対応して前記遊技盤の背面に設けられるレール受けを備え、
そのレール受けは、前記遊技盤の背面と他の遊技盤の盤面とが対向するように前記遊技盤と前記他の遊技盤とを積み重ねた場合に、前記他の遊技盤に配置されたレール部材の側縁に当接するように設定されていることを特徴とする請求項１から３のいずれかに記載の遊技機。
【請求項５】
前記レール受けは、前記遊技盤の厚さ方向における高さが、前記外周縁レール受けと同一の値に設定されていることを特徴とする請求項４記載の遊技機。
【発明の詳細な説明】
【技術分野】
【０００１】
本発明は、パチンコ機等に代表される遊技機に関するものである。
【背景技術】
【０００２】
遊技球を使用して遊技を行う遊技機の代表例としてパチンコ機がある。パチンコ機は、前面に遊技領域が形成される遊技盤を有している。遊技領域には遊技球が入球可能な入球部が設けられており、その入球部への入球が発生した場合には、例えば遊技者に有利な特別遊技状態を発生させるか否かの抽選や遊技球の払出し等の特典が、遊技者に対して付与される。
【０００３】
この種の遊技機において、従来の遊技盤は、絵柄を印刷した合成樹脂製フィルムを木製合板（ベニヤ）の表面に貼り付けたものが一般的であった。近年、意匠性やリサイクル性の観点から、合成樹脂製の遊技盤が採用されつつある（例えば特許文献１）。
【０００４】
このようなパチンコ機では、パチンコ機本体に遊技盤を着脱可能に取り付け、機種変更等必要に応じ、パチンコ機本体に対して遊技盤を交換可能とするものが一般的である。そのため、一般に、遊技盤はパチンコ機本体とは別個の製造工程を通して生産される。合成樹脂製の遊技盤の製造工程では、まず、合成樹脂製の遊技盤用の板材に釘（障害釘）を植設する。その後、風車等の小型部品やレール部材（誘導レール）を板材に取り付けた後、大型の入賞装置や制御回路基板等の大型部品を組み付ける。大型部品の組み付けは、作業が煩雑化するので工程能力が低下する。その工程能力のアンバランスにより、製造途中の遊技盤が工程間で一時的に滞留することがある。そのような場合には、滞留した遊技盤を待機させるため、製造途中の遊技盤を一時的に積み重ねておくことがある。
【先行技術文献】
【特許文献】
【０００５】
【特許文献１】特開平１０−１１３４２８号公報（特に図５）
【発明の概要】
【発明が解決しようとする課題】
【０００６】
しかしながら上述したような遊技機では、製造途中の遊技盤を積み重ね難い等の問題が生じ得る。
【０００７】
本発明は、上記例示した問題点等を解決するためになされたものであり、製造途中の遊技盤を積み重ねることを可能にできる遊技機を提供することを目的としている。
【課題を解決するための手段】
【０００８】
この目的を達成するために請求項１記載の遊技機は、遊技球が流下する遊技領域を形成する合成樹脂製の遊技盤と、その遊技盤の盤面に配置されると共に前記遊技球が存在可能な領域を区画する帯状のレール部材と、そのレール部材で区画された領域内に植設される釘とを備えるものにおいて、前記遊技盤は、平板状に形成されると共に前記釘が前面に植設される板部と、その板部の外周縁から背面側に立設される外周縁補強リブと、前記レール部材の前記盤面への配置位置に対応して前記板部の外周縁に設けられる外周縁レール受けとを備え、その外周縁レール受けは、前記遊技盤の背面と他の遊技盤の盤面とが対向するように前記遊技盤と前記他の遊技盤とを積み重ねた場合に、前記他の遊技盤に配置されたレール部材の側縁の一部に当接するように設定されている。
【０００９】
請求項２記載の遊技機は、請求項１記載の遊技機において、前記外周縁レール受けは、前記遊技盤の厚さ方向における高さが、前記外周縁補強リブより小さい値に設定されている。
【００１０】
請求項３記載の遊技機は、請求項１又は２に記載の遊技機において、前記外周縁レール受けは、前記外周縁補強リブと一体に形成されている。
【００１１】
請求項４記載の遊技機は、請求項１から３のいずれかに記載の遊技機において、前記レール部材の前記盤面への配置位置に対応して前記遊技盤の背面に設けられるレール受けを備え、そのレール受けは、前記遊技盤の背面と他の遊技盤の盤面とが対向するように前記遊技盤と前記他の遊技盤とを積み重ねた場合に、前記他の遊技盤に配置されたレール部材の側縁に当接するように設定されている。
【００１２】
請求項５記載の遊技機は、請求項４記載の遊技機において、前記レール受けは、前記遊技盤の厚さ方向における高さが、前記外周縁レール受けと同一の値に設定されている。
【発明の効果】
【００１３】
本発明によれば、製造途中の遊技盤を積み重ねておくことを可能にできる効果がある。
【図面の簡単な説明】
【００１４】
【図１】第１実施の形態におけるパチンコ機の正面図である。
【図２】主要な構成を展開して示すパチンコ機の斜視図である。
【図３】主要な構成を展開して示すパチンコ機の斜視図である。
【図４】パチンコ機の背面図である。
【図５】遊技部品等を配置した遊技盤の正面図である。
【図６】遊技盤の正面図である。
【図７】遊技盤の背面図である。
【図８】図７のＶＩＩＩ−ＶＩＩＩ線における遊技盤の切断部端面図である。
【図９】図５のＩＸ−ＩＸ線における遊技盤の切断部端面図である。
【図１０】複数枚の遊技盤を積み重ねた状態を示す模式図である。
【図１１】案内部および案内部補強部材を固定した遊技盤の部分拡大正面図である。
【図１２】案内部および案内部補強部材を設置した遊技盤の部分拡大背面図である。
【図１３】案内部補強部材の斜視図である。
【図１４】図１１のＸＩＶ−ＸＩＶ線における遊技盤の断面図である。
【図１５】（ａ）は他の実施形態における案内部補強部材を設置した遊技盤の部分拡大背面図であり、（ｂ）は他の実施形態における案内部補強部材を設置した遊技盤の部分拡大背面図である。
【図１６】第２実施の形態におけるパチンコ機の主要な構成である遊技盤および構造物の正面図である。
【図１７】遊技盤および構造物の斜視図である。
【図１８】構造物および発光部の模式図である。
【図１９】他の実施形態における遊技盤および構造物の正面図である。
【図２０】構造物の内部構造を示す模式図である。
【図２１】遊技盤の正面図である。
【図２２】（ａ）は第３実施の形態におけるパチンコ機の模式平面図であり、（ｂ）は第４実施の形態におけるパチンコ機の模式平面図である。
【図２３】第５実施の形態におけるパチンコ機の模式平面図である。
【図２４】第６実施の形態におけるパチンコ機の主要な構成である遊技盤（遊技部品等を配置した）の正面図である。
【図２５】遊技盤の正面図である。
【図２６】遊技盤の背面図である。
【図２７】（ａ）は図２６のＸＸＶＩＩａで示す部分を拡大して示した遊技盤の部分拡大背面図であり、（ｂ）は図２６の矢印ＸＸＶＩＩｂ方向から見た遊技盤の部分拡大側面図である。
【図２８】（ａ）は図２６のＸＸＶＩＩＩａで示す部分を拡大して示した遊技盤の部分拡大背面図であり、（ｂ）は図２６の矢印ＸＸＶＩＩＩｂ方向から見た遊技盤の部分拡大側面図である。
【図２９】（ａ）は図２６のＸＸＩＸａで示す部分を拡大して示した遊技盤の部分拡大背面図であり、（ｂ）は図２６の矢印ＸＸＩＸｂ方向から見た遊技盤の部分拡大側面図である。
【図３０】（ａ）は図２６のＸＸＸａで示す部分を拡大して示した遊技盤の部分拡大背面図であり、（ｂ）は図２６の矢印ＸＸＸｂ方向から見た遊技盤の部分拡大側面図である。
【図３１】（ａ）は図２６のＸＸＸＩａで示す部分を拡大して示した遊技盤の部分拡大背面図であり、（ｂ）は図３１（ａ）のＸＸＸＩｂ−ＸＸＸＩｂ線における遊技盤の切断部端面図である。
【図３２】複数枚の遊技盤を積み重ねた状態を模式的に示す切断部端面図である。
【図３３】（ａ）複数枚の遊技盤を積み重ねた状態を模式的に示す切断部端面図であり、（ｂ）は他の実施形態における遊技盤を複数枚積み重ねた状態を模式的に示す切断部端面図である。
【図３４】（ａ）は他の実施形態における遊技盤を複数枚積み重ねた状態を模式的に示す切断部端面図であり、（ｂ）は他の実施形態における遊技盤を複数枚積み重ねた状態を模式的に示す切断部端面図である。
【図３５】（ａ）は案内部および案内部補強部材を固定した遊技盤の部分拡大正面図であり、（ｂ）は図３５（ａ）のＸＸＸＶｂ−ＸＸＸＶｂ線における案内部および案内部補強部材の切断部端面図である。
【図３６】（ａ）は案内部補強部材を固定する状態を示す遊技盤の部分拡大正面図であり、（ｂ）は案内部および案内部補強部材を固定する状態を示す遊技盤の部分拡大正面図である。
【発明を実施するための形態】
【００１５】
以下、遊技機の一種であるパチンコ遊技機（以下「パチンコ機」と称す）の実施の形態を、図面に基づいて詳細に説明する。図１は第１実施の形態におけるパチンコ機１の正面図である。
【００１６】
図１に示すようにパチンコ機１は、パチンコ機１の外殻を形成する外枠２を備えている。外枠２は、遊技ホールへの設置の際に、いわゆる島設備に取り付けられる。外枠２は、木製の板材を全体として矩形枠状に組み合わせた状態とされ、各板材を小ネジ等の離脱可能な締結部材により固定することによって構成されている。なお、外枠２を合成樹脂やアルミニウム等の金属によって構成してもよい。
【００１７】
外枠２の一側部には、本体枠３が開閉可能に支持されている。その開閉軸線はパチンコ機１の正面からみて左側に上下へ延びるように設定されており、その開閉軸線を軸心にして本体枠３が前方側に開放できるようになっている。なお、パチンコ機１には右側に遊技球発射ハンドル８の設置箇所が設けられているため、遊技球発射ハンドル８とは反対側の側部を中心に本体枠３を開閉可能としたということができる。
【００１８】
本体枠３は合成樹脂、具体的にはＡＢＳ樹脂により構成されている。ＡＢＳ樹脂を用いることにより、比較的低コストで耐衝撃性の高い本体枠３を得ることができる。本体枠３をアルミニウム等の金属によって構成してもよい。なお本実施の形態では、外枠２と本体枠３とにより遊技機本体が構成されている。外枠２に代わる構成として設置枠体を遊技ホール側に予め設けておき、遊技ホールへのパチンコ機１の設置に際しては本体枠３を設置枠体に組み付ける構成とすることも可能である。かかる構成では、本体枠３により遊技機本体が構成される。
【００１９】
本体枠３の前面側には、本体枠３を覆うようにして前面扉としての前扉枠４が設けられている。前扉枠４は、本体枠３に対して開閉可能に取り付けられており、本体枠３と同様、パチンコ機１の正面からみて左側に上下に延びる開閉軸線を軸心にして前方側に開放できる。なお、前扉枠４は本体枠３と同様、ＡＢＳ樹脂にて成形されている。
【００２０】
前扉枠４は下部位置に、幅方向ほぼ中央部において手前側へ膨出した上膨出部５と、上膨出部５の内側に設けられ下方にくぼんだ皿形状をなす球受皿としての上皿６とを備えている。上皿６の下方位置には手前側に膨出した下膨出部７を備え、下膨出部７の内側に設けられ下方にくぼんだ皿形状をなす球受皿としての下皿８と、下皿８の奥側の壁面を構成する奥壁パネル９とを備えている。
【００２１】
前面枠４は、下膨出部７よりも右方に手前側へ突出するようにして遊技球発射ハンドル１０が設けられている。上皿６は、後述する払出装置より払い出された遊技球を一旦貯留し、一列に整列させながら遊技球発射装置（後述する）側へ導くための球受皿である。上膨出部５の前面側には球抜きレバー（図示せず）が設けられており、この球抜きレバーを操作すると上皿６の最下流部付近に設けられた球抜き通路（図示略）が開放され、上皿６内の貯留球が下皿８に排出される。また、下膨出部７の前面側には球抜きレバー１１が設けられており、この球抜きレバー１１を操作すると下皿８の最下流部付近に設けられた球抜き通路（図示略）が開放され、下皿８内の貯留球が排出される。
【００２２】
前扉枠４の右下隅部には、外枠２に対する本体枠３の施錠および解錠、並びに本体枠１３に対する前扉枠４の施錠および解錠を行うための鍵部材としてのシリンダ錠１２が配置されている。シリンダ錠１２は施錠装置に一体化されており、施錠装置のうちシリンダ錠１２が本体枠３の前方に突出した状態で設けられ、前扉枠４の前面に露呈している。シリンダ錠１２は、本体枠３の施解錠と前扉枠４の施解錠とを共に賄う機能を有しており、鍵穴に差し込んだキーを一方向に回すと本体枠３の施錠が解かれ、逆にキーを反対方向に回すと前扉枠４の施錠が解かれるように構成されている。
【００２３】
前扉枠４には遊技領域ＰＥ（後述する）のほぼ全域を前方から視認することができるようにした視認窓としての窓部１３が形成されている。窓部１３は、円形に近い略楕円形状をなしている。窓部１３は、透明なガラス１４によって前扉枠４の背面側から塞がれている。なお、所定の透明性を有していれば、ガラス１４に代えて合成樹脂製板を採用することは当然可能である。
【００２４】
前扉枠４には、窓部１３の周囲に各種ランプ等の発光手段が設けられている。これら発光手段は、大当たり時や所定のリーチ時等における遊技状態の変化に応じて点灯、点滅のように発光態様が変更制御されることにより、遊技中の演出効果を高める役割を果たす。例えば、窓部１３の周縁に沿ってＬＥＤ等の発光手段を内蔵した環状電飾部１５が左右対称に設けられ、環状電飾部１５の中央であってパチンコ機１の最上部にはＬＥＤ等の発光手段を内蔵した中央電飾部１６が設けられている。パチンコ機１では、中央電飾部１６が大当たりランプとして機能し、大当たり状態時に点灯や点滅を行うことにより大当たり中であることを報知する。中央電飾部１６の左右側方には、賞球払出中に点灯する賞球ランプ１７が設けられている。また、前扉枠４の下方位置にも、同じくＬＥＤ等の発光手段を内蔵した下方電飾部１８が設けられている。
【００２５】
なお、環状電飾部１５は、内外二重の樹脂カバー層とその内側に収容された発射板付き発光体（ＬＥＤ）とを備え、樹脂カバー層の各々の内側面には各層で縦横に交差する向きに突条（又は波状の突起）が設けられている。外側の樹脂カバー層は透明であり、内側の樹脂カバー層は有色である。従って、環状電飾部１５を発光させれば、多数に分散化された状態、又は立体感を伴った状態の電飾が実現できる。
【００２６】
次に図２を参照してパチンコ機１の内部構成について説明する。図２は主要な構成を展開して示すパチンコ機１の斜視図である。なお、図２では便宜上、パチンコ機１の遊技領域ＰＥ内の図示を省略している。また、図２は前扉枠４からガラス１３を取り外した状態を図示している。
【００２７】
図２に示すように、本体枠３は、外形が外枠２とほぼ同一形状をなす樹脂ベース２０を主体に構成されており、樹脂ベース２０の中央部には遊技領域ＰＥを形成する遊技盤３０が着脱可能に装着されている。遊技盤３０は正面視して略四角形状の合成樹脂により形成され、その周縁部が樹脂ベース２０に当接した状態で取着されている。
【００２８】
遊技盤３０が装着される樹脂ベース２０の下方位置には、遊技球発射ハンドル１０の操作により遊技球を発射する遊技球発射装置２１と、遊技球発射装置２１より発射された直後に遊技球を案内するための発射レール２２とが取着されている。発射レール２２は、所定の発射角度（打ち出し角度）にて直線的に斜め上方へ向かって延びるよう構成されている。
【００２９】
遊技盤３０は、遊技球発射装置２１から発射された遊技球を遊技盤３０上部へ案内するためのレール部材としてのレールユニット（外レール部３１及び内レール部３２）が取り付けられている。外レール部３１及び内レール部３２と遊技盤３０との固定構造については後述する。遊技球発射ハンドル１０の回動操作に伴い発射された遊技球は、レールユニットを通じて遊技領域ＰＥに案内される。レールユニットは内外二重に設けられた外レール部３１及び内レール部３２を有している。外レール部３１及び内レール部３２は金属製（ステンレス製）の帯状体により構成されている。遊技球の摺動性を確保すると共に、レールユニットの耐久性を向上させるためである。
【００３０】
内レール部３２は遊技盤３０上方の約１／４ほどを除いて略円環状に形成され、外レール部３１は内レール部３２の上方開放領域を囲むように且つ内レール部３２の左側部と並行するように略半円環状に形成されている。外レール部３１及び外レール部３２により誘導レールが構成され、外レール部３１及び外レール部３２が所定間隔を隔てて対向する部分により球案内通路が形成されている。また、内レール部３２は遊技領域ＰＥを区画するための部材であり、内レール部３２の内側に遊技領域ＰＥが形成される。
【００３１】
外レール部３１及び外レール部３２が所定間隔を隔てて対向することにより形成される球案内通路と遊技領域ＰＥとの境界には、戻り球防止部材３３が遊技盤３０に取着されている。戻り球防止部材３３により、球案内通路から遊技領域ＰＥへと飛び出した遊技球が球案内通路内に戻ってしまう事態が防止される。従って、遊技球発射ハンドル１０の回動操作に伴い遊技球発射装置２１より発射された遊技球は、まずは発射レール２２に沿って斜め上方に打ち出され、その後、遊技盤３０に固定された外レール部３１及び内レール部３２により構成される球案内通路を通じて、遊技領域ＰＥに案内される。
【００３２】
発射レール２２と球案内通路（外レール３１）との間には所定の大きさの隙間があり、この隙間の下方にファール球通路２３が設けられている。従って、仮に遊技球発射装置２１から発射された遊技球が遊技領域ＰＥに至らずファール球として球案内通路内を逆戻りする場合には、そのファール球がファール球通路２３を介して下皿８に排出される。
【００３３】
本体枠３は、背面に裏パックユニット４０が配設されている。裏パックユニット４０は、横長の略直方体形状をなす保護カバー部４１と、その保護カバー部４１の最上部に配置される上方に開口したタンク４２とを備えて構成されている。保護カバー部４１は、可変表示ユニット（後述する）を背面から囲むのに十分な大きさを有しており、タンク４２は、遊技ホールの島設備から供給される遊技球が逐次補給される部位である。裏パックユニット４０は本体枠３に対して回動可能に片持ち支持されている。
【００３４】
次に図３及び図４を参照して、パチンコ機１の背面構成を説明する。図３は主要な構成を展開して示すパチンコ機１の斜視図であり、図４はパチンコ機１の背面図である。なお、図３は、本体枠３に対して保護カバー部４１及びタンク４２を回動して遊技盤３０の背面を開放した状態を示している。
【００３５】
図３に示すように遊技盤３０の背面には、遊技盤３０の略中央に配置される可変表示ユニット４３が固定されており、その背面側に積み重ねられた状態で表示制御手段としての表示制御装置４４が固定されている。遊技盤３０の背面に固定された表示制御装置４４の下方位置には、第１制御基板ユニット４５が装着されている。第１制御基板ユニット４５は、主制御装置（主基板）と音声ランプ制御装置（音声ランプ制御基板）とを備えるユニットである。
【００３６】
図４に示すように、第１制御基板ユニット４５の下方位置には第２制御基板ユニット４６が装着されている。第２制御基板ユニット４６は、払出制御装置（払出制御基板）、発射制御装置（発射制御基板）及び電源装置（電源基板）を備えるユニットである。
【００３７】
次に図５を参照して各種の遊技部品（盤面部品）等が配置された遊技盤３０について説明する。図５は遊技部品等を配置した遊技盤３０の正面図である。遊技盤３０は、射出成形によって一体成形される透光性を有する合成樹脂製の部材であり、前後方向に貫通する大小複数の開口部が射出成形時に形成される。各開口部にはスルーゲート３４、可変入賞装置３５、スルーチャッカー（始動口）３６、入賞口３７、一般入賞口３８、可変表示ユニット４３及びセンターフレーム４７等の盤面部品（遊技部品等）がそれぞれ設けられている。それらは、ドリル等により穿設された下穴（ネジ挿通孔）にネジ等を螺挿することにより遊技盤３０の表面に取り付けられている。
【００３８】
本実施の形態では、可変表示ユニット４３が遊技盤３０の略中央に配置され、その下方にスルーチャッカー（始動口）３６が配置され、さらにその下方に入賞口３７が配置されている。また、可変表示ユニット４３の右側にスルーゲート３４が配置され、遊技盤３０の下部両側に一般入賞口３８がそれぞれ複数配置されている。入賞口３７には、所定の条件下で作動状態（開放状態）となる電動役物が付随的に設けられている。
【００３９】
可変入賞装置３５、入賞口３７及び一般入賞口３８に遊技球が入ると、それが検出スイッチ（図示せず）により検出され、その検出結果に基づいて上皿６（場合によっては下皿８）に対し所定数の賞品球が払い出される。その他に、遊技盤３０の下部にはアウト口３９が設けられており、各種入賞口等に入らなかった遊技球はアウト口３９を通って図示しない球排出路の方へと案内される。アウト口３９は、成形金型の設計により遊技盤３０の成形時に厚さ方向に貫通形成される。
【００４０】
また、可変表示ユニット４３には、始動口３６への入賞をトリガとして図柄を変動表示する図柄表示装置４３ａが設けられている。この図柄表示装置４３ａは８インチサイズの比較的大型の液晶ディスプレイを備えた液晶表示装置として構成されており、表示制御装置により表示内容が制御される。図柄表示装置４３ａには、例えば左、中及び右に並べて図柄が表示され、これらの図柄が上下方向にスクロールされるようにして可変表示される。なお、図柄表示装置４３ａは、８インチ以外の１０インチ、７インチ等の液晶ディスプレイを備えたもの、ワイドサイズのディスプレイを備えたもの、又はＣＲＴ、ドットマトリックス、７セグメント等その他のタイプにより表示画面を構成したものであってもよい。この図柄表示装置４３ａを囲むようにしてセンターフレーム４７が配設されている。
【００４１】
センターフレーム４７は前後方向に貫通した枠体形状とされており、前面に各種の飾りが設けられている。センターフレーム４７は図柄表示装置４３ａを取り囲んで、可変表示ユニット４３が装着された開口部６１内に遊技球が進入するのを防ぐと共に、遊技盤３０の盤面からセンターフレーム４７内に進入した遊技球を再び盤面に導出する機能を有している。
【００４２】
また、遊技盤３０には、遊技球の落下方向を適宜分散、調整等するために多数の釘が植設されると共に、風車（図示せず）等の各種の盤面部品が配設されている。なお、釘や風車は、ドリル等により遊技盤３０に下穴（釘挿通孔）を穿設し、その下穴に打ち込むことにより遊技盤３０に取り付けられる。釘や風車が打ち込まれることによって遊技盤３０が割れるのを防止するためである。
【００４３】
外レール部３１の外側（内レール部３２と反対側）には、外レール部３１（遊技球の案内部）を補強するための案内部補強部材５０が固定されている。案内部補強部材５０の構成については後述する。遊技盤３０の周縁部近傍の対角位置の２箇所には突出ピン６０が立設されている。
【００４４】
また、遊技盤３０の表面には、透光性を有する合成樹脂製のフィルムが貼り付けられている。そのフィルムは、印刷により着色された複数の印刷部が形成されている。それら複数の印刷部は透光性に差が設けられており、透光性のない不透明部分も設けられている。これにより、遊技盤３０の背面側から遊技盤３０に向けて光を照射すれば、印刷部の透光性の差によって印刷部に明暗が生じるので、演出効果を高めることができる。
【００４５】
次に図６及び図７を参照して遊技盤３０について説明する。図６は遊技盤３０の正面図であり、図７は遊技盤３０の背面図である。なお、図６及び図７は、ネジ等が螺挿される下穴（ネジ挿通孔）や釘や風車が打ち込まれる下穴（釘挿通孔）が遊技盤３０に穿設される前の状態を示している。
【００４６】
図６に示すように、遊技盤３０には開口部６１〜６７、孔部６８，６９が厚さ方向に貫通形成されている。開口部６１は可変表示ユニット４３及びセンターフレーム４７が取着される貫通孔であり、開口部６２は突出ピン６０が取着される貫通孔である。開口部６３はスルーゲート３４が取着される貫通孔であり、開口部６４は可変入賞装置３５及び一般入賞口３８が取着される貫通孔である。開口部６５はスルーチャッカー（始動口）３６が取着される貫通孔であり、開口部６６は入賞口３７が取着される貫通孔であり、開口部６７は一般入賞口３８が取着される貫通孔である。
【００４７】
また、孔部６８は、外レール部３１及び内レール部３２（盤面部品の一部）にスポット溶接された嵌合ピン（後述する）が嵌挿される貫通孔であり、外レール部３１及び内レール部３２が配置される略円環状の曲線上に所定の間隔をあけて点在している。孔部６９は案内部補強部材５０が装着される貫通孔であり、遊技盤３０を正面視して左右の中心より左側の下方位置に貫通形成されている。なお、孔部６８，６９は内径（孔径）が小さいので、遊技盤３０の成形後にドリル等により穿設される。
【００４８】
図７に示すように遊技盤３０は、遊技盤３０の背面の略中央部に位置し背面視における外形が略円形状に形成される肉厚部７０と、その肉厚部７０の周囲に形成され背面視における外形が略円形状に形成される傾斜面部７１と、その傾斜面部７１の周囲に形成され背面視における外形が略矩形状に形成される肉薄部７２と、その肉薄部７２の周囲に立設される周縁部補強リブ７３とを備えて一体成形されている。
【００４９】
次に図８を参照して、遊技盤３０の断面形状について説明する。図８は図７のＶＩＩＩ−ＶＩＩＩ線における遊技盤３０の切断部端面図である。図８に示すように、遊技盤３０は盤面側（前面側、図８下側）が平坦面として形成されており、肉厚部７０は、背面側（図８上側）に形成され板厚が略一定に設定されている。傾斜面部７１は、肉厚部７０に連設され遊技盤３０の周縁に近づくにつれて（外周に向かうにつれて）板厚が次第に小さくなるように形成されている。肉薄部７２は、傾斜面部７１の周囲に連設され肉厚部７０の板厚よりも小さい板厚に設定されている。外周縁補強リブ７３は、肉薄部７２の剛性を向上させるための部位であり、肉薄部７２の周囲に連設され肉薄部７２の外周縁から背面側に突出している。なお、外周縁補強リブ７３の高さ（図８上下方向）は肉厚部７０の厚さより大きい値に設定されているので、遊技盤３０を本体枠３の樹脂ベース２０に装着するために外周縁補強リブ７３の背面側端部を樹脂ベース２０の前面に当接させるときに、肉厚部７０が樹脂ベース２０と干渉することを防止できる。
【００５０】
図７に戻って説明する。肉厚部７０は遊技盤３０の背面側の略中央部に位置し、肉厚部７０の前面側には遊技領域ＰＥが形成される。遊技領域ＰＥには遊技球と干渉する釘が植設されるので、遊技領域ＰＥが形成される遊技盤３０の略中央部に肉厚部７０を形成し板厚を確保することで、肉厚部７０に植設される釘の保持力を確保できる。
【００５１】
また、遊技盤３０は、肉厚部７０の板厚が外周縁補強リブ７３の高さより小さく設定されているので、外周縁補強リブ７３の高さを板厚とする一様な厚さの遊技盤と比較して軽量化できる。肉厚部７０の板厚を外周縁補強リブ７３の高さより小さく設定した分だけ、その肉厚部７０の背面側にスペースを設けることができるので、その背面側のスペースに装飾物等を配置することが可能となる。その背面側のスペースにＬＥＤ等の発光素子を配置することも可能となるため、演出効果を向上させることができる。
【００５２】
さらに、肉厚部７０と外周縁補強リブ７３との間に、肉厚部７０より板厚の小さい肉薄部７２が形成されているので、肉厚部７０の板厚と肉薄部７２の板厚との差分だけ合成樹脂量を減らすことができる。これにより遊技盤３０をさらに軽量化できる。また、肉薄部７２の板厚を外周縁補強リブ７３の高さより小さく設定した分だけ、肉薄部７２の背面側にスペースを設けることができるので、その背面側のスペースに装飾物等を配置することが可能となる。その背面側のスペースにＬＥＤ等の発光素子を配置することも可能となるため、演出効果を向上させることができる。
【００５３】
また、肉薄部７２の外周縁に外周縁補強リブ７３が起立されているので、肉薄部７２の剛性を向上できると共に、肉厚部７０及び肉薄部７２の反り等の変形を防止できる。これにより遊技盤３０の盤面の平坦性を確保できる。
【００５４】
肉厚部７０の外周に傾斜面部７１が形成されている。傾斜面部７１は、肉厚部７０から外側に向かうにつれ厚さが次第に小さくなるように設定され肉薄部７２に連成されている。これにより、遊技盤３０の成形時に、肉厚部７０と肉薄部７２との厚さの違いによる変形が生じることを抑制できる。即ち、遊技盤３０は成形金型のキャビティに合成樹脂を溶融充填して成形され、硬化後、成形金型から成形体が取り出される。成形体の冷却速度は、厚さの小さい肉薄部７２の方が厚さの大きい肉厚部７０より速いので、冷却速度の違いにより残留応力が生じ、遊技盤３０に反り等の変形が生じ易くなるが、肉薄部７２と肉厚部７０との間に連成される傾斜面部７１により、冷却速度の違いによる残留応力の発生を緩衝できる。その結果、遊技盤３０に反り等の変形を生じ難くできる。
【００５５】
肉厚部７０と傾斜面部７１との境界に形成される孔部６８は、内レール部３２にスポット溶接された嵌合ピン（後述する）が嵌挿される部位である。肉厚部７０と傾斜面部７１との境界より遊技盤３０の外周縁側に位置し、肉薄部７２や周縁部補強リブ７３に形成される孔部６８は、外レール部３１にスポット溶接された嵌合ピン（後述する）が嵌挿される部位である。孔部６８は、背面側に向かって孔部６８の周囲から起立する円筒状の突出部６８ａが連設されている。孔部６８は遊技盤３０を厚さ方向に貫通している。
【００５６】
孔部６８の周囲に突出部６８ａが形成されているので、孔部６８の周囲の板厚を大きくすることができる。その結果、孔部６８の内周に嵌合ピンが加える単位面積当たりの荷重を小さくできるので、孔部６８の周囲（特に肉薄部７２）に亀裂を生じ難くできる。また、突出部６８ａにより孔部６８の深さ（遊技盤３０の前後方向）を大きくできるので、嵌合ピンの保持力を大きくできる。これにより、外レール部３１や内レール部３２を遊技盤３０の盤面に強固に固定できる。
【００５７】
また、内レール部３２にスポット溶接された嵌合ピンが嵌挿される突出部６８ａ（孔部６８）は肉厚部７０と傾斜面部７１との境界に形成され、突出部６８ａの外周に肉厚部７０及び傾斜面部７１が連設される。肉厚部７０及び傾斜面部７１の板厚は肉薄部７２の板厚より大きいので、肉厚部７０及び傾斜面部７１に対する突出部６８ａの突出長を、肉薄部７２に対する突出部６８ａの突出長より小さくできる。その結果、肉厚部７０及び傾斜面部７１に対する突出部６８ａの曲げモーメントを、肉薄部７２に対する突出部６８ａの曲げモーメントより小さくできるので、肉厚部７０及び傾斜面部７１に突設された突出部６８ａの曲げ強さを、肉薄部７２に突設された突出部６８ａの曲げ強さより向上できる。
【００５８】
加えて、肉厚部７０と傾斜面部７１との境界に形成された突出部６８ａに形成された孔部６８に、内レール部３２にスポット溶接された嵌合ピンが嵌挿される。遊技領域ＰＥが形成される内レール部３２の内側に肉厚部７０を設けることにより、釘や風車等の保持力を確保できる。肉厚部７０と傾斜面部７１との境界に、内レール部３２にスポット溶接された嵌合ピンが嵌挿される突出部６８ａ（孔部６８）を設けることで、肉厚部７０の面積が過剰に増加することを防止できる。遊技領域ＰＥが形成される領域（内レール部３２内）の外側に肉厚部７０を拡大しないようにすることで、遊技盤３０を形成する合成樹脂量を削減し、遊技盤３０の質量が必要以上に大きくなることを防止できる。
【００５９】
アウト口３９は、遊技盤３０の下部位置の肉厚部７０と傾斜面部７１との境界に形成され、遊技盤３０の厚さ方向に貫通している。アウト口３９の周囲には補強リブ３９ａが背面側に向かって立設され、補強リブ３９ａは遊技盤３０と一体に形成されている。補強リブ３９ａは、遊技領域ＰＥからアウト口３９に進入した遊技球の通路を構成すると共に、アウト口３９の周囲を補強し剛性を向上させることができる。
【００６０】
孔部６９は、案内部補強部材５０の嵌合凸部５５（後述する）が嵌挿される部位であり、肉薄部７２に貫通形成されている。孔部６９の周囲に突出部６９ａが形成されているので、孔部６９の周囲の板厚を大きくすることができる。その結果、孔部６９の内周に嵌合凸部が加える単位面積当たりの荷重を小さくできるので、孔部６９の周囲（肉薄部７２）に亀裂を生じ難くできる。また、突出部６９ａにより孔部６９の深さ（遊技盤３０の前後方向）を大きくできるので、嵌合凸部５５の保持力を大きくできる。これにより、案内部補強部材５０を遊技盤３０の盤面に強固に固定できる。
【００６１】
外周縁補強リブ７３は、背面側（図７紙面手前側）の端面の一部を高さ方向に窪ませた（リブの高さを低くした）窪み部７３ａ，７３ｂ，７３ｃが形成されている。窪み部７３ａ，７３ｃは、外周縁補強リブ７３（左右のリブ）の対向位置に形成され、窪み部７３ｂは、窪み部７３ａ，７３ｃが形成された外周縁補強リブ７３（左右のリブ）と交わる外周縁補強リブ７３（下部のリブ）に形成されている。外周縁補強リブ７３の対向位置に窪み部７３ａ，７３ｃが形成されているので、成形された遊技盤３０を、上面に平坦面が形成された台の上に外周縁補強リブ７３を下に向けて（背面側を下に向けて）置いた場合には、その平坦面と遊技盤３０（外周縁補強リブ７３）との間に窪み部７３ａ，７３ｃの分だけ隙間ができる。その隙間に手の指先等を差し込み、差し込んだ指先等を手掛かりとして平坦面の上に置かれた遊技盤３０を持ち上げることができる。
【００６２】
これに対し、外周縁補強リブ７３の背面側の端面に窪み部７３ａ，７３ｂ，７３ｃが形成されていない場合には、上面に平坦面が形成された台の上に外周縁補強リブ７３を下に向けて（背面側を下に向けて）遊技盤３０を置くと、外周縁補強リブ７３の背面側の端面の全周が平坦面に密接する（隙間ができない）。その場合には外周縁補強リブ７３と平坦面（台）との間に手の指先等を差し込み難いので、遊技盤３０を持ち上げ難いという問題が生じる。本実施の形態によれば、外周縁補強リブ７３に窪み部７３ａ，７３ｂ，７３ｃを形成することで、この問題を解決できる。
【００６３】
開口部６２は、突出ピン６０が取着される貫通孔であり、遊技盤３０の対角位置の２箇所に形成されている。開口部６２の周囲には補強リブ６２ａが背面側に向かって立設されており、補強リブ６２ａは外周壁補強リブ６２ａに連成されている。
【００６４】
なお、補強リブ３９ａ，６２ａ、突出部６８ａ，６９ａの高さは周縁部補強リブ７３の高さと略同一に設定されている。これにより、上面に平坦面が形成された台の上に外周縁補強リブ７３を下に向けて（背面側を下に向けて）遊技盤３０が置かれた状態で、遊技盤３０の盤面（前面）に荷重が加えられたときには、補強リブ３９ａ，６２ａ、突出部６８ａ，６９ａ及び周縁部補強リブ７３で荷重を受けることができる。
【００６５】
これに対し、補強リブ３９ａ，６２ａ、突出部６８ａ，６９ａが形成されていない場合には、遊技盤３０が盤面に荷重を受けると、肉厚部７０及び肉薄部７２に曲げ変形が生じる。変形が大きくなると、周縁部補強リブ７３と肉薄部７２との境界近傍が割れてしまうことがある。本実施の形態によれば、補強リブ３９ａ，６２ａ、突出部６８ａ，６９ａの高さを周縁部補強リブ７３の高さと略同一に設定することにより、盤面に受ける荷重により肉厚部７０及び肉薄部７２に曲げ変形が生じることを抑制できるので、この問題を解決できる。
【００６６】
特に、外レール部３１及び内レール部３２を固定するための突出部６８ａは、略半円環状の線上に位置し遊技盤３０に広く点在しているので、遊技盤３０の盤面の特定箇所に集中荷重が負荷された場合にも、遊技盤３０の盤面に大きな曲げ変形が生じることを防止できる。これにより、遊技盤３０に釘を植設したり各種の遊技部品を取着したりするとき等に、遊技盤３０に負荷される荷重によって遊技盤３０が破損することを防止できる。
【００６７】
次に図９を参照して、開口部６２及び突出ピン６０について説明する。図９は図５のＩＸ−ＩＸ線における遊技盤３０の切断部端面図である。図９に示すように、突出ピン６０は、遊技盤３０とは別部材で構成される略円柱状の部材であり、外周面から径方向（図９左右方向）に張り出す鍔部６０ａと、鍔部６０ａから軸方向他方側に延出する嵌挿部６０ｂとが連設されている。嵌挿部６０ｂは開口部６２へ嵌挿される部位であり、鍔部６０ａは、開口部６２へ嵌挿される嵌挿部６０ｂの挿入深さを規制するための部位である。一方、遊技盤３０の盤面には、鍔部６０ａを受け入れる凹陥部６２ｂが形成されている。凹陥部６２ｂは、開口部６２の周囲に鍔部６０ａの厚さと略同一の深さで連設されている。なお、突出ピン６０の直径は、嵌挿部６０ｂの直径（開口部６２の内径）より少し小さめに形成されている。
【００６８】
補強リブ６２ａは、背面側（図９下側）の端面が、周縁部補強リブ７３の背面側（図９下側）の端面と略同一の高さ位置に設定されている。これにより、開口部６２の深さ（図９上下方向）を大きくすることができるので、嵌挿部６０ｂが開口部６２に嵌挿される挿入深さを大きくすることができる。これに対し、補強リブ６２ａが形成されていない場合には、開口部６２の深さは肉薄部７２の板厚と同じになる。その場合には、本実施の形態と比較して、嵌挿部６０ｂを開口部６２に保持する保持力が小さくなり、突出ピン６０がガタついたり抜け易くなったりする。本実施の形態のように補強リブ６２ａを設けることで、それを防止できる。
【００６９】
また、開口部６２に嵌挿部６０ｂを嵌挿した遊技盤３０は、鍔部６０ａがあるので、遊技盤３０の盤面から所定の長さだけ突出ピン６０が突出する。一方、補強リブ６２ａは、背面側（図９下側）に、突出ピン６０の盤面からの突出長より深い窪み（孔）が形成されるように設定される。突出ピン６０の直径は嵌挿部６０ｂの直径（開口部６２の内径）より少し小さめに形成されているので、複数枚の遊技盤３０を積み重ねた場合には、一の遊技盤３０の盤面から突出した突出ピン６０が、他の遊技盤３０の背面側から補強リブ６２ａ内の窪み（孔）に挿入される。その結果、平置きした状態で積み重ねられた遊技盤３０の盤面方向への位置ずれを防止できる。
【００７０】
なお、本実施の形態のように突出ピン６０を遊技盤３０とは別部材として構成することにより、遊技盤３０の成形後、開口部６２に突出ピン６０を嵌合するまでの間、遊技盤３０の盤面から突出ピン６０が突出しないようにできる。これにより、遊技盤３０の成形後、開口部６２に突出ピン６０を嵌合するまでの間、突出ピン６０が遊技盤３０の搬送の妨げになったり突出ピン６０が破損したりすることを防止できる。また、開口部６２に突出ピン６０を嵌合した後、パチンコ機１を組み立てる場合などに突出ピン６０が不要になれば、突出ピン６０を開口部６２から抜き取ることが可能である。これにより、パチンコ機１の組み立て等を円滑に行うことができる。
【００７１】
また、遊技盤３０の成形時に、突出ピン６０を遊技盤３０と一体に形成することも可能である。本実施の形態のように突出ピン６０を遊技盤３０に嵌合する（差し込む）場合には、突出ピン６０を別部材として準備し、突出ピン６０を遊技盤３０に差し込む作業が必要となる。これに対し、突出ピンを遊技盤と一体に形成することにより、突出ピン６０を別部材として準備することを不要にできるので、部品点数を削減できる。また、突出ピン６０を遊技盤３０に差し込む作業を不要にできる。
【００７２】
図１０は複数枚の遊技盤３０を積み重ねた状態を示す模式図である。遊技盤３０は、合成樹脂を成形金型に溶融充填して一体に成形され、平坦な盤面（前面）の背面側に外周縁補強リブ７３が立設される。合成樹脂製の遊技盤３０は、積み重ねて搬送する場合に、従来の木製合板製の遊技盤を積み重ねて搬送する場合と比較して、位置がずれて滑り落ち易いという問題が生じる。合成樹脂製の遊技盤３０は木製合板の遊技盤と比較して、盤面の表面平滑性が高く摩擦係数が小さいので滑り易いからである。
【００７３】
これに対し、本実施の形態によれば、一の遊技盤３０の突出ピン６０を、他の遊技盤３０の補強リブ６２ａ内の窪み（孔）に挿入することで、遊技盤３０を積み重ねて搬送し易くできる。また、外周縁補強リブ７３の端面に形成された窪み部７３ａが作る隙間に手の指先等を差し込み易いので、遊技盤３０を持ち上げ易くできる。また、窪み部７３ａ，７３ｃが外周縁補強リブ７３の対向位置に形成されているので、左右から手の指先等を窪み部７３ａ，７３ｃに差し込むことでバランス良く持ち上げることができる。さらに、窪み部７３ａ，７３ｃが形成された外周縁補強リブ７３（図７左右に位置する）と交差する外周縁補強リブ７３（図７下に位置する）に窪み部７３ｂが形成されているので、遊技盤３０の三方から遊技盤３０を支持することができ、遊技盤３０をバランス良く搬送できる。
【００７４】
次に図１１から図１４を参照して、案内部補強部材５０について説明する。図１１は案内部（外レール部３１）及び案内部補強部材５０を固定した遊技盤３０の部分拡大正面図であり、図１２はその部分拡大背面図であり、図１３は案内部補強部材５０の斜視図である。案内部補強部材５０は、遊技球発射装置２１から発射された遊技球が最初に衝突する外レール部３１が揺動することを防止するための部材である。案内部補強部材５０が外レール部３１に宛がわれることで、外レール部３１の揺動が防止される。その結果、遊技球の軌道や遊技球の遊技領域ＰＥへの飛距離を安定にすることができる。
【００７５】
まず図１１を参照して、外レール部３１について説明する。外レール部３１は金属製（ステンレス製）の帯状の薄板により形成されており、外レール部３１の長手方向の側縁に嵌合ピン３１ａが適宜の間隔をあけてスポット溶接されている。その嵌合ピン３１ａが遊技盤３０に形成された孔部６８に嵌挿されることにより、外レール部３１が遊技盤３０に立設される。
【００７６】
また、外レール部３１は、長手方向の端縁が屈曲されて略Ｕ字状に折り返された屈曲部３１ｂを備えている。屈曲部３１ｂは、外レール部３１の長手方向の端縁が揺動することを防止するための部位であり、遊技球発射装置２１から発射される遊技球が案内される外レール部３１の案内面３１ｃの反対面側（裏面側）に屈曲される。これにより、遊技球発射装置２１から発射された遊技球が外レール部３１の案内面３１ｃに衝突したときに、外レール部３１の縁端側が案内面３１ｃの反対面側（裏面側）に傾動することを防止できる。
【００７７】
案内部補強部材５０は、屈曲部３１ｂと案内部補強部材５０との間に嵌合ピン３１ａが配される位置に設けられる。即ち、案内部補強部材５０は嵌合ピン３１ａ間に配置される。適宜の間隔をあけて嵌合ピン３１ａは外レール部３１に固定されるので、外レール部３１は嵌合ピン３１ａ間で揺動し易い。しかし、嵌合ピン３１ａ間に案内部補強部材５０を配置することで、外レール部３１が嵌合ピン３１ａ間で揺動することを抑制できる。
【００７８】
次に案内部補強部材５０の詳細な構成を説明する。図１１及び図１３に示すように、案内部補強部材５０は合成樹脂製の部材であり、正面視して（遊技盤３０の盤面側から見て）略台形状に形成されると共に外レール部３１の案内面３１ｃの反対面側に位置する基体部５１と、その基体部５１に立設される反対面側突設部５２と、その反対面側突設部５２が立設される向きと反対向きに基体部５１から突設される嵌合凸部５５とを主に備えて構成されている。
【００７９】
基体部５１は、遊技盤３０の盤面に密着すると共に外レール部３１に沿って配置される板状の部位であり、反対面側突設部５２は、基体部５１に対して略垂直に立設されると共に基体部５１の縁部に壁状に設けられる部位である。反対面側突設部５２は外レール部３１に沿わせて設けられ、基体部５１は外レール部３１から離れる方向に後端側が延設されている。その結果、基体部５１及び反対面側突設部５２は、側面視して略Ｌ字状の形状に形成されている。
【００８０】
反対面側突設部５２は、頂部から基体部５１側（盤面側）へ向かって下降傾斜する傾斜部５２ａと、その傾斜部５２ａに連設されると共に外レール部３１に対面して少なくとも一部が接触する接触部５２ｂとを備えている。基体部５１及び反対面側突設部５２の一側縁に嵌合凸部５５が突設されている。また、基体部５１及び反対面側突設部５２の一側縁と対向する他側縁に、反対面側突設部５２に沿って棒状の柱状部５３が立設されている。柱状部５３は反対面側突設部５２の曲げ剛性を向上させるための部位であり、基体部５１及び反対面側突設部５２と一体に形成され、接触部５２ｂの裏面側に位置する。これにより、柱状部５３が形成されていないものと比較して、柱状部５３の軸線方向に対して反対面側突設部５２を曲げ変形し難くすることができる。
【００８１】
本実施の形態では、柱状部５３は、柱状部５３の軸線に沿って略中央に孔部（縦穴部５３ａ）が形成された円筒状に形成されている。柱状部５３を、縦穴部５３ａが形成された円筒状とすることにより、縦穴部５３ａが形成されていない中実状の柱状部（外径は同一とする）と比較して、ねじり剛性を向上しつつ柱状部５３を軽量化できる。その結果、柱状部を、縦穴部５３ａが形成されていない中実状とする場合と比較して、反対面側突設部５２のねじり剛性を向上（変形し難く）しつつ質量が過剰に増加することを防止できる。
【００８２】
柱状部５３は、略三角形状の補強部５４が外周縁の軸線方向に延設されている。補強部５４は柱状部５３を補強するための部材であり、頂部側から底部側に向かうにつれ断面積が次第に大きくなるように設定され、底部が、遊技盤３０の盤面に密着するように設定される。略三角形状の補強部５４が柱状部５３に延設されると共に、柱状部５３の底部が遊技盤３０の盤面に密着するように設定されるので、柱状部５３をさらに曲げ変形し難くできる。
【００８３】
基体部５１は、嵌合凸部５５が突設される一側縁の長さが、一側縁と対向する他側縁の長さより短く設定されている。基体部５１の他側縁が柱状部５３及び補強部５４の底部側に連設されることで、基体部５１の底面積が、基体部５１の一側縁から他側縁に向かうにつれ次第に大きくなるように設定されている。嵌合凸部５５から遠い位置にある基体部５１の底面積を、嵌合凸部５５に近い位置にある基体部５１の底面積より大きくすることで、嵌合凸部５５から遠い位置の底面積不足を防止できる。その結果、嵌合凸部５５から遠い位置の反対面側突設部５２の揺動を抑制できる。
【００８４】
なお、案内部補強部材５０は外レール部３１に沿って配設される基体部５１を備えているので、図１１に示すように、嵌合凸部５５の軸線の位置に対して基体部５１の位置を外レール部３１の端部（屈曲部３１ｂ）側にずらすことができる。その結果、遊技盤３０に外レール部３１を固定する嵌合ピン３１ａの位置と、反対面側突設部５２（接触部５２ｂ）との位置とを近づけることができる。外レール部３１を固定する嵌合ピン３１ａに接触部５２ｂを近づけることにより、嵌合ピン３１ａと接触部５２ｂとの間で外レール部３１を撓み難くできる。その結果、案内部補強部材５０により外レール部３１を効果的に補強できる。
【００８５】
嵌合凸部５５は、遊技盤３０に対して案内部補強部材５０を固定するため、遊技盤３０に形成された孔部６９に嵌合される部位であり、本実施の形態では、略円柱状に形成されている。嵌合凸部５５は、先端に丸みを帯びた縮径部５５ａが形成されている。縮径部５５ａは、軸線と直交する断面の面積が先端側に向かうにつれて次第に小さくなるように設定される部位である。縮径部５５ａが形成されているので、嵌合凸部５５を孔部６９に嵌挿し易くできる。また、嵌合凸部５５及び孔部６９が断面略円形状に形成されているので、嵌合凸部５５を孔部６９に対して回動可能にすることができ、案内部補強部材５０を孔部６９に挿入するときの細かな位置調整を省略できる。その結果、案内部補強部材５０の孔部６９への挿入作業の作業性を向上できる。
【００８６】
図１２を参照して、嵌合凸部５５について説明する。図１２は、案内部（外レール部３１）及び案内部補強部材５０を設置した遊技盤３０の部分拡大背面図である。なお、図１２では、遊技盤３０の盤面に配置される外レール部３１の位置を想像線（二点鎖線）により図示している。
【００８７】
図１２に示すように、嵌合凸部５５は、外周面の一部が窪み状に形成された凹部５６を備えている。凹部５６により嵌合凸部５５の外周面の一部が窪み状に形成されるので、孔部６９に嵌合凸部５５を嵌合するときには、嵌合凸部５５の外周面と孔部６９の内周面との接触面積を小さくできる。その結果、孔部６９に嵌合凸部５５を嵌合するときの孔部６９及び嵌合凸部５５の単位面積あたりの垂直効力を大きくできる。これにより、孔部６９に嵌合凸部５５を嵌合するときに孔部６９又は嵌合凸部５５を変形（弾性変形または塑性変形）させ易くすることができるので、嵌合凸部５５を孔部６９に嵌合し易くできる。
【００８８】
また、凹部５６は、嵌合凸部５５の軸方向に沿って形成されているので、上述した凹部５６の効果を、嵌合凸部５５の軸方向に沿って得ることができる。さらに、凹部５６は嵌合凸部５５の先端から基端に亘って形成されているので、凹部５６の効果を、嵌合凸部５５の先端から基端に亘って得ることができる。
【００８９】
本実施の形態では、凹部５６は、嵌合凸部５５の先端から基端に向けてすりわり状に形成されている。その結果、すりわりによる嵌合凸部５５の弾性変形を利用して、孔部６９に嵌合凸部５５を嵌合させることができる。これにより、嵌合凸部５５を孔部６９に嵌合し易くできる。さらに、嵌合凸部５５の弾性変形を利用することで孔部６９と嵌合凸部５５とに隙間が生じることを防止できる。その結果、孔部６９に嵌合された嵌合凸部５５をガタつき難くできる。
【００９０】
さらに、本実施の形態では、嵌合凸部５５の軸方向（図１２紙面垂直方向）からみた凹部５６のすりわりの方向が、外レール部３１の長手方向と非平行に配置されている。これにより、帯状の外レール部３１の案内面３１ｃに沿って遊技領域ＰＥへ向けて進行する遊技球によって案内面３１ｃが反対面側（図１２下側）に押されたときに、嵌合凸部５５を弾性変形し難くできる。これにより、案内部補強部材５０を傾動させ難くできる。
【００９１】
即ち、嵌合凸部５５は、すりわりの方向と平行な荷重によって弾性変形し難く、すりわりの方向と直交する荷重によって弾性変形し易い。すりわりの方向と平行な荷重が嵌合凸部５５に負荷されると、スリット状の凹部５６の隙間を小さくするように嵌合凸部５５が変形するからである。そのため、嵌合凸部５５のすりわりの方向を外レール部３１の長手方向と平行となるように案内部補強部材５０を配置すれば、外レール部３１の案内面３１ｃが反対面側に押されたときには、嵌合凸部５５の弾性変形により外レール部３１が傾動し易い。これに対し、嵌合凸部５５のすりわりの方向を外レール部３１の長手方向と非平行となるように案内部補強部材５０を配置すれば、外レール部３１の案内面３１ｃが反対面側に押されたときに嵌合凸部５５を弾性変形し難くできる。これにより、案内部補強部材５０を傾動させ難くできる。
【００９２】
特に、外レール部３１の長手方向と凹部５６のすりわりの方向とを直交させることにより、すりわりの方向と平行な荷重によって嵌合凸部５５を最も弾性変形させ難くできる。これにより、外レール部３１の傾動につれて案内部補強部材５０が一緒に傾動してしまうことを抑制できる。その結果、遊技球の進行に伴って外レール部３１が傾動することを抑制することができ、外レール部３１に沿って進行する遊技球の軌道や飛距離を安定させることができる。
【００９３】
なお、外レール部３１の長手方向と凹部５６のすりわりの方向とを非直交とすることにより、すりわりの方向と平行な荷重によって嵌合凸部５５の弾性変形を利用することは可能である。特に、外レール部３１の長手方向と凹部５６のすりわりの方向とを平行とすることにより、嵌合凸部５５の弾性変形を最も積極的に利用することが可能となる。遊技球の進行による外レール部３１の傾動につれて、案内部補強部材５０（反対面側突設部５２）を一緒に傾動させて嵌合凸部５５を弾性変形させ、その嵌合凸部５５の復元力により、案内部補強部材５０（反対面側突設部５２）及び外レール部３１を元の位置に復元させることが可能である。嵌合凸部５５の弾性変形を利用することにより、繰り返し入力される荷重（遊技球による荷重）によって案内部補強部材５０が破損することを抑制できる。その結果、外レール部３１の傾動を案内部補強部材５０が規制できなくなることを抑制することができ、外レール部３１に沿って進行する遊技球の軌道や飛距離を安定させることができる。
【００９４】
また、嵌合凸部５５には、嵌合凸部５５の略中央に軸線（図１２紙面垂直方向）に沿って、凹部５６に連設された断面略円形状の凹欠部５６ａが形成されている。凹欠部５６ａが形成されているので、嵌合凸部５５の略中央（軸線付近）の断面積を小さくすることができる。これにより、軸線方向視における凹部５６の両側の嵌合凸部５５の断面形状を略扇状にすることができる。その結果、すりわりの方向と平行な荷重が嵌合凸部５５に負荷されるときに、凹欠部５６ａの断面積を小さくするように嵌合凸部５５を変形させることができる。これにより、凹欠部５６ａによる嵌合凸部５５の弾性変形を利用して、孔部６９に嵌合凸部５５を嵌合させることができる。これにより、嵌合凸部５５を孔部６９に嵌合し易くできる。
【００９５】
なお、凹欠部５６ａによる嵌合凸部５５の弾性変形量は、凹部５６による嵌合凸部５５の弾性変形量より小さいので、すりわりの方向（図１２略上下方向）における嵌合凸部５５の弾性変形量と、すりわりと直交する方向（図１２略左右方向）における嵌合凸部５５の弾性変形量とを異ならせることができる。具体的には、すりわりの方向（図１２略上下方向）における嵌合凸部５５の弾性変形量を、すりわりと直交する方向（図１２略左右方向）における嵌合凸部５５の弾性変形量より小さくできる。従って、凹欠部５６ａが形成された場合に案内部補強部材５０を傾動させ難くする効果が損なわれることを防止できる。
【００９６】
なお、外レール部３１に固定された嵌合ピン３１ａが孔部６８に嵌挿される突出部６８ａの端面には、孔部６８（内周面）から外周面に亘って端面の一部が窪んだ端面溝部６８ｂが形成されている。端面溝部６８ｂは、遊技盤３０の盤面に配置される外レール部３１の長手方向に沿う向きに形成されている。突出部６８ａの端面に端面溝部６８ｂが形成されているので、外レール部３１を遊技盤３０に配置するときに外レール部３１を配置する向きを間違え難くできる。
【００９７】
図１１に戻って説明する。図１１に示すように案内部補強部材５０は、反対面側突設部５２と対峙して外レール部３１の案内面３１ｃ側に配設されると共に案内面３１ｃに接触する案内面側突設部５７を備えている。図１１及び図１３に示すように、案内面側突設部５７は、嵌合凸部５５の基端側（図１１紙面手前側）の軸方向の一部に突設されている。案内面側突設部５７と反対面側突設部５２との間には、外レール部３１が挿入される溝部５８が形成されている。
【００９８】
次に図１４を参照して、案内面側突設部５７及び溝部５８について説明する。図１４は図１１のＸＩＶ−ＸＩＶ線における遊技盤３０の断面図である。図１４に示すように案内面側突設部５７は、外レール部３１の厚さと略等しい間隔をあけて反対面側突設部５２と対峙して配設されている。反対面側突設部５２は外レール部３１の高さと略同一の高さに設定されているが、案内面側突設部５７は、反対面側突設部５２の高さより低く設定されている。具体的には、外レール部３１に沿って移動する遊技球Ｂを干渉しないような高さに設定されている。
【００９９】
案内部補強部材５０は案内面側突設部５７を備えているので、反対面側突設部５２及び案内面側突設部５７の間の溝部５８に外レール部３１が保持される。案内部補強部材５０の反対面側突設部５２及び案内面側突設部５７により外レール部３１が両側から保持されるので、外レール部３１の傾動を確実に防止できる。
【０１００】
また、外レール部３１の案内面３１ｃ側に配設される案内面側突設部５７は、反対面側突設部５２の高さより低く設定されているので、案内面３１ｃに沿う遊技球Ｂの進行を案内面側突設部５７が妨害しないようにできる。案内面側突設部５７に遊技球Ｂが干渉すると、遊技球Ｂの運動エネルギーの損失が生じ遊技領域ＰＥへ案内される遊技球Ｂの飛距離が不安定になるが、これを防止できるので、遊技領域ＰＥへ案内される遊技球Ｂの飛距離が不安定になることを防止できる。
【０１０１】
なお、図１４に示すように凹部５６は、中実状の嵌合凸部５５の基端（基端部５５ｂ）を残して嵌合凸部５５の先端（図１４下側）からすりわり状に形成されている。これにより、中実状の嵌合凸部５５の基端部５５ｂを孔部６９（盤面側）に嵌合させることができる。中実状の嵌合凸部５５の基端部５５ｂを孔部６９（盤面側）に嵌合させることで、孔部６９に対して嵌合凸部５５のガタつきが生じることを防止できる。さらに、嵌合凸部５５の先端側に凹部５６が形成されているので、嵌合凸部５５又は孔部６９の弾性変形または塑性変形させ易くすることができ、嵌合凸部５５を孔部６９に嵌合し易くできる。
【０１０２】
なお、嵌合凸部５５（基端部５５ｂ）の外周面と孔部６９との隙間は、反対面側突設部５２及び案内面側突設部５７の間の溝部５８に保持される外レール部３１と反対面側突設部５２又は案内面側突設部５７との隙間より小さな値に設定されている。孔部６９に嵌挿された嵌合凸部５５（基端部５５ｂ）のガタつきを防止する一方、外レール部３１を遊技盤３０に固定するときに、反対面側突設部５２及び案内面側突設部５７の間の溝部５８への外レール部３１の挿入を容易にするためである。なお、反対面側突設部５２又は案内面側突設部５７と外レール部３１とに隙間が形成されても、外レール部３１は嵌合ピン３１ａによって遊技盤３０に固定されるので、遊技盤３０に対する外レール部３１のガタつきは防止できる。
【０１０３】
以上のように外レール部３１の傾動を規制する案内部補強部材５０は、遊技盤３０の盤面に窪み状に形成された孔部６９に嵌合する嵌合凸部５５と、その嵌合凸部５５に突設されると共に外レール部３１の案内面３１ｃの反対面側に接触する反対面側突設部５２とを備えている。案内部補強部材５０は、遊技盤３０の盤面に窪み状に形成された孔部６９に嵌合凸部５５が嵌合し、その嵌合凸部５５に突設される反対面側突設部５２が外レール部３１の案内面３１ｃの反対面側に接触する。これにより、案内面３１ｃに沿って遊技領域ＰＥへ向けて進行する遊技球によって、案内面３１ｃが反対面側に押されて帯状の外レール部３１が外側に傾動することを抑制できる。遊技球を遊技領域ＰＥに案内する外レール部３１の傾動を抑制できるので、遊技領域ＰＥへ案内される遊技球の軌道や飛距離を安定させることができる。
【０１０４】
即ち、案内面３１ｃに沿って遊技領域ＰＥへ向けて進行する遊技球によって案内面３１ｃが反対面側に押されて帯状の外レール部３１が傾動すると、遊技球の軌道が変化したり遊技球の運動エネルギーの損失が生じたりする。その結果、遊技領域ＰＥへ案内される遊技球の軌道や飛距離が不安定になることがある。
【０１０５】
これに対し、本実施の形態によれば、外レール部３１の案内面３１ｃの反対面側に反対面側突設部５２が接触するように案内部補強部材５０を配置することで、案内面３１ｃに沿って遊技領域ＰＥへ向けて進行する遊技球によって外レール部３１が傾動することを抑制できる。これにより、遊技領域ＰＥへ案内される遊技球の軌道や飛距離を安定させることができる。
【０１０６】
また、嵌合凸部５５は、外周面の一部が窪み状に形成された凹部５６を備えているので、孔部６９に嵌合凸部５５を嵌合するときの嵌合凸部５５の外周面と孔部６９の内周面との接触面積を小さくできる。その結果、孔部６９に嵌合凸部５５を嵌合するときの孔部６９及び嵌合凸部５５の単位面積あたりの垂直効力を大きくできる。これにより、孔部６９に嵌合凸部５５を嵌合するときに孔部６９又は嵌合凸部５５を変形（弾性変形または塑性変形）させ易くすることができるので、嵌合凸部５５を孔部６９に嵌合し易くできる。
【０１０７】
また、凹部５６は、嵌合凸部５５の先端から基端（基端部５５ｂ）に向けてすりわり状に形成されているので、すりわりによる嵌合凸部５５の弾性変形を利用して、孔部６９に嵌合凸部５５を嵌合させることができる。その結果、嵌合凸部５５を孔部６９に嵌合し易くできると共に、嵌合凸部５５の弾性変形を利用することで孔部６９と嵌合凸部５５とに隙間が生じることを防止できるので、孔部６９に嵌合された嵌合凸部５５をガタつき難くできる。
【０１０８】
また、嵌合凸部５５の軸方向からみた凹部５６のすりわりの方向が、外レール部３１の長手方向と非平行に配置されているので、帯状の外レール部３１の案内面３１ｃに沿って遊技領域ＰＥへ向けて進行する遊技球によって案内面３１ｃが反対面側に押されたときに、嵌合凸部５５を弾性変形し難くできる。これにより、外レール部３１が傾動することを抑制できる。その結果、遊技領域ＰＥへ案内される遊技球の軌道や飛距離をさらに安定させることができる。
【０１０９】
また、案内部補強部材５０は、反対面側突設部５２と対峙する案内面側突設部５７を備えているので、案内面３１ｃ及び反対面の両方から外レール部３１が保持される。これにより、外レール部３１の傾動を確実に防止できる。その結果、遊技領域ＰＥへ案内される遊技球の軌道や飛距離をさらに安定させることができる。さらに、案内面側突設部５７は、対峙する反対面側突設部５２の高さより低く設定されているので、案内面３１ｃに沿う遊技球と案内面側突設部５７との干渉を防止できる。
【０１１０】
また、反対面側突設部５２は、頂部から嵌合凸部５５の軸方向外側へ向かって下降傾斜する傾斜部５２ａと、その傾斜部５２ａに連設されると共に外レール部３１の反対面と対面しつつ反対面の少なくとも一部が接触する接触部５２ｂとを備えているので、案内部補強部材５０及び外レール部３１を遊技盤３０の盤面に配置する作業を容易化できる。
【０１１１】
即ち、案内部補強部材５０及び外レール部３１を遊技盤３０の盤面に配置する場合には、まず、案内部補強部材５０の嵌合凸部５５の長さの半分程度を、遊技盤３０の孔部６９に挿入する。嵌合凸部５５にはすりわり状に凹部５６が形成されているので、遊技盤３０の孔部６９に挿入するときには、すりわり状の凹部５６の間隔を狭めるように嵌合凸部５５が変形する。よって、遊技盤３０の孔部６９に、嵌合凸部５５の長さの半分程度を挿入する作業を容易にできる。
【０１１２】
次いで、案内部補強部材５０の接触部５２ｂに外レール部３１が対面するように、反対面側突設部５２の傾斜部５２ａに沿わせて外レール部３１を配置する。傾斜部５２ａは頂部から嵌合凸部５５の軸方向外側へ向かって下降傾斜しており、接触部５２ｂは傾斜部５２ａに連設されているので、傾斜部５２ａに沿って、外レール部３１をスムーズに接触部５２ｂへ配置させることができる。
【０１１３】
なお、遊技盤３０の盤面と直交方向に外レール部３１を移動させて外レール部３１を遊技盤３０に近づけるときは、外レール部３１の側縁が傾斜部５２ａに当接すれば、外レール部３１が遊技盤３０に近づくにつれて傾斜部５２ａが盤面に対して水平方向に押され、案内部補強部材５０は嵌合凸部５５を中心として回動する。外レール部３１が傾斜部５２ａから離脱して接触部５２ｂと対面すると、案内部補強部材５０を回動させる力は生じないので、案内部補強部材５０の位置が決まる。
【０１１４】
さらに、接触部５２ｂと案内面側突設部５７との間の溝部５８に外レール部３１を収装させつつ、外レール部３１に固着された嵌合ピン３１ａを孔部６８に嵌挿していく。嵌合ピン３１ａが孔部６８に差し込まれるにつれ、外レール部３１の側縁に嵌合凸部５５の基端側端面が押されて、嵌合凸部５５は次第に孔部６９に嵌入される。これにより、外レール部３１を遊技盤３０の盤面へ配置する配置作業の作業性を向上できる。
【０１１５】
なお、嵌合凸部５５の基端部５５ｂは中実状に形成されているので、基端部５５ｂは孔部６９に嵌め込まれる。これにより、嵌合凸部５５が孔部６９内でガタつくことを防止できる。
【０１１６】
また、遊技盤３０の肉薄部７２に突出部６９ａが背面側に向かって突出され、その突出部６９ａ及び肉薄部７２に孔部６９が貫通形成されているので、孔部６９に嵌合される嵌合凸部５５の嵌合深さを確保できる。孔部６９に嵌合される嵌合凸部５５の嵌合深さが大きくなるにつれ、孔部６９に嵌合された嵌合凸部５５が軸方向と直交する方向に揺動し難くなる傾向がみられるので、孔部６９に嵌合される嵌合凸部５５の嵌合深さを確保することで、遊技盤３０に固定された案内部補強部材５０を揺動し難くできる。遊技盤３０に固定された案内部補強部材５０を揺動し難くすることで、遊技球を遊技領域ＰＥに案内する外レール部３１の傾動を抑制できるので、遊技領域ＰＥへ案内される遊技球の軌道や飛距離をさらに安定させることができる。
【０１１７】
また、肉薄部７２に突出部６９ａを連成し、その突出部６９ａ及び肉薄部７２に孔部６９を貫通形成するので、孔部６９を形成するために肉厚部７０の面積を広げることを不要にできる。肉薄部７２に連成される突出部６９ａ（孔部６９を除く）の分だけ遊技盤３０の質量は増加するが、肉厚部７０の面積を広げる必要がないので、遊技盤３０の質量の増加を抑えることができる。さらに、孔部６９が貫通形成された突出部６９ａは孔部６９の周囲の肉薄部７２の剛性を高めるリブの機能を発揮するので、孔部６９の周囲の肉薄部７２の剛性を確保できる。従って、肉厚部７０に釘を植設して釘の保持力を確保すると共に、遊技盤３０の剛性を確保しつつ遊技盤３０を軽量化できる。加えて、遊技領域ＰＥへ案内される遊技球の軌道や飛距離をさらに安定させることができる。
【０１１８】
次に図１５を参照して、他の実施形態における案内部補強部材５０を説明する。なお、第１実施の形態と同一の部分については、同一の符号を付して以下の説明を省略する。図１５（ａ）は他の実施形態における案内部補強部材８０を設置した遊技盤３０の部分拡大背面図であり、図１５（ｂ）は他の実施形態における案内部補強部材９０を設置した遊技盤３０の部分拡大背面図である。なお、図１５（ａ）及び図１５（ｂ）では、遊技盤３０に形成された孔部６９に盤面（前面）側から案内部補強部材８０，９０の嵌合凸部８５，９５を嵌合し、遊技盤３０の背面側から見た状態を図示している。
【０１１９】
図１５（ａ）に示す案内部補強部材８０は、嵌合凸部８５の外周面の軸対称位置の２箇所に軸線方向（図１５（ａ）紙面垂直方向）に沿って外周面の一部が窪み状に形成された凹部８６を備えている。嵌合凸部８５は、外周面の一部が窪み状に形成された凹部８６を備えているので、孔部６９に嵌合凸部８５を嵌合するときの嵌合凸部８５の外周面と孔部６９の内周面との接触面積を小さくできる。その結果、孔部６９に嵌合凸部８５を嵌合するときの孔部６９及び嵌合凸部８５の単位面積あたりの垂直効力を大きくできる。これにより、孔部６９に嵌合凸部８５を嵌合するときに孔部６９又は嵌合凸部８５を変形（弾性変形または塑性変形）させ易くすることができるので、嵌合凸部８５を孔部６９に嵌合し易くできる。
【０１２０】
また、嵌合凸部８５の略中心に嵌合凸部８５の先端から嵌合凸部８５の軸線方向に沿って断面円形状の凹欠部８５ａが形成されている。凹欠部８５ａにより嵌合凸部８５の断面積を小さくすることで、嵌合凸部８５に作用する垂直効力によって嵌合凸部８５を弾性変形させ易くできる。これにより、嵌合凸部８５を孔部６９にさらに嵌合し易くできるので、嵌合凸部８５を孔部６９に嵌挿するときの作業性を向上できる。さらに、嵌合凸部８５を弾性変形させ易くすることにより、孔部６９に対する嵌合凸部８５のガタつきを防止できる。
【０１２１】
特に、凹部８６が、嵌合凸部８５の軸線方向に沿って２箇所が切り取られたような形状に形成されているので、嵌合凸部８５の外周面が過剰に小さくなることを防ぎ、孔部６９の内周面との接触面積を確保できる。嵌合凸部８５の外周面の単位面積当たりの垂直効力が過大になることを防止できるので、嵌合凸部８５の外周面が座屈する等の変形を抑制できる。これにより、嵌合凸部８５の外周面と孔部６９の内周面とに隙間が生じて、嵌合凸部８５にガタつきが生じる等の問題が生じることを抑制できる。
【０１２２】
図１５（ｂ）に示す案内部補強部材９０は、嵌合凸部９５の外周面の軸対称位置の４箇所に軸線方向（図１５（ｂ）紙面垂直方向）に沿って外周面の一部が窪み状に形成された凹部９６を備えている。嵌合凸部９５は、外周面の一部が窪み状に形成された凹部９６を備えているので、孔部６９に嵌合凸部９５を嵌合するときの嵌合凸部９５の外周面と孔部６９の内周面との接触面積を小さくできる。その結果、孔部６９に嵌合凸部９５を嵌合するときの孔部６９及び嵌合凸部９５の単位面積あたりの垂直効力を大きくできる。これにより、孔部６９に嵌合凸部９５を嵌合するときに孔部６９又は嵌合凸部９５を変形（弾性変形または塑性変形）させ易くすることができるので、嵌合凸部９５を孔部６９に嵌合し易くできる。
【０１２３】
また、嵌合凸部９５の略中心に嵌合凸部９５の先端から嵌合凸部９５の軸線方向に沿って断面円形状の凹欠部９５ａが形成されている。凹欠部９５ａにより嵌合凸部９５の断面積を小さくすることで、嵌合凸部９５に作用する垂直効力によって嵌合凸部９５を弾性変形させ易くできる。これにより、嵌合凸部９５を孔部６９にさらに嵌合し易くできるので、嵌合凸部９５を孔部６９に嵌挿するときの作業性を向上できる。さらに、嵌合凸部９５を弾性変形させ易くすることにより、孔部６９に対する嵌合凸部９５のガタつきを防止できる。
【０１２４】
次に図１６を参照して、第２実施の形態について説明する。第１実施の形態では、遊技盤３０の厚さ方向に貫通形成される開口部６１の外周縁が、遊技盤３０の外周縁の内側で連続する（遊技盤３０の外周縁が閉じている）場合について説明した。これに対し第２実施の形態では、開口部１６１が、遊技盤１３０の厚さ方向に貫通形成されると共に遊技盤１３０の外周縁の一部が開放される場合について説明する。なお、第１実施の形態と同一の部分については、同一の符号を付して以下の説明を省略する。図１６は、第２実施の形態におけるパチンコ機１の主要な構成である遊技盤１３０及び構造物１７０の正面図である。
【０１２５】
図１６に示すように遊技盤１３０は、遊技盤１３０の厚さ方向（図１６紙面垂直方向）に貫通形成されると共に遊技盤１３０の外周縁の一部が開放される開口部１６１と、その開口部１６１の周縁同士を連結する構造物１７０とを備えている。本実施の形態では、正面視して右側に位置する遊技盤１３０の外周縁の一部が開口部１６１により開放されている。開口部１６１が形成されることにより、遊技盤１３０は盤面が略Ｃ型に形成されている。
【０１２６】
構造物１７０は、遊技盤１３０の開口部１６１の周縁の一の所定部１６１ａと他の所定部１６１ｂとの間に連結されている。本実施の形態では、構造物１７０は、正面視して略矩形状に形成され、遊技盤１３０の外周縁に沿って開口部１６１の２箇所を連結している。なお、遊技盤１３０及び構造物１７０は、第１実施の形態で説明した遊技盤３０と同様に、透光性を有する合成樹脂により形成されている。また、外周縁の一部が構造物１７０で閉鎖された開口部１６１の内側には、第１実施の形態と同様に、図柄表示装置４３ａ（図５参照）が配置される。
【０１２７】
次に図１７を参照して、遊技盤１３０と構造物１７０との連結構造について説明する。図１７は遊技盤１３０及び構造物１７０の斜視図である。なお、図１７では、遊技盤１３０に対して構造物１７０を分離した状態を示している。図１７に示すように、構造物１７０は、略直方体の箱状に形成される本体部１７２と、その本体部１７２の前面側から上下（遊技盤３０の盤面と略平行方向）両側に張り出して鍔状に形成される係合部１７１とを主に備えて構成されている。
【０１２８】
本体部１７２には、複数の図柄を変動表示する図柄表示装置（図示せず）が内蔵され、本体部１７２の前面には液晶ディスプレイ等の図柄表示部１７３（飾り部）が配設されている。図柄表示部１７３は、液晶ディスプレイに制限されるものではなく、ＣＲＴ、ドットマトリックス、７セグメント等その他の表示画面を適宜選択することが可能である。
【０１２９】
係合部１７１には、構造物１７０を遊技盤１３０に固定するためのネジ等の軸状部材が螺挿される挿通孔１７４が貫通形成されている。
【０１３０】
遊技盤１３０は、開口部１６１の周縁の一部に、構造物１７０に設けられた係合部１７１を受け入れる連結部（被係合部）１３１が形成されている。連結部１３１は、構造物１７０に設けられる係合部１７１と係合して構造物１７０の位置決めをするための部位である。
【０１３１】
本実施の形態では、連結部１３１は、遊技盤１３０の盤面から一段低く設定された段差状の平坦面として設けられている。遊技盤１３０の盤面に対する連結部１３１の深さ（図１７左右方向）は、係合部１７１の厚さ（図１７左右方向）と略同一に設定されている。
【０１３２】
また、連結部１３１の背面側には光散乱部１３２が設けられている。光散乱部１３２は、遊技盤１３０の背面側に配置されるＬＥＤ等の発光部１８１（後述する）から遊技盤１３０に照射される光を散乱させるための部位である。光散乱部１３２は、縦向き若しくは横向きに設けられる突条、縦横に交差する向きに設けられる突条、又は波状の突起等により形成されている。
【０１３３】
なお、連結部１３１には、構造物１７０（係合部１７１）に形成された挿通孔１７４を軸方向に連ねてネジ等の軸状部材が螺挿される挿通孔１３３が貫通形成されている。挿通孔１３３，１７４に螺挿されるネジ等の軸状部材により連結部１３１と係合部１７１とが連結されることによって、遊技盤１３０に構造物１７０を連結させることができる。
【０１３４】
次に図１８を参照して光散乱部１３２について説明する。光散乱部１３２は連結部１３１の背面側に突条や突起状等の部位として形成されている。連結部１３１（遊技盤１３０）の背面側には支持体１８０が設置され、その支持体１８０の面方向に複数のＬＥＤ等の発光部１８１が点在されている。
【０１３５】
発光部１８１から照射された光（図１８では二点鎖線で示す）は、空気と光散乱部１３２との屈折率の違いにより、光散乱部１３２（被係合部１３１）に入るとき及び出るときに屈折する。従って、発光部１８１を発光させれば、光が多数に分散化された状態、又は立体感を伴った状態の電飾が実現できる。これにより、図柄表示部１７３（飾り部）による演出効果に加え、発光部１８１からの光による演出効果を向上できる。
【０１３６】
また、遊技盤１３０（連結部１３１）の背面側（裏面）に光散乱部１３２を設けることにより、遊技盤１３０の成形時に光散乱部１３２を遊技盤１３０と一体形成できる。その結果、光散乱部１３２を簡易に製造することができる。
【０１３７】
また、遊技盤１３０の盤面（表面）を突条や突起状に加工して光散乱部１３２を設ける場合には、光散乱部１３２の凹凸が遊技球の動きに干渉してしまうのに対し、遊技盤１３０の背面（裏面）に光散乱部１３２を設ける場合には、光散乱部１３２（凹凸）による遊技球の動きの干渉を考慮する必要がない。これにより遊技盤１３０の設計の自在性を確保することができる。
【０１３８】
また、遊技盤１３０（連結部１３１）の背面側（裏面）に光散乱部１３２を設ける場合には、光散乱部１３２の形状を比較的自由に設計することができる。遊技盤１３０の外周縁には、背面側に向かって起立する外周縁補強リブ７３（図１７参照）が設けられているので、外周縁補強リブ７３により遊技盤１３０の背面側（裏面側）に空間を確保できるからである。
【０１３９】
また、光散乱部１３２で光を散乱させることにより、挿通孔１３３，１７４に螺挿されるネジ等の軸状部材（図示せず）の影が、遊技盤１３０の盤面や構造物１７０の前面から視認されることを防止できる。光散乱部１３２で光を散乱させることにより、軸状部材（図示せず）の前方に光を回り込ませることができるからである。これにより、光散乱部１３２により散乱される光によって遊技盤１３０と構造物１７０との継ぎ目部分（連結部１３１及び係合部１７１）を視認し難くできると共に、遊技盤１３０と構造物１７０との継ぎ目部分の演出効果を向上できる。
【０１４０】
以上のように構成されたパチンコ機１によれば、遊技盤１３０の厚さ方向に貫通形成された開口部１６１は遊技盤１３０の外周縁の一部が開放され、開口部１６１の周縁の２箇所が構造物１７０により連結される。これにより、構造物１７０を、遊技盤１３０の厚さ方向の空間を使用した立体的なものにできる。構造物１７０は図柄表示部１７３（飾り部）を備えているので、遊技盤１３０の厚さ方向の空間を利用した立体的な演出を実施することができる。これにより、遊技の興趣を大いに高めることができる。
【０１４１】
ここで、表示装置や役物等の部品を遊技盤の盤面に取着する従来の構造では、奥行き方向の広がりが乏しいので、似かよった演出が採用され易く、遊技の興趣を高め難い。また、従来の木製の合板（ベニヤ）で作成される遊技盤では、木製合板の加工性や機械的強度を考慮すると、遊技盤の外周縁の一部を開放する開口部を設ける構造は採用し難い。
【０１４２】
これに対し、本実施の形態によれば、周縁部（周縁部補強リブ７３）の一部が開放する開口部１６１が形成された合成樹脂製の遊技盤１３０を使用することにより、遊技盤１３０の厚さ方向の空間を使用した立体的な構造物１７０を採用することができる。その結果、遊技盤１３０の厚さ方向の空間を利用した立体的な演出を実施することができる。これにより、遊技の興趣を大いに高めることができる。
【０１４３】
また、図柄を変動表示する表示部を有する図柄表示装置４３ａ（図５参照）を開口部１６１に備え、構造物１７０は、図柄表示装置４３ａの周辺に配置される構成とすることで、構造物１７０の図柄表示部１７３（飾り部）により、図柄表示装置４３ａの平面的な図柄演出のみならず、遊技盤１３０の厚さ方向の空間を利用した立体的な演出を実現することができる。さらに、構造物１７０が図柄表示部１７３（飾り部）を有する遊技部品としてユニット化されているので、構造物１７０の遊技盤１３０への装着や交換作業等を容易に行うことができる。
【０１４４】
次に図１９及び図２０を参照して、他の実施形態における遊技盤１３０及び構造物１９０について説明する。なお、第１実施の形態および第２実施の形態で説明した構成と同一の部分は、同一の符号を付して以下の説明を省略する。図１９は他の実施形態における遊技盤１３０及び構造物１９０の正面図であり、図２０は構造物１９０の内部構造を示す模式図である。
【０１４５】
図１９に示すように、構造物１９０は、遊技盤１３０に貫通形成された開口部１６１の周縁の２箇所を連結するための部材であり、本実施の形態では、遊技盤１３０の開放した外周縁（図１９右側の縁）に沿って配置されている。なお、遊技盤１３０の外周縁の一部が構造物１９０で閉鎖された開口部１６１の内側には、第１実施の形態と同様に、図柄表示装置４３ａ（図５参照）が配置される。構造物１９０は、正面視矩形状に形成された本体部１７１と、その本体部１７１の前面側（図１９紙面手前側）に配置されると共に本体部１７１に対して回転可能に構成される回転体１９２（可動演出部材）とを備えて構成されている。
【０１４６】
図２０に示すように、回転体１９２は中心に設けられる軸部１９３に支持されている。その軸部１９３は、回転体１９２の背面側（図２０右側）に延設されると共に、支持部材（図示せず）により本体部１９１に回転可能に支持される。軸部１９３はギヤ１９４に嵌挿され、回転体１９２及び軸部１９３はギヤ１９４と一体に回転可能に構成されている。ギヤ１９４はウォーム１９５と係合し、そのウォーム１９５はモータ１９６により回転可能に構成されている。従って、モータ１９６を回転するとウォーム１９５が回転し、そのウォーム１９５に係合するギヤ１９４が回転するので、軸部１９３及び回転体１９２が回転する。
【０１４７】
モータ１９６の回転が、スルーチャッカー（始動口）３６等への遊技球の入賞をトリガとして開始されるように設定すれば、図柄表示装置４３ａ及び回転体１９２（可動演出部材）による多彩な演出を実現することが可能となる。
【０１４８】
また、遊技盤１３０の厚さ方向の空間を利用して回転体１９２の駆動部（モータ１９６）が配置されるので、パチンコ機１という限られた空間において駆動部（モータ１９６）を配置するスペースを有効活用できる。その結果、遊技盤１３０に対面して遊技を行う遊技者に視認される回転体１９２（可動演出部材）の設計の自由度を向上でき、多彩な演出を実現することができる。
【０１４９】
また、構造物１９０には、遊技球が上下方向に通過する球通路１９７が設けられている。また、球通路１９７は、遊技盤１３０に設けられた球通路１６２（遊技球が通過する）に連通されている。球通路１９７により遊技球を構造物１９０に導くことができるので、遊技の興趣を向上させることができる。
【０１５０】
なお、球通路１９７は、遊技球の動きと干渉して遊技球の流下速度を低減させたり遊技球の流下方向を変更させたりする干渉部（クルーンやステージ等の役物、釘、風車、ワープルート等）を設けることが可能である。
【０１５１】
次に図２１から図２３を参照して、第３実施の形態から第５実施の形態について説明する。第２実施の形態では、遊技盤１３０の厚さ方向に開口部１６１が貫通形成されると共に遊技盤１３０の外周縁の一部が開放され、その開口部１６１に配置される構造物１７０，１９０が遊技盤１３０の開口部１６１に連結される場合について説明した。これに対し第３実施の形態から第５実施の形態では、開口部１６１以外の部位に、構造物２２０，２３０，２４０が設置される場合について説明する。なお、第１実施の形態および第２実施の形態と同一の部分については、同一の符号を付して以下の説明を省略する。
【０１５２】
まず、図２１を参照して、遊技盤２１０について説明する。図２１は遊技盤２１０の正面図である。図２１に示すように遊技盤２１０は、遊技盤２１０の厚さ方向（図２１紙面垂直方向）に貫通形成されると共に遊技盤２１０の外周縁の一部が開放される開口部２１１を備えている。本実施の形態では、正面視して右側および上側に位置する遊技盤１３０の外周縁の一部が開口部２１１により開放されている。遊技盤２１０は、正面視して開口部２１１の左側（遊技盤２１０の左側の領域）で遊技を行うものとして設定される。従って、正面視して右側および上側に位置する遊技盤１３０の外周縁の一部が開口部２１１により開放されていても、遊技には影響がない。なお、遊技盤２１０は、第３実施の形態から第５実施の形態に亘って用いられる。
【０１５３】
次に図２２（ａ）を参照して、第３実施の形態について説明する。図２２（ａ）は第３実施の形態におけるパチンコ機２０１の模式平面図である。なお、図２２（ａ）では、開口部２１１を識別し易くするため、遊技盤２１０及び構造物２２０にハッチングを施している。
【０１５４】
パチンコ機２０１は、本体枠３に遊技盤２１０が装着され、前扉枠４の背面側に構造物２２０が配設固定されている。構造物２２０は、外枠２及び本体枠３に対して前扉枠４を閉じた場合に、遊技盤２１０の開口部２１１内に挿入される。構造物２２０は、前面扉４から視認可能な位置に、可動式や固定式の飾り、表示装置等が配置されている。これにより、可動式や固定式の飾り、表示装置等を遊技盤２１０の盤面に配置する場合と比較して、構造物２２０の大きさ（上下左右の大きさや前後方向の奥行き）や配置の自由度を向上できる。これにより、遊技の演出の自由度を向上できる。その結果、遊技の興趣を大いに高めることができる。
【０１５５】
次に図２２（ｂ）を参照して、第４実施の形態について説明する。図２２（ｂ）は第４実施の形態におけるパチンコ機３０１の模式平面図である。なお、図２２（ｂ）では、開口部２１１を識別し易くするため、遊技盤２１０及び構造物２３０にハッチングを施している。
【０１５６】
パチンコ機３０１は、本体枠３に遊技盤２１０が装着され、その本体枠３に構造物２３０が配設固定されている。構造物２３０は、本体枠３に装着された遊技盤２１０の開口部２１１側（図２２（ｂ）右側）に配置されている。これにより、遊技盤２１０の開口部２１１内に構造物２３０が配置される。構造物２３０は、前面扉４から視認可能な位置に、可動式や固定式の飾り、表示装置等が配置されている。これにより、可動式や固定式の飾り、表示装置等を遊技盤２１０の盤面に配置する場合と比較して、構造物２３０の大きさ（上下左右の大きさや前後方向の奥行き）や配置の自由度を向上できる。また、構造物２３０は本体枠３に装着されるので、前扉枠４の構造を変更することなく、パチンコ機３０１を組み立てることができる。
【０１５７】
次に図２３を参照して、第５実施の形態について説明する。図２３は第５実施の形態におけるパチンコ機４０１の模式平面図である。なお、図２３では、開口部２１１を識別し易くするため、遊技盤２１０及び構造物２４０にハッチングを施している。
【０１５８】
パチンコ機４０１は、遊技盤２１０の背面に固定された構造物２４０が、遊技盤２１０の開口部２１１内に配置されている。本体枠３に遊技盤２１０が装着され、外枠２及び本体枠３に対して開閉扉４が開閉可能に支持される。構造物２４０は、前面扉４から視認可能な位置に、可動式や固定式の飾り、表示装置等が配置されている。これにより、可動式や固定式の飾り、表示装置等を遊技盤２１０の盤面に配置する場合と比較して、構造物２４０の大きさ（上下左右の大きさや前後方向の奥行き）や配置の自由度を向上できる。また、構造物２３０は遊技盤２１０に装着されるので、本体枠３及び前扉枠４の構造を変更することなく、パチンコ機４０１を組み立てることができる。
【０１５９】
次に図２４から図３６を参照して第６実施の形態について説明する。第１実施の形態では、釘（障害釘）やレール部材、各種の遊技部品等（盤面部品）が配置される前の遊技盤３０（合成樹脂製板）を積み重ねるときに最適なパチンコ機１の実施形態について説明した。これに対し第６実施の形態では、釘（障害釘）やレール部材等の盤面部品を配置した遊技盤５３０（合成樹脂製板）を積み重ねるときにも最適なパチンコ機の実施形態について説明する。なお、第１実施の形態で説明した部分と同一の部分については、同一の符号を付して以下の説明を省略する。
【０１６０】
図２４は第６実施の形態におけるパチンコ機の主要な構成である遊技盤５３０（遊技部品等を配置した）の正面図である。遊技盤５３０は、射出成形によって一体成形される透光性を有する合成樹脂製の部材（合成樹脂製板）であり、第１実施の形態で説明した遊技盤３０（図２参照）に代えて、本体枠３に取着される。遊技盤５３０の盤面に配置された外レール部３１の下端側（図２４下側）に、案内部補強部材５５０が配置されている。
【０１６１】
図２５は各種遊技部品等が配置される前の遊技盤５３０（合成樹脂製板）の正面図であり、図２６は各種遊技部品等が配置される前の遊技盤５３０の背面図である。
【０１６２】
図２６に示すように遊技盤５３０は、遊技盤５３０の背面の略中央部に位置し背面視における外形が略円形状に形成される肉厚部７０と、その肉厚部７０の周囲に形成され背面視における外形が略円形状に形成される傾斜面部７１と、その傾斜面部７１の周囲に形成され背面視における外形が略矩形状に形成される肉薄部７２と、その肉薄部７２の周囲に立設される周縁部補強リブ５３１とを備えて一体成形されている。
【０１６３】
なお、周縁部補強リブ５３１以外の遊技盤５３０の板状の部位（肉厚部７０、傾斜面部７１及び肉薄部７２）は「板部」と称す。この遊技盤５３０の板部には、前後方向に貫通する大小複数の開口部６１〜６６（図２５参照）が形成される。各開口部６１〜６６にはスルーゲート３４、可変入賞装置３５、スルーチャッカー（始動口）３６、入賞口３７、一般入賞口３８、可変表示ユニット４３及びセンターフレーム４７等の盤面部品（遊技部品等、図２４参照）がそれぞれ設けられる。
【０１６４】
外周縁補強リブ５３１は、肉薄部７２の剛性を向上させるための部位であり、肉薄部７２の周囲に連設され肉薄部７２の外周縁から背面側に突出している。遊技盤５３０の厚さ方向（図２６紙面垂直方向）における外周縁補強リブ５３１の高さは、後述する窪み部５３１ａ，５３１ｂ、レール受け５３１ｃ，５３１ｄ以外の部位が、肉薄部７２（板部の一部）の全周に亘って同一に設定されている。また、外周縁補強リブ５３１の高さ（図２６紙面垂直方向）は肉厚部７０の厚さより大きい値に設定されている。また、肉厚部７０の板厚は外周縁補強リブ５３１の高さより小さく設定され、肉厚部７０と外周縁補強リブ５３１との間に、肉厚部７０より板厚の小さい肉薄部７２が形成されている。
【０１６５】
外周縁補強リブ５３１には、背面側（図２６紙面手前側）の端面の一部を高さ方向に窪ませた（リブの高さを低くした）窪み部５３１ａ，５３１ｂ、外周縁レール受け５３１ｃ，５３１ｄが形成されている。窪み部５３１ａ及び外周縁レール受け５３１ｄは外周縁補強リブ５３１（左右のリブ）の対向位置に形成され、窪み部５３１ｂは、窪み部５３１ａ及び外周縁レール受け５３１ｄが形成された外周縁補強リブ５３１（左右のリブ）と交わる外周縁補強リブ５３１（下部のリブ）に形成されている。遊技盤５３０の厚さ方向（図２６紙面垂直方向）における窪み部５３１ａ，５３１ｂの高さ、外周縁レール受け５３１ｃ，５３１ｄの高さは、同一の値に設定されている。即ち、外周縁補強リブ５３１の端面に対する窪み部５３１ａ，５３１ｂ、外周縁レール受け５３１ｃ，５３１ｄの深さは同一の値に設定されている。
【０１６６】
外周縁補強リブ５３１の対向位置に窪み部５３１ａ及び外周縁レール受け５３１ｄが形成されているので、成形された遊技盤５３０を、上面に平坦面が形成された台の上に外周縁補強リブ５３１を下に向けて（背面側を下に向けて）置いた場合には、その平坦面と遊技盤５３０（外周縁補強リブ５３１）との間に窪み部５３１ａ及び外周縁レール受け５３１ｄの分だけ隙間ができる。その隙間に手の指先等を差し込み、差し込んだ指先等を手掛かりとして平坦面の上に置かれた遊技盤５３０を持ち上げることができる。
【０１６７】
外レール部３１及び内レール部３２を装着するための孔部６８の周囲に、レール受け（突出部）５３２，５３３が形成されている。レール受け５３２，５３３は、外レール部３１及び内レール部３２が装着された遊技盤５３０を複数枚積み重ねたときに、他の遊技盤５３０の外レール部３１及び内レール部３２の側縁を受けるための部位である。レール受け５３２，５３３は、略円柱状の形状をなし、遊技盤５３０の背面から遊技盤５３０の厚さ方向（図２６紙面垂直方向）に沿って背面側（図２６紙面手前側）に向かって突設されている。
【０１６８】
遊技盤５３０の上端側に位置するレール受け５３４は、遊技盤５３０の製造工程等において位置決め基準となる基準穴５３４ａ（図３０参照）の周囲に形成され、外周縁補強リブ５３１に連設されている。また、遊技盤５３０の下端側に形成されたアウト口３９の周囲には補強リブ５３５が背面側に向かって立設されている。
【０１６９】
次に図２７から図３１を参照して、遊技盤５３０の各部について説明する。図２７（ａ）は図２６のＸＸＶＩＩａで示す部分を拡大して示した遊技盤５３０の部分拡大背面図であり、図２７（ｂ）は図２６の矢印ＸＸＶＩＩｂ方向から見た遊技盤５３０の部分拡大側面図である。なお、図２７（ａ）では、遊技盤５３０の盤面（図２７（ａ）紙面奥側の面）に配置される外レール部３１を破線で図示している。
【０１７０】
図２７（ａ）及び図２７（ｂ）に示すように、レール受け５３２は、遊技盤５３０の背面に突設される略円柱状の部位であり、外レール部３１を装着するための孔部６８が、軸方向（図２７（ａ）紙面垂直方向）に沿って貫通形成されている。レール受け５３２の軸方向端面には、孔部６８を挟んで対峙すると共に軸方向外側（図２７（ａ）紙面手前側）に向かって延びる突部５３２ａ，５３２ｂが突設されている。
【０１７１】
突部５３２ａ，５３２ｂは互いに所定の間隔をあけて対向する受け面５３２ａ１，５３２ｂ１を有し、受け面５３２ａ１，５３２ｂ１の間隔は、外レール部３１の厚さより大きい値に設定されている。レール受け５３２の軸方向端面としての受け部５３２ｃが突部５３２ａ，５３２ｂ間に設けられる。受け部５３２ｃは、盤面５３０ａ側に配置された外レール部３１を盤面側５３０ａから遊技盤５３０の厚さ方向（図２７（ａ）紙面垂直方向）に投影したときに、遊技盤５３０の厚さ方向と直交する直交平面（図２７（ａ）紙面）に示される外レール部３１の投影線の一部と重なるように（突部５３２ａ，５３２ｂは投影線と干渉しないように）設けられている。
【０１７２】
外周縁レール受け５３１ｃは、遊技盤５３０の背面に突設される突条状の部位であり、本実施の形態では、外周縁補強リブ５３１の端面の一部を平坦状に窪ませることにより外周縁補強リブ５３１と一体に形成されている。外周縁レール受け５３１ｃを外周縁補強リブ５３１と一体に形成することにより、外周縁補強リブ５３１を肉薄部７２（板部）の全周に亘って設けることができる。その結果、外周縁補強リブ５３１を分断して、その分断した位置に外周縁レール受け５３１ｃを設ける場合と比較して、肉薄部７２（板部）の剛性（特にねじり剛性）を確保することができる。
【０１７３】
外周縁レール受け５３１ｃは、外周縁補強リブ５３１の端面から外周縁レール受け５３１ｃに向かって下降する傾斜部５３１ｃ１により外周縁補強リブ５３１と連成されている。外周縁レール受け５３１ｃが外周縁補強リブ５３１と傾斜部５３１ｃ１で連成されているので、傾斜部５３１ｃが形成されておらず角張っているものと比較して、物との接触による破損を防止することができる。
【０１７４】
外周縁レール受け５３１ｃは、盤面５３０ａ側に配置された外レール部３１を遊技盤５３０の厚さ方向（図２７（ａ）紙面垂直方向）に投影したときに、遊技盤５３０の厚さ方向と直交する直交平面（図２７（ａ）紙面）に示される投影線の一部と重なるように設けられている。
【０１７５】
図２７（ｂ）に示すように、盤面５３０ａから外周縁レール受け５３１ｃまでの距離（外周縁レール受け５３１ｃの高さ）は、盤面５３０ａから外周縁補強リブ５３１の端面までの距離（外周縁補強リブ５３１の高さ）より小さい値に設定されている。また、外周縁レール受け５３１ｃの高さは、盤面５３０ａからレール受け５３２の受け部５３２ｃまでの距離（受け部５３２ｃの高さ）と同一の値に設定されている。盤面５３０ａからレール受け５３２の突部５３２ａ，５３２ｂの端面までの距離（レール受け５３２の突部５３２ａ，５３２ｂの高さ）は、外周縁補強リブ５３１の高さと同一の値に設定されている。
【０１７６】
次に、図２８（ａ）は図２６のＸＸＶＩＩＩａで示す部分を拡大して示した遊技盤５３０の部分拡大背面図であり、図２８（ｂ）は図２６の矢印ＸＸＶＩＩＩｂ方向から見た遊技盤５３０の部分拡大側面図である。なお、図２８（ａ）では、遊技盤５３０の盤面（図２８（ａ）紙面奥側の面）に配置される外レール部３１及び内レール部３２を破線で図示している。
【０１７７】
図２８（ａ）及び図２８（ｂ）に示すように、レール受け５３２は、遊技盤５３０の傾斜面部７１に設けられており、内レール部３２を装着するための孔部６８が、軸方向（図２８（ａ）紙面垂直方向）に沿って貫通形成されている。レール受け５３２の軸方向端面に突設される突部５３２ａ，５３２ｂは、盤面５３０ａ側に配置された内レール部３２を盤面側５３０ａから遊技盤５３０の厚さ方向（図２８（ａ）紙面垂直方向）に投影したときに、遊技盤５３０の厚さ方向と直交する直交平面（図２８（ａ）紙面）に示される内レール部３２の投影線と干渉しない位置に設けられている。
【０１７８】
外周縁レール受け５３１ｄは、遊技盤５３０の背面に突設される突条状の部位であり、本実施の形態では、外周縁補強リブ５３１の端面の一部を平坦状に窪ませることにより外周縁補強リブ５３１と一体に形成されている。なお、外周縁レール受け５３１ｄは、外周縁補強リブ５３１の端面から外周縁レール受け５３１ｄに向かって下降する傾斜部５３１ｄ１により外周縁補強リブ５３１と連成されている。
【０１７９】
外周縁レール受け５３１ｄは、遊技盤５３０の内側に向かって膨出する膨出部５３１ｅが外周縁レール受け５３１ｄの高さ方向（図２８（ａ）紙面垂直方向）に亘って連成されている。膨出部５３１ｅが外周縁レール受け５３１ｄ（外周縁補強リブ５３１）に連成されることで、膨出部５３１ｅが連成された部分の外周縁レール受け５３１ｄ（外周縁補強リブ５３１）の幅（肉厚）を大きくすることができる。膨出部５３１ｅが連成された外周縁レール受け５３１ｄ（外周縁補強リブ５３１）の高さ方向に沿って孔部６８を形成することにより、外周縁レール受け５３１ｄの機械的強度を確保し、孔部６８が破壊の起点となることを防止できる。外レール部３１を装着する孔部６８が外周縁補強リブ５３１に形成されているので、遊技盤５３０の周縁近傍に外レール部３１を配置することができ、ひいては遊技領域を拡大できる。
【０１８０】
なお、外周縁レール受け５３１ｄは、盤面５３０ａ側に配置された外レール部３１を遊技盤５３０の厚さ方向（図２８（ａ）紙面垂直方向）に投影したときに、遊技盤５３０の厚さ方向と直交する直交平面（図２８（ａ）紙面）に示される外レール部３１の投影線の一部と重なるように設けられている。
【０１８１】
図２８（ｂ）に示すように、盤面５３０ａから外周縁レール受け５３１ｄまでの距離（外周縁レール受け５３１ｄの高さ）は、盤面５３０ａから外周縁補強リブ５３１の端面までの距離（外周縁補強リブ５３１の高さ）より小さい値に設定されている。また、外周縁レール受け５３１ｄの高さは、盤面５３０ａからレール受け５３２の受け部５３２ｃまでの距離（受け部５３２ｃの高さ）と同一の値に設定されている。盤面５３０ａからレール受け５３２の突部５３２ａ，５３２ｂの端面までの距離（レール受け５３２の突部５３２ａ，５３２ｂの高さ）は、外周縁補強リブ５３１の高さと同一の値に設定されている。
【０１８２】
次に、図２９（ａ）は図２６のＸＸＩＸａで示す部分を拡大して示した遊技盤５３０の部分拡大背面図であり、図２９（ｂ）は図２６の矢印ＸＸＩＸｂ方向から見た遊技盤５３０の部分拡大側面図である。なお、図２９（ａ）では、遊技盤５３０の盤面（図２９（ａ）紙面奥側の面）に配置される外レール部３１及び内レール部３２を破線で図示している。
【０１８３】
図２９（ａ）及び図２９（ｂ）に示すように、レール受け５３２は、遊技盤５３０の傾斜面部７１に設けられており、内レール部３２を装着するための孔部６８が、軸方向（図２９（ａ）紙面垂直方向）に沿って貫通形成されている。レール受け５３２の軸方向端面に突設される突部５３２ａ，５３２ｂは、盤面５３０ａ側に配置された内レール部３２を盤面側５３０ａから遊技盤５３０の厚さ方向（図２９（ａ）紙面垂直方向）に投影したときに、遊技盤５３０の厚さ方向と直交する直交平面（図２９（ａ）紙面）に示される内レール部３２の投影線と干渉しない位置に設けられている。
【０１８４】
レール受け５３３は、遊技盤５３０の肉薄部７２に設けられており、外レール部３１を装着するための孔部６８が、軸方向（図２９（ａ）紙面垂直方向）に沿って貫通形成されている。図２９（ｂ）に示すように、レール受け５３３は、軸方向端面に平坦面状の受け部５３３ａが形成されている。盤面５３０ａから受け部５３３ａまでの距離（レール受け５３３の高さ）は、盤面５３０ａから外周縁補強リブ５３１の端面までの距離（外周縁補強リブ５３１の高さ）より小さい値に設定されている。また、レール受け５３３の高さは、盤面５３０ａからレール受け５３２の受け部５３２ｃまでの距離（受け部５３２ｃの高さ）と同一の値に設定されている。
【０１８５】
なお、案内部補強部材５５０の嵌合凸部５５を保持する突出部６９ａの軸方向端面、及び、外レール部３１の嵌合ピン３１ａを保持する突出部６８ａの軸方向端面に形成された端面溝部６８ｂ（図１２参照）もレール受け（背面側当接部の一部）の受け部として機能する。それらの盤面５３０ａからの高さも、受け部５３２ｃの高さと同一の値に設定されている。
【０１８６】
次に、図３０（ａ）は図２６のＸＸＸａで示す部分を拡大して示した遊技盤５３０の部分拡大背面図であり、図３０（ｂ）は図２６の矢印ＸＸＸｂ方向から見た遊技盤５３０の部分拡大側面図である。なお、図３０（ａ）では、遊技盤５３０の盤面（図３０（ａ）紙面奥側の面）に配置される外レール部３１を破線で図示している。
【０１８７】
図３０（ａ）及び図３０（ｂ）に示すように、レール受け５３２は、遊技盤５３０の傾斜面部７１に設けられており、外レール部３１を装着するための孔部６８が、軸方向（図３０（ａ）紙面垂直方向）に沿って貫通形成されている。レール受け５３２の軸方向端面に突設される突部５３２ａ，５３２ｂは、盤面５３０ａ側に配置された外レール部３１を盤面側５３０ａから遊技盤５３０の厚さ方向（図２９（ａ）紙面垂直方向）に投影したときに、遊技盤５３０の厚さ方向と直交する直交平面（図２９（ａ）紙面）に示される外レール部３１の投影線と干渉しない位置に設けられている。
【０１８８】
レール受け５３４は、遊技盤５３０の製造工程等において位置決め基準となる基準穴５３４ａ（図３０参照）の近傍に形成され、外周縁補強リブ５３１に連成されている。レール受け５３４は、外レール部３１及び内レール部３２が装着された遊技盤５３０を複数枚積み重ねたときに、他の遊技盤５３０の外レール部３１の側縁を受けるための部位である。レール受け５３４は、半円柱状の形状をなし、遊技盤５３０の背面から遊技盤５３０の厚さ方向（図３０（ａ）紙面垂直方向）に沿って突設されている。
【０１８９】
レール受け５３４は、平面状の受け面５３４ｂが、遊技盤５３０の厚さ方向（図３０（ａ）紙面垂直方向）に沿って外周縁補強リブ５３１と略平行な面としてレール受け５３４の外周面に形成されている。受け面５３４ｂの下端には、受け部５３４ｃが遊技盤５３０の内側に向かって延設されている。受け部５３４ｃは、盤面５３０ａ側に配置された外レール部３１を盤面側５３０ａから遊技盤５３０の厚さ方向（図３０（ａ）紙面垂直方向）に投影したときに、遊技盤５３０の厚さ方向と直交する直交平面（図３０（ａ）紙面）に示される外レール部３１の投影線の一部と重なるように設けられている。
【０１９０】
図３０（ｂ）に示すように、盤面５３０ａからレール受け５３４の軸方向端面までの距離（レール受け５３４の高さ）は、盤面５３０ａから外周縁補強リブ５３１の端面までの距離（外周縁補強リブ５３１の高さ）と同一に設定されている。また、盤面５３０ａから受け部５３４ｃまでの距離（受け部５３４ｃの高さ）は、外周縁補強リブ５３１の高さより小さい値に設定されている。また、受け部５３４ｃの高さは、盤面５３０ａからレール受け５３２の受け部５３２ｃまでの距離（受け部５３２ｃの高さ）と同一の値に設定されている。受け部５３４ｃが遊技盤５３０の外周縁補強リブ５３１の上辺と連成されているので、遊技盤５３０を積み重ねたときに位置を規制する安定性に優れる。
【０１９１】
次に、図３１（ａ）は図２６のＸＸＸＩａで示す部分を拡大して示した遊技盤５３０の部分拡大背面図であり、図３１（ｂ）は図３１（ａ）のＸＸＸＩｂ−ＸＸＸＩｂ線における切断部端面図である。なお、図３１（ａ）では、遊技盤５３０の盤面（図３１（ａ）紙面奥側の面）に配置される内レール部３２を破線で図示している。
【０１９２】
図３１（ａ）に示すように、レール受け５３２は、遊技盤５３０の傾斜面部７１に設けられており、内レール部３２を装着するための孔部６８が、軸方向（図３１（ａ）紙面垂直方向）に沿って貫通形成されている。アウト口３９の周囲には遊技盤５３０の背面に円環状の補強リブ５３５が立設されており、孔部６８はアウト口３９の左右両側に形成されている。これにより、遊技領域ＰＥに設けられた入球部に入球できなかった遊技球が流入するアウト口３９の両側で、内レール部３２を遊技盤５３０に強固に固定できる。
【０１９３】
内レール部３２は、アウト口３９の位置で内レール部３２が遊技盤５３０の外周縁側に向かって折曲され湾出した湾出部３２ａを備えている。湾出部３２ａは、アウト口３９に遊技球を流入し易くするための部位であり、遊技領域ＰＥを流下して内レール部３２の下端に到達した遊技球を、湾出部３２ａによりアウト口３９に速やかに流入させることができる。
【０１９４】
補強リブ５３５は、アウト口３９の左右の位置に逃げ部５３５ａが設けられており、その逃げ部５３５ａの両側に壁部５３５ｂが立設されている。逃げ部５３５ａは、盤面５３０ａ側に配置された内レール部３２を盤面側５３０ａから遊技盤５３０の厚さ方向（図３１（ａ）紙面垂直方向）に投影したときに、遊技盤５３０の厚さ方向と直交する直交平面（図３１（ａ）紙面）に示される内レール部３２の投影線と交差する位置に設けられている。壁部５３５ｂによって規定される逃げ部５３５ａの幅（図３１（ａ）上下方向）は、受け部５３２ｃの幅より大きめに設定されている。
【０１９５】
図３１（ｂ）に示すように逃げ部５３５ａは、レール受け５３２の受け部５３２ｃより盤面５３０ａ側に設けられている。盤面５３０ａからレール受け５３２の軸方向端面までの距離（レール受け５３２の高さ）は、盤面５３０ａから補強リブ５３５の端面までの距離（補強リブ５３５の高さ）と同一に設定されている。また、盤面５３０ａから逃げ部５３５ａまでの距離（逃げ部５３５ａの高さ）は、盤面５３０ａから受け部５３２ｃまでの距離（受け部５３２ｃの高さ）と同一の値に設定されている。
【０１９６】
次に図３２及び図３３（ａ）を参照して、複数の遊技盤５３０を積み重ねたときの状態を説明する。図３２及び図３３（ａ）は複数枚の遊技盤５３０を積み重ねた状態を模式的に示す切断部端面図である。遊技盤５３０の製造工程では、まず、合成樹脂製の遊技盤用の板材に、嵌合ピン３１ａ，３２ａ等を取着するための孔部６８や釘（障害釘）５３６を嵌挿するための下穴（取付穴）が形成される。次いで、釘５３６を植設し、風車等の小型部品（図示せず）や外レール部３１及び内レール部３２を取着する。次に、大型の入賞装置や制御回路基板等の大型部品（図示せず）を組み付ける。大型部品の組み付けは、作業が煩雑化するので工程能力が低下する。その工程能力のアンバランスにより、製造途中の遊技盤５３０が工程間で一時的に滞留することがある。そのような場合には、釘５３６、外レール部３１及び内レール部３２が取着された製造途中の遊技盤５３０を一時的に積み重ね、次工程待ちの滞留した遊技盤５３０を待機させる。
【０１９７】
遊技盤５３０においては、外周縁補強リブ５３１の高さ、レール受け５３２，５３４の高さ及び補強リブ５３５の高さは盤面５３０ａに対して同一の値に設定されているので、遊技盤５３０の背面側を下に向けて待機場所の平坦面Ｇに平置きできる。また、外周縁補強リブ５３１は肉薄部７２の全周に突設されると共に、略円形状に形成された肉厚部７０の周りにレール受け５３２，５３４及び補強リブ５３５が分散されているので、外周縁補強リブ５３１、レール受け５３２，５３４及び補強リブ５３５に荷重を分散させて負担させることができる。
【０１９８】
平坦面Ｇに平置きされた遊技盤５３０の上に他の遊技盤５３０を積み重ねるときは、遊技盤５３０の盤面５３０ａに立設された外レール部３１及び内レール部３２の側縁に、他の遊技盤５３０のレール受け５３２，５３３，５３４の受け部５３２ｃ，５３３ａ，５３４ｃを当接させる。さらに、他の遊技盤５３０の外周縁レール受け５３１ｃ，５３１ｄ（図３３参照）に、外レール部３１及び内レール部３２の側縁を当接させる。帯状の外レール部３１及び内レール部３２は同一の幅に構成され、受け部５３２ｃ，５３３ａ，５３４ｃ、外周縁レール受け５３１ｃ，５３１ｄは盤面５３０ａに対して同一の高さに設定されているので、外レール部３１及び内レール部３２の側縁に、受け部５３２ｃ，５３３ａ，５３４ｃ、外周縁レール受け５３１ｃ，５３１ｄを介して遊技盤５３０を安定に載置できる。
【０１９９】
これを繰り返すことで、次々に遊技盤５３０を積み重ねることができる。その結果、積み重ねられた上方の遊技盤５３０の荷重を外レール部３１及び内レール部３２が受けるので、遊技盤５３０の盤面５３０ａに植設された釘５３６が遊技盤５３０の背面に非接触となる場合には、積み重ねられた下方の遊技盤５３０の釘５３６に加わる上方の遊技盤５３０の荷重をゼロにできる。また、遊技盤５３０の盤面５３０ａに植設された釘５３６が遊技盤５３０の背面に接触する場合でも、積み重ねられた下方の遊技盤５３０の釘５３６に加わる上方の遊技盤５３０の荷重を、レール受け５３２，５３３，５３４、外周縁レール受け５３１ｃ，５３１ｄ及び外レール部３１、内レール部３２に分散させて小さくできる。これにより、遊技盤５３０を積み重ねたときに、遊技盤５３０に植設された釘５３６が曲がる等の悪影響が生じることを防止できる。
【０２００】
なお、外レール部３１及び内レール部３２は、盤面５３０ａを正面視して円弧状に湾曲して遊技盤５３０の盤面５３０ａに配置されるので、遊技盤５３０の厚さ方向（図３２上下方向）の剛性を確保できる。よって、積み重ねられた上方の遊技盤５３０の荷重が外レール部３１及び内レール部３２に加わったときに、外レール部３１及び内レール部３２が折れ曲がる等の不具合が生じることを防止できる。従って、盤面５３０ａに植設された釘５３６、外レール部３１及び内レール部３２に悪影響を及ぼすことなく遊技盤５３０を積み重ねることを可能にできる。
【０２０１】
また、レール受け５３２，５３３，５３４（受け部５３２ｃ，５３３ａ，５３４ｃ）は、遊技盤５３０の背面と他の遊技盤５３０の盤面５３０ａとが対向するように複数の遊技盤５３０を積み重ねた場合に、盤面５３０ａに植設された釘５３６が遊技盤５３０の背面に非接触となるように遊技盤５３０の厚さ方向における高さが設定されている。その結果、積み重ねられた下方の遊技盤５３０の釘５３６に加わる上方の遊技盤５３０の荷重をゼロにできる。その結果、遊技盤５３０を積み重ねたときに、遊技盤５３０に植設された釘５３６が曲がる等の悪影響が生じることを確実に防止できる。
【０２０２】
また、遊技盤５３０の背面にレール受け５３２，５３３，５３４（受け部５３２ｃ，５３３ａ，５３４ｃ）（背面側当接部）が設けられているので、盤面５３０ａからの釘５３６の突出長を、外レール部３１及び内レール部３２の高さと同一ないしは大きくできる。その場合、遊技盤５３０を本体枠３（図２参照）に取着し前扉枠４を閉じてパチンコ機１を構成すると、前扉枠４に取着されたガラス１４の背面と釘５３６の先端（端部）との隙間を小さくできる。そのため、遊技中にガラス１４の背面と釘５３６の先端との間に遊技球が挟まってしまう不具合が生じることを抑制できる。
【０２０３】
また、レール受け５３２，５３４は、外レール部３１及び内レール部３２の長手方向の側面に沿う受け面５３２ａ１，５３２ｂ１，５３４ｂが、受け部５３２ｃ，５３４ｃから遊技盤５３０の厚さ方向に突設されている。これにより、積み重ねられた遊技盤５３０の位置が外レール部３１及び内レール部３２の長手方向と直交する方向にずれると、受け面５３２ａ１，５３２ｂ１，５３４ｂが外レール部３１及び内レール部３２に突き当たり、それ以上の遊技盤５３０の位置ずれが防止される。その結果、受け部５３２ｃ，５３４ｃに外レール部３１及び内レール部３２の側縁が当接した状態を維持できるので、積み重ねられた上方の遊技盤５３０が滑落することを抑制できる。
【０２０４】
また、外レール部３１及び内レール部３２は、それらの側縁から外レール部３１及び内レール部３２の幅方向外側に向けて嵌合ピン３１ａ，３２ａが突設されている。一方、遊技盤５３０は、嵌合ピン３１ａ，３２ａが嵌挿される孔部６８が形成され、孔部６８に嵌合ピン３１ａ，３２ａが嵌挿されることにより遊技盤５３０に外レール部３１及び内レール部３２が装着される。その孔部６８はレール受け５３２，５３３の位置に形成されているので、遊技盤５３０の厚さ方向のレール受け５３２，５３３の高さの分だけ孔部６８の深さを確保できる。これにより、孔部６８に嵌挿される嵌合ピン３１ａ，３２ａの保持力を大きくできる。よって、嵌合ピン３１ａ，３２ａを遊技盤５３０に強固に固定することで、外レール部３１及び内レール部３２を遊技盤５３０に強固に固定できる。
【０２０５】
また、補強リブ５３５（図３１（ａ）参照）の左右に、受け部５３２ｃより幅広の逃げ部５３５ａが形成されているので、内レール部３２に形成された湾出部３２ａが、積み上げられた遊技盤５３０の補強リブ５３５と干渉することを防止できる。また、逃げ部５３５ａ（図３１（ｂ）参照）は、盤面５３０ａからの高さが受け部５３２ｃより低く設定されているので、湾出部３２ａの高さ（図３１（ａ）紙面垂直方向）が内レール部３２の高さより大きな値に設定された場合であっても、湾出部３２ａが、積み上げられた遊技盤５３０の逃げ部５３５ａと干渉することを防止できる。これにより、複数の遊技盤５３０を積み上げて待機している間に、湾出部３２ａが塑性変形して形状が変化する等の悪影響が湾曲部３２ａに生じることを防止できる。
【０２０６】
また、外周縁レール受け５３１ｃ，５３１ｄは、遊技盤５３０の厚さ方向における高さが、外周縁補強リブ５３１より小さい値に設定されているので、平坦面Ｇの上に外周縁補強リブ５３１を下に向けて遊技盤５３０を置いた場合には、その平坦面Ｇと遊技盤５３０との間に外周縁レール受け５３１ｃ，５３１ｄの分だけ隙間ができる。その隙間に手の指先等を差し込み、差し込んだ指先等を手掛かりとして平坦面Ｇの上に置かれた遊技盤５３０を持ち上げることができる。
【０２０７】
これに対し、遊技盤５３０の厚さ方向における外周縁レール受け５３１ｃ，５３１ｄの高さが、外周縁補強リブ５３１の高さより大きい値に設定されている場合には、平坦面Ｇの上に置かれた遊技盤５３０にガタつきが生じる。遊技盤５３０はこの問題を解消することができ、外周縁補強リブ５３１を下に向けて平坦面Ｇに平置きされた遊技盤５３０のガタつきを防止して安定に静置できる。さらに、平置きされた遊技盤５３０を持ち上げる場合に、外周縁レール受け５３１ｃ，５３１ｄに差し込んだ指先等を手掛かりにすることができ、製造途中の遊技盤５３０や完成した遊技盤５３０の取扱性を向上できる。
【０２０８】
また、外周縁レール受け５３１ｃ，５３１ｄは、遊技盤５３０の厚さ方向における高さが、レール受け５３２，５３３，５３４（受け部５３２ｃ，５３３ａ，５３４ｃ）と同一の値に設定されているので、遊技盤５３０の背面と他の遊技盤５３０の盤面５３０ａとが対向するように複数の遊技盤を積み重ねた場合に、複数の遊技盤５３０の盤面５３０ａを略平行にできる。その結果、複数の遊技盤５３０を略鉛直に積み重ねることができ、積み上げた遊技盤５３０を滑落し難くできる。さらに、遊技盤５３０の外レール部３１が、積み重ねられた遊技盤５３０の外周縁レール受け５３１ｃ，５３１ｄと干渉することが防止される。その結果、複数の遊技盤５３０を積み重ねて待機する間に、外レール部３１が変形する等の悪影響が生じることを防止できる。
【０２０９】
また、複数の遊技盤５３０を積み重ねると、外レール部３１は、他の遊技盤５３０に設けられた突出部（レール受け）６９ａ、レール受け５３３（肉薄部７２に立設されたもの）、レール受け５３２，５３４及び外周縁レール受け５３１ｃ，５３１ｄに当接する。一方、内レール部３２は、他の遊技盤５３０に設けられたレール受け５３２（傾斜面部７１に立設されたもの）に当接する。
【０２１０】
ここで、遊技球発射装置２１から発射された遊技球は遠心力により外レール部３１に沿って移動し遊技領域ＰＥに導かれる。そのため、外レール部３１の曲率等は遊技領域ＰＥに打ち込まれる遊技球の軌道に影響する。これに対し、内レール部３２は外レール部３１の内側に配置されるので、内レール部３２の曲率等が遊技球の軌道に与える影響は外レール部３１より小さい。遊技盤５３０を積み重ねた場合には、内レール部３２及び外レール３１にレール受け５３２等が当接することにより遊技盤５３０が支持されるので、積み重ねられた遊技盤５３０の荷重が外レール部３１に集中して負荷されることが防止される。即ち、外レール部３１に負荷される荷重を内レール部３２に分散させることで、外レール部３１に負荷される荷重を小さくできる。これにより、遊技盤５３０を積み重ねることによって外レール部３１が塑性変形することを防止できる。よって、遊技領域ＰＥに打ち込まれる遊技球の軌道を安定にできる。
【０２１１】
また、レール受け５３４、外周縁レール受け５３１ｃ，５３１ｄのそれぞれと外レール部３１との当接面積は、レール受け５３２，５３３のそれぞれと内レール部３２との当接面積と比較して大きい。従って、レール受け５３４及び外周縁レール受け５３１ｃ，５３１ｄによって外レール部３１に負荷される単位面積当たりの荷重を小さくできる。その結果、積み重ねられた遊技盤５３０の荷重による外レール部３１の塑性変形を抑制できる。
【０２１２】
ここで、外レール部３１において、内レール部３２と対向する部位（図２４左側）は、遊技球発射装置２１から遊技領域ＰＥに打ち込まれる遊技球の軌道に大きな影響を与える。遊技球は、遠心力によって内レール部３２と対向する外レール部３１に沿って移動するからである。一方、遊技盤５３０を正面視して基準穴５３４ａの右側に位置する外レール部３１の領域Ｕ（図２４参照）は、遊技領域ＰＥに打ち込まれた遊技球の軌道に与える影響が比較的小さい。領域Ｕに沿って移動する遊技球の軌道は、外レール部３１だけでなくセンターフレーム４７等の盤面部品の形状や配置に規制されるからである。
【０２１３】
従って、複数の遊技盤５３０を積み重ねたときに、外レール部３１の領域Ｕ及びその近傍に位置するレール受け５３２，５３４が外レール部３１に当接するように、レール受け５３２，５３４の高さを設定することは有効である。万が一、積み重ねられた遊技盤５３０の荷重によって外レール部３１（領域Ｕ）が塑性変形しても、それが遊技球の軌道に与える影響が小さいからである。
【０２１４】
この場合、外レール部３１は、領域Ｕだけが他の遊技盤５３０のレール受け５３２に当接し、領域Ｕ以外の部位は他の遊技盤５３０のレール受け５３２等に非接触となるようにレール受け５３２等の高さを設定する。なお、内レール部３２は、他の遊技盤５３０のレール受け５３２等に当接するようにレール受け５３２等の高さを設定する。その結果、外レール部３１の領域Ｕ及び内レール部３２が、他の遊技盤５３０のレール受け５３２等に当接することにより、複数の遊技盤５３０が積み重ねられる。これにより、外レール部３１において、遊技球発射装置２１から遊技領域ＰＥに打ち込まれる遊技球の軌道に大きな影響を与える部位（領域Ｕ以外の部位）に、積み重ねられた遊技盤５３０の荷重が負荷されることを防止できる。その結果、遊技領域ＰＥに打ち込まれる遊技球の軌道に大きな影響を与える部位（領域Ｕ以外の部位）が、積み重ねられた遊技盤５３０の荷重によって悪影響を受けることを防止できる。
【０２１５】
また、外レール部３１の領域Ｕに配置されたレール受け５３２に加え、外レール部３１の領域Ｕの近傍に配置されたレール受け５３４（図２６参照）を用い、積み重ねられた遊技盤５３０の外レール部３１を支持するようにすることは可能である。レール受け５３４は基準穴５３４ａに設けられたものであり、受け部５３４ｃ（図３０）の面積を確保できるので、外レール部３１を支持する場合には、レール受け５３４を用いない場合と比較して、外レール部３１の単位面積当たりに作用する荷重を小さくできる。これにより、レール受け５３４を用いない場合と比較して、積み重ねられた遊技盤５３０の荷重により外レール部３１の領域Ｕに悪影響を与え難くできる。
【０２１６】
なお、本実施の形態では、外レール部３１の領域Ｕが他の遊技盤５３０のレール受け５３２に当接し、領域Ｕ以外の部位（外レール部３１）は他の遊技盤５３０のレール受け５３２等に非接触となるようにレール受け５３２等の高さを設定する場合について説明したが、外レール部３１の領域Ｕも、他の遊技盤５３０のレール受け５３２と非接触となるようにレール受け５３２の高さを設定することは当然可能である。これにより、積み重ねられた遊技盤５３０の荷重が外レール部３１に負荷されることを防止できるので、積み重ねられた遊技盤５３０の荷重によって外レール部３１が悪影響を受けることを防止できる。遊技球の軌道にほとんど影響を与えない内レール部３２及びレール受け５３２等により遊技盤５３０を支持するので、仮に内レール部３２が塑性変形したとしても、遊技球の軌道を安定させることができる。
【０２１７】
次に図３３（ｂ）を参照して、他の実施形態について説明する。第６実施の形態では、外周縁レール受け５３１ｄ及びレール受け５３２により外レール部３１及び内レール部３２の上に遊技盤５３０を載置する場合について説明した。これに対し、図３３（ｂ）に示す他の実施の形態では、外周縁レール受け５３１ｄ，５３１ｆにより外レール部３１及び通路形成部材５３８の上に遊技盤５６０を載置する場合について説明する。なお、第６実施の形態で説明したものと同一の部分については、同一の符号を付して以下の説明を省略する。図３３（ｂ）は他の実施形態における遊技盤５６０を複数枚積み重ねた状態を模式的に示す切断部端面図である。
【０２１８】
図３３（ｂ）に示すように、遊技盤５６０は、パチンコ機１（図２参照）に装着された状態で、遊技盤５６０を正面視して左側の外周縁に外レール部３１が張り出すように配置され、盤面の右側の外周縁近傍に通路形成部材５３８（レール部材の一種）が配置される。通路形成部材５３８は、内レール部３２と連設されて遊技領域ＰＥを区画するための合成樹脂製の部材であり、遊技盤５６０の盤面の右側にビス等により固定される。通路形成部材５３８の盤面からの高さは、外レール部３１及び内レール部３２の盤面からの高さと略同一に設定されている。
【０２１９】
外周縁レール受け５３１ｄが形成された外周縁補強リブ５３１（遊技盤５６０を正面視して左側）と対向する位置にある外周縁補強リブ５３１（遊技盤５６０を正面視して右側）には、背面側端面に外周縁レール受け５３１ｆが形成されている。外周縁レール受け５３１ｆは、複数の遊技盤５６０を積み重ねたときに、他の遊技盤５６０の盤面に固定された通路形成部材５３８を受けるための部位であり、盤面からの高さが外周縁レール受け５３１ｄと同一の値に設定されている。
【０２２０】
遊技盤５６０は、厚さ方向に貫通形成される孔部６８を備え、その孔部６８の周囲に突出部５３７が設けられている。突出部５３７の軸方向長（図３３（ｂ）上下方向）は、レール受け５３２（図３３（ａ）参照）の軸方向長より短い値に設定されている。そのため、複数の遊技盤５３０を積み重ねた場合には、遊技盤５６０に設けられた内レール部３２の側縁（上端）と突出部５３７とは非接触の状態となる。従って、遊技盤５６０は、外周縁レール受け５３１ｄ，５３１ｆにより外レール部３１及び通路形成部材５３８の上に載置され、積み重ねられる。外周縁補強リブ５３１に外周縁レール受け５３１ｄ，５３１ｆが設けられているので、外レール部３１及び通路形成部材５３８が遊技盤５６０の外周縁に張り出すように配置されていても、遊技盤５６０を積み重ねた場合に、外レール部３１及び通路形成部材５３８と外周縁補強リブ５３１との干渉を防止できる。これにより、遊技盤５６０の遊技領域ＰＥを大きく拡張できる。
【０２２１】
次に図３４を参照して、レール受け５３２の他の実施形態について説明する。第６実施の形態では、レール受け５３２の軸方向端面に形成された受け部５３２ｃに、互いに対峙する突部５３２ａ，５３２ｂが突設される場合について説明した。これに対し図３４では、受け部５３２ｃに突部５３２ａ，５３２ｂの一方が突設される場合について説明する。なお、第６実施の形態と同一の部分については、同一の符号を付して以下の説明を省略する。図３４（ａ）及び図３４（ｂ）は他の実施形態における遊技盤５７０，５８０を複数枚積み重ねた状態を模式的に示す切断部端面図である。
【０２２２】
図３４（ａ）に示すように、各レール受け５４２は、肉厚部７０側（遊技盤の中央側）に位置する突部５３２ｂが突設されている。その突部５３２ｂ（受け面５３２ｂ１）が外レール部３１及び内レール部３２に対面するので、積み重ねられた遊技盤５７０の位置ずれを防止し、遊技盤５７０の滑落を防止できる。
【０２２３】
また、図３４（ｂ）に示すように、各レール受け５４３は、外周縁補強リブ５３１側（遊技盤の外周側）に位置する突部５３２ａが突設されている。その突部５３２ａ（受け面５３２ａ１）が外レール部３１及び内レール部３２に対面するので、積み重ねられた遊技盤５８０の位置ずれを防止し、遊技盤５８０の滑落を防止できる。
【０２２４】
次に図３５及び図３６を参照して、遊技盤５３０の盤面５３０ａに固定される案内部補強部材５５０について説明する。案内部補強部材５５０は外レール部３１を補強するための部材である。第１実施の形態では、案内部補強部材５０の接触部５２ｂと連成される傾斜部５２ａが、正面視して、嵌合凸部５５から離間する距離に対して略同一の幅で形成される場合について説明した。これに対し本実施の形態では、嵌合凸部５５から離れるにつれ、正面視における幅が大きくなるように傾斜部５５３が形成される場合について説明する。なお、第１実施の形態で説明したものと同一の部分については、同一の符号を付して以下の説明を省略する。図３５（ａ）は案内部（外レール部３１）及び案内部補強部材５５０を固定した遊技盤５３０の部分拡大正面図であり、図３５（ｂ）は図３５（ａ）のＸＸＸＶｂ−ＸＸＸＶｂ線における案内部（外レール部３１）及び案内部補強部材５５０の切断部端面図である。
【０２２５】
図３５（ａ）及び図３５（ｂ）に示すように、案内部補強部材５５０は、正面視して（遊技盤５３０の盤面側から見て）略台形状に形成されると共に外レール部３１の案内面３１ｃの反対面側に位置する基体部５１と、その基体部５１に立設される反対面側突設部５５１と、その反対面側突設部５５１が立設される向きと反対向きに基体部５１から突設される嵌合凸部５５とを主に備えて構成されている。案内部補強部材５５０は合成樹脂製の部材である。
【０２２６】
反対面側突設部５５１は、外レール部３１の反対面と対面しつつ、その外レール部３１の反対面の少なくとも一部が接触する接触部５５２と、その接触部５５２に連成されると共に頂部から嵌合凸部５５の軸方向外側へ向かって下降傾斜する傾斜部５５３とを備えている。その傾斜部５５３は、嵌合凸部５５を回動中心とする径方向外側に嵌合凸部５５に対してオフセットさせるように設けられている。さらに、傾斜部５５３は、嵌合凸部５５から離れるにつれ、正面視において、接触部５５２からの距離が大きくなるように形成されている。換言すれば、嵌合凸部５５から離れるにつれ、正面視における幅が大きくなるように傾斜部５５３が形成されている。
【０２２７】
次に図３６を参照して、案内部補強部材５５０及び外レール部３１の遊技盤５３０への装着方法について説明する。図３６（ａ）は案内部補強部材５５０を固定する状態を示す遊技盤５３０の部分拡大正面図であり、図３６（ｂ）は案内部（外レール部３１）及び案内部補強部材５５０を固定する状態を示す遊技盤５３０の部分拡大正面図である。なお、図３６（ａ）では、遊技盤５３０に配置される外レール部３１の位置を二点鎖線で図示している。
【０２２８】
図３６（ａ）に示すように、案内部補強部材５５０及び外レール部３１を遊技盤５３０の盤面５３０ａに配置する場合には、まず、案内部補強部材５５０の嵌合凸部５５を、遊技盤５３０の孔部６９に半分程の長さまで挿入して仮配置する。仮配置のときは、傾斜部５５３の位置を、外レール部３１が配置される位置（二点鎖線）と正面視において重なるようにする。
【０２２９】
次いで、図３６（ｂ）に示すように、外レール部３１を配置するため、外レール部３１の側縁（図３６（ｂ）紙面奥側縁）を傾斜部５５３に突き当てつつ盤面５３０ａに近づけていく。傾斜部５５３は、孔部６９に対して回動中心とする嵌合凸部５５に対して径方向外側にオフセットさせるように設けられているので、外レール部３１を盤面５３０ａに近接させるにつれ、傾斜部５５３が外レール部３１に押されて、嵌合凸部５５を中心に案内部補強部材５５０が回動する。外レール部３１の側縁（図３６（ｂ）紙面奥側縁）が傾斜部５５３から離脱すると、案内部補強部材５５０の回動が停止し、案内部補強部材５５０の位置が決まる。
【０２３０】
さらに、外レール部３１を盤面５３０ａに近づけると、接触部５５２と案内面側突設部５７との間の溝部５８に外レール部３１が収装させる。その状態でさらに外レール部３１を盤面５３０ａに近づけると、外レール部３１の側縁に嵌合凸部５５の基端側端面（溝部５８の底面）が押されて、嵌合凸部５５は次第に孔部６９に嵌入される。これにより、外レール部３１を遊技盤５３０の盤面５３０ａへ配置する配置作業の作業性を向上できる。
【０２３１】
このように、回動中心とする嵌合凸部５５に対して径方向外側にオフセットさせるように設けられた傾斜部５５３により、外レール部３１を盤面５３０ａに近接させる力を、嵌合凸部５５を中心に案内部補強部材５５０を回動させる力に換えることができる。その結果、外レール部３１を配置する前に、案内部補強部材５５０の嵌合凸部５５を遊技盤５３０の孔部６９に挿入して仮配置する作業では、傾斜部５５３の位置を外レール部３１が配置される位置と重なるようにすれば良い。そのため、仮配置する作業における案内部補強部材５５０の位置合わせ（回動中心となる嵌合凸部５５に対する接触部５５２の角度合わせ）の精度をほとんど必要としないようにできる。その結果、外レール部３１及び案内部補強部材５５０を遊技盤５３０の盤面５３０ａにスムーズに配置させることができ、それらの配置作業の作業性を向上できる。
【０２３２】
また、傾斜部５５３は、嵌合凸部５５から離れるにつれ、正面視において、接触部５５２からの距離が大きくなるように形成されている。即ち傾斜部５５３は、正面視において、嵌合凸部５５側が幅狭に形成される一方、嵌合凸部５５から離れるにつれ拡幅するように形成されている。これにより、嵌合凸部５５と反対側の傾斜部５５３の幅を大きくできる分だけ、案内部補強部材５５０を遊技盤５３０に仮配置する作業における位置合わせ（回動中心となる嵌合凸部５５に対する接触部５５２の角度合わせ）の精度を低下させることができる。その結果、案内部補強部材５５０を遊技盤５３０に仮配置する作業の位置合わせに要する時間を短縮でき、外レール部３１及び案内部補強部材５５０の配置作業を効率化できる。
【０２３３】
以上、実施形態に基づき本発明を説明したが、本発明は上記実施形態に何ら限定されるものではなく、本発明の趣旨を逸脱しない範囲内で種々の変形改良が可能であることは容易に推察できるものである。また、上記実施形態で挙げた数値や形状は一例であり、他の数値や形状を採用することは当然可能である。例えば、遊技領域ＰＥの各種役物の配置等は適宜設定することが可能である。
【０２３４】
上記実施の形態では、遊技機の代表例としてパチンコ機１，２０１，３０１，４０１について説明したが、必ずしもこれに限られるものではなく、雀球遊技機、アレンジボール機等の弾球遊技機に適用することは可能である。
【０２３５】
上記実施の形態では、外レール部３１に固定される嵌合ピン３１ａや案内部補強部材５０，８０，９０の嵌合凸部５５，８５，９５が嵌合される孔部６８，６９が、遊技盤３０，１３０の厚さ方向に貫通形成される場合について説明した。しかし、必ずしもこれに限られるものではなく、孔部６８，６９を、遊技盤３０，１３０の盤面側から形成される有底状とすることは当然可能である。なお、孔部６８，６９を遊技盤３０，１３０の厚さ方向に貫通形成する場合には、ドリル等により孔部６８，６９を穿設するときの屑の排出が容易であるので、好ましい。
【０２３６】
上記第２実施の形態では、構造物１７０に図柄表示部１７３（飾り部）が設けられる場合について説明したが、必ずしもこれに限られるものではなく、構造物に遊技球を導くように設置すると共に、遊技球の動きに干渉する干渉部を構造物に採用することは当然可能である。干渉部としては、例えば、遊技球を通過させる球通路、釘、電動役物等を挙げることができる。これにより、遊技球の動きに変化を与え、遊技の興趣を高めることができる。
【０２３７】
上記第２実施の形態における他の実施形態では、可動演出部材として回転体１９２を設け、その回転体１９２をモータ１９６（駆動部）により回転駆動させる場合について説明したが、必ずしもこれに限られるものではなく、他の駆動部を採用することは当然可能である。他の駆動部としては、例えば、軸状部材が伸縮可能に構成されたアクチュエータを挙げることができる。また、可動演出部材を回転体１９２に限定するものではなく、任意のリンク部材と組み合せることにより、可動演出部材を上下や左右、斜め方向に移動するように構成することは当然可能である。
【０２３８】
また、上記実施の形態では、可動演出部材（回転体１９２）の背面側に駆動部（モータ１９６）が配置される場合について説明したが、必ずしもこれに限られるものではなく、可動演出部材や駆動部の種類や機構等により、可動演出部材の前面側に駆動部を配置することは当然可能である。この場合においても、遊技盤１３０の厚さ方向（前後方向）の空間を有効に活用して、演出効果を向上させることができる。
【０２３９】
上記第２実施の形態では、遊技盤１３０に段差状の連結部（被係合部）１３１が形成され、それと対応する係合部１７１が構造物１７０，１９０に設けられる場合について説明したが、必ずしもこれに限られるものではなく、適宜の連結構造を採用することが可能である。例えば、遊技盤１３０に前面から背面に向かうにつれて漸次拡幅する傾斜面（連結部）を設け、その傾斜面と対応して当接可能な傾斜面を構造物１７０，１９０に設けるようにすることが可能である。この場合には、遊技盤１３０の背面側から構造物１７０，１９０を遊技盤１３０に取着し、ネジやピン、リベット等の軸状部材で遊技盤１３０と構造物１７０，１９０とを連結することが可能である。
【０２４０】
また、遊技盤１３０に背面から前面に向かうにつれて漸次拡幅する傾斜面（連結部）を設け、その傾斜面と対応して当接可能な傾斜面を構造物１７０，１９０に設けるようにすることが可能である。この場合には、遊技盤１３０の前面側から構造物１７０，１９０を遊技盤１３０に取着し、ネジやピン、リベット等の軸状部材で遊技盤１３０と構造物１７０，１９０とを連結することが可能である。
【０２４１】
また、遊技盤１３０に形成された開口部１６１の２箇所に突条や溝部（連結部）を設け、その突条や溝部と対応して係合可能な溝部や突条を構造物１７０，１９０に設けるようにすることが可能である。この場合には、突条と溝部とを係合させつつ、開放する遊技盤１３０の周縁部から構造物１７０，１９０をスライドさせ、遊技盤１３０に構造物１７０，１９０を取着することが可能である。
【０２４２】
上記第２実施の形態から第５実施の形態では、遊技盤１３０，２１０を正面視して右側の外周縁の一部が開放する開口部１６１，２１１を備える場合について説明したが、必ずしもこれに限られるものではなく、正面視して上側や左側の外周縁の一部が開放する開口部を備える遊技盤１３０，２１０に適用することは当然可能である。
【０２４３】
また、上記第２実施の形態では、遊技盤１３０の外周縁の一部に開放する開口部１６１を備える遊技盤１３０に、一つの構造物１７０，１９０が連結される場合について説明したが、必ずしもこれに限られるものではなく、複数の構造物を遊技盤に設けるようにすることは当然可能である。
【０２４４】
また、上記第２実施の形態では、構造物１７０，１９０が、遊技盤１３０の外周縁の一部に開放する開口部１６１の２箇所に連結される（連結部が２箇所に形成される）場合について説明したが、必ずしもこれに限られるものではなく、構造物１７０，１９０を、構造物１７０，１９０の開口部１６１の１箇所に連結するようにすることは当然可能である。
【０２４５】
また、上記第３実施の形態から第５実施の形態において、構造物２２０，２３０，２４０に、遊技盤２１０から遊技球が導かれる球通路や、遊技球が流下する領域を形成することは当然可能である。これにより、さらに遊技の興趣を向上させることが可能である。
【０２４６】
上記第６実施の形態において、外周縁レール受け５３１ｃ，５３１ｄの高さは、レール受け５３２，５３３，５３４の受け部５３２ｃ，５３３ａ，５３４ｃの高さと同一の値に設定される場合について説明した。しかし、必ずしもこれに限られるものではなく、外周縁レール受け５３１ｃ，５３１ｄの高さを、レール受け５３２，５３３，５３４の受け部５３２ｃ，５３３ａ，５３４ｃの高さより小さい値に設定することは可能である。これにより、複数の遊技盤５３０を積み重ねた場合には、外レール部３１を外周縁レール受け５３１ｃ，５３１ｄと非接触にすることができる。
【０２４７】
その結果、遊技盤５３０の外周縁にまで外レール部３１が張り出した遊技盤５３０の背面と他の遊技盤５３０の盤面５３０ａとが対向するように複数の遊技盤５３０を積み重ねた場合に、張り出した外レール部３１の側縁の一部に他の遊技盤５３０の外周縁レール受け５３１ｃ，５３１ｄが位置する。これにより、遊技盤５３０の外レール部３１が他の遊技盤５３０の外周縁レール受け５３１ｃ，５３１ｄと干渉することを回避できる。
【０２４８】
ここで、遊技盤５３０の外レール部３１が他の遊技盤５３０の外周縁レール受け５３１ｃ，５３１ｄと干渉する場合には、外レール部３１に上方の遊技盤５３０の荷重が集中して負荷される場合があるので、外レール部３１が変形する等の悪影響が生じるおそれがある。これに対し、遊技盤５３０の外レール部３１と他の遊技盤５３０の外周縁レール受け５３１ｃ，５３１ｄとの干渉を防止することで、外レール部３１が変形する等の悪影響が生じることを防止できる。よって、遊技盤５３０の外周縁にまで外レール部３１が張り出した遊技盤５３０同士を積み重ねることを可能にできる。遊技盤５３０の外周縁にまで外レール部３１を張り出させることにより、可能な限り広い遊技領域ＰＥを確保することが可能となる。
【０２４９】
上記第６実施の形態では、遊技盤５３０に外周縁レール受け５３１ｃ，５３１ｄ及びレール受け５３２，５３３，５３４が設けられる場合について説明したが、必ずしもこれに限られるものではなく、外周縁レール受け５３１ｃ，５３１ｄの一部、又は、レール受け５３２，５３３，５３４の一部を設けるようにすることは当然可能である。遊技盤５３０の外周縁に外レール部３１が張り出さない場合には、外周縁レール受け５３１ｃ，５３１ｄを省略することが可能である。
【０２５０】
また、上記第６実施の形態では、盤面５３０ａに配置される外レール部３１及び内レール部３２（盤面部品）に対応する遊技盤５３０の背面にレール受け５３２等（背面側当接部）を設ける場合について説明したが、必ずしもこれに限られるものではない。外レール部３１や内レール部３２以外の他の盤面部品を用いることは当然可能である。盤面部品としては、遊技盤５３０の盤面５３０ａ（前面）に配置される種々の部品を採用することが可能である。外レール部３１や内レール部３２以外の他の盤面部品としては、例えば、通路形成部材等の構造物（例えばセンターフレーム４７）、入賞装置（例えばスルーゲート３４、可変入賞装置３５、スルーチャッカー３６、入賞口３７、一般入賞口３８）等の役物を挙げることができる。
【０２５１】
また、背面側当接部としては、盤面５３０ａ側に配置される盤面部品の位置に対応して遊技盤５３０の背面側に設けるものであれば、特に限定することなく採用できる。背面側当接部を設けることで、遊技盤５３０間に盤面部品および背面側当接部の合計高さの間隔をあけて、複数の遊技盤５３０を積み重ねることができる。背面側当接部は盤面部品の前面側の一部または全部に当接するものなので、背面側当接部の背面側の端部は、盤面部品の前面側の一部または全部を受け入れる凹凸状（受け部および受け面を備えるもの）に形成されることが望ましい。背面側当接部が凹凸状に形成されることにより、複数の遊技盤５３０が積み重ねられたときに、遊技盤５３０の盤面方向の相対位置がずれることを防止できる。その結果、積み重ねられた遊技盤５３０の滑落を防止できる。
【０２５２】
なお、遊技盤５３０の盤面５３０ａからの背面側当接部（背面側の端部、受け部）の高さを適宜設定することにより、遊技盤５３０の盤面５３０ａからの盤面部品（前面側の端部）の高さを、盤面５３０ａに植設された釘５３６に対して、適宜の高さに設定することは可能である。これにより、盤面５３０ａに植設された釘５３６に対して、盤面部品の高さを低くしたり高くしたりすることができる。その結果、盤面部品の高さ方向の設計の自由度を確保できる。
【０２５３】
また、上記第６実施の形態では、レール受け５３２等（背面側当接部）が遊技盤５３０の背面側に突設される場合について説明したが、必ずしもこれに限られるものではなく、背面側当接部を、遊技盤５３０の背面側の一部を窪み状に形成することは当然可能である。
【０２５４】
また、上記第６実施の形態では、レール受け５３２等（背面側当接部）が遊技盤５３０と一体に形成される場合について説明したが、必ずしもこれに限られるものではない。レール受け５３２等の背面側当接部を、遊技盤５３０とは別部材として構成して、遊技盤５３０を積み重ねるときに、遊技盤５３０の間にスペーサのように配置することは可能である。この場合には、製造途中の遊技盤５３０を待機させるために遊技盤５３０を積み重ねた後は、背面側当接部と遊技盤５３０とを分離できるので、パチンコ機１を組み立てるときに、背面側当接部が組み立ての妨げになることを防止できる。
【０２５５】
また、レール受け５３２等の背面側当接部を、遊技盤５３０とは別部材として構成すると共に、遊技盤５３０に対して着脱可能に設けることは可能である。背面側当接部を遊技盤５３０に対して着脱可能に設け、遊技盤５３０の製造途中においては、遊技盤５３０に背面側当接部を固着しておく。これにより、製造途中の遊技盤５３０を待機させるために遊技盤５３０を積み重ねる都度、背面側当接部を遊技盤５３０間に介設する必要がなく、作業性に優れる。また、遊技盤５３０を積み重ねた後は、背面側当接部を遊技盤５３０から脱着して分離できるので、パチンコ機１を組み立てるときに、背面側当接部が組み立ての妨げになることを防止できる。
【０２５６】
上記第６実施の形態では、レール受け５３２，５３３を円柱状にする場合について説明したが、必ずしもこれに限られるものではなく、レール受け５３２，５３３を他の形状にすることは当然可能である。他の形状としては、例えば、三角柱、四角柱等の多角柱状、突条等が挙げられる。
【０２５７】
また、レール受け５３２，５３３を孔部６８が形成された位置に設ける場合について説明したが、必ずしもこれに限られるものではなく、孔部６８と異なる位置にレール受け５３２，５３３を設けることは当然可能である。
【０２５８】
上記第６実施の形態では、外周縁レール受け５３１ｃ，５３１ｄを外周縁補強リブ５３１と一体に形成する場合について説明したが、必ずしもこれに限られるものではなく、その位置で外周縁補強リブ５３１を分断して、分断した箇所に外周縁レール受け５３１ｃ，５３１ｄを設けるようにすることは当然可能である。
【０２５９】
また、他の実施形態（図３３（ｂ）参照）で説明した遊技盤５６０の通路形成部材５３８に代えて、遊技盤５６０とは別部材として構成されたスペーサを遊技盤５６０間に挿入することは当然可能である。その場合、スペーサ及び外レール部３１により外周縁レール受け５３１ｄ，５３１ｆを支持して、複数の遊技盤５６０を積み重ねるようにする。
【０２６０】
また、外周縁レール受け５３１ｆを通路形成部材５３８で支持するものに限定するものではなく、通路形成部材５３８に代えて、遊技盤５６０の盤面に配置される他の盤面部品を採用することは当然可能である。他の盤面部品としては、通路形成部材以外の他の構造物（例えばセンターフレーム４７）、入賞装置（例えばスルーゲート３４、可変入賞装置３５、スルーチャッカー（始動口）３６、入賞口３７、一般入賞口３８）等の役物を挙げることができる。
【０２６１】
なお、上記の各実施形態は、それぞれ、他の実施形態が有する構成の一部または複数部分を、その実施形態に追加し或いはその実施形態の構成の一部または複数部分と交換等することにより、その実施形態を変形して構成するようにしても良い。
【０２６２】
以下に、本発明の遊技機に加えて、上記実施形態に含まれる各種発明の概念を示す。
【０２６３】
遊技球を発射する遊技球発射装置と、その遊技球発射装置により発射される遊技球が流下する遊技領域を形成する合成樹脂製の遊技盤と、その遊技盤の盤面に配置され前記遊技球発射装置により発射された遊技球を案内面に沿って前記遊技領域に案内する帯状の案内部とを備える遊技機において、前記遊技盤の盤面に固定される案内部補強部材を備え、その案内部補強部材は、前記遊技盤の盤面に窪み状に形成された孔部に嵌合する嵌合凸部と、その嵌合凸部に突設されると共に前記案内部の案内面の反対面側に接触する反対面側突設部とを備えていることを特徴とする遊技機Ａ１。
【０２６４】
遊技機Ａ１によれば、遊技球発射装置により発射される遊技球が流下する遊技領域が合成樹脂製の遊技盤により形成される。その遊技盤の盤面には、遊技球発射装置により発射された遊技球を案内面に沿って遊技領域に案内する帯状の案内部が配置される。その遊技盤の盤面に案内部補強部材が固定される。案内部補強部材は、遊技盤の盤面に窪み状に形成された孔部に嵌合凸部が嵌合し、その嵌合凸部に突設される反対面側突設部が案内部の案内面の反対面側に接触する。これにより、案内面に沿って遊技領域へ向けて進行する遊技球によって、案内面が反対面側に押されて帯状の案内部が傾動することを抑制できる。遊技球を遊技領域に案内する案内部の傾動を抑制できるので、遊技領域へ案内される遊技球の軌道や飛距離を安定させることができる効果がある。
【０２６５】
即ち、案内面に沿って遊技領域へ向けて進行する遊技球によって案内面が反対面側に押されて帯状の案内部が傾動すると、遊技球の軌道が変化したり遊技球の運動エネルギーの損失が生じたりする。その結果、遊技領域へ案内される遊技球の軌道や飛距離が不安定になることがある。
【０２６６】
これに対し、遊技機Ａ１によれば、案内部の案内面の反対面側に反対面側突設部が接触するように案内部補強部材を配置することで、案内面に沿って遊技領域へ向けて進行する遊技球によって案内部が傾動することを抑制できる。これにより、遊技領域へ案内される遊技球の軌道や飛距離を安定させることができる。
【０２６７】
遊技機Ａ１において、前記嵌合凸部は、外周面の一部が窪み状に形成された凹部を備えていることを特徴とする遊技機Ａ２。
【０２６８】
遊技機Ａ２によれば、嵌合凸部の外周面の一部に凹部が窪み状に形成されているので、孔部に嵌合凸部を嵌合するときの嵌合凸部の外周面と孔部の内周面との接触面積を小さくできる。その結果、孔部に嵌合凸部を嵌合するときの孔部および嵌合凸部の単位面積あたりの垂直効力を大きくできる。これにより、孔部に嵌合凸部を嵌合するときに孔部または嵌合凸部を変形（弾性変形または塑性変形）させ易くすることができるので、遊技機Ａ１の奏する効果に加え、嵌合凸部を孔部に嵌合し易くできる効果がある。
【０２６９】
遊技機Ａ１又はＡ２において、前記凹部は、前記嵌合凸部の先端から基端に向けてすりわり状に形成されていることを特徴とする遊技機Ａ３。
【０２７０】
遊技機Ａ３によれば、嵌合凸部の先端から基端に向けてすりわり状に凹部が形成されているので、すりわりによる嵌合凸部の弾性変形を利用して、孔部に嵌合凸部を嵌合させることができる。その結果、遊技機Ａ１又はＡ２の奏する効果に加え、嵌合凸部を孔部に嵌合し易くできると共に、嵌合凸部の弾性変形を利用することで孔部と嵌合凸部とに隙間が生じることを防止できるので、孔部に嵌合された嵌合凸部をガタつき難くできる効果がある。
【０２７１】
遊技機Ａ３において、前記案内部補強部材は、前記嵌合凸部の軸方向からみた前記凹部のすりわりの方向が、前記案内部の長手方向と非平行に配置されていることを特徴とする遊技機Ａ４。
【０２７２】
遊技機Ａ４によれば、案内部補強部材は、嵌合凸部の軸方向からみた凹部のすりわりの方向が案内部の長手方向と非平行に配置されているので、帯状の案内部の案内面に沿って遊技領域へ向けて進行する遊技球によって案内面が反対面側に押されたときに、嵌合凸部を弾性変形し難くできる。これにより、案内部が傾動することを抑制できる。その結果、遊技機Ａ３の奏する効果に加え、遊技領域へ案内される遊技球の軌道や飛距離をさらに安定させることができる効果がある。
【０２７３】
即ち、嵌合凸部は、すりわりの方向と平行な荷重によって弾性変形し難く、すりわりの方向と直交する荷重によって弾性変形し易い。そのため、嵌合凸部のすりわりの方向を案内部の長手方向と平行となるように案内部補強部材を配置すれば、案内部の案内面が反対面側に押されたときには、嵌合凸部の弾性変形により案内部が傾動し易い。これに対し、嵌合凸部のすりわりの方向を案内部の長手方向と非平行となるように案内部補強部材を配置すれば、案内部の案内面が反対面側に押されたときに嵌合凸部を弾性変形し難くできる。これにより、案内部を案内面の反対面側に傾動し難くできる。
【０２７４】
遊技機Ａ１からＡ４のいずれかにおいて、前記案内部補強部材は、前記反対面側突設部と対峙して前記案内部の案内面側に配設されると共に前記案内面に接触する案内面側突設部を備え、その案内面側突設部は、前記反対面側突設部の高さより低く設定されていることを特徴とする遊技機Ａ５。
【０２７５】
遊技機Ａ５によれば、反対面側突設部と対峙して案内部の案内面側に配設される案内面側突設部が案内部の案内面に接触するので、反対面側突設部および案内面側突設部の間に案内部が保持される。案内部補強部材により案内面および反対面の両方から案内部が保持されるので、遊技機Ａ１からＡ４のいずれかの奏する効果に加え、案内部の傾動を確実に防止できる。その結果、遊技領域へ案内される遊技球の軌道や飛距離をさらに安定させることができる効果がある。
【０２７６】
また、案内部の案内面側に配設される案内面側突設部は、反対面側突設部の高さより低く設定されているので、案内面に沿う遊技球の進行を案内面側突設部が妨害しないようにできる。案内面側突設部に遊技球が干渉すると、遊技球の運動エネルギーの損失が生じ遊技領域へ案内される遊技球の飛距離が不安定になるところ、これを防止できるので、遊技領域へ案内される遊技球の飛距離が不安定になることを防止できる。
【０２７７】
遊技機Ａ１からＡ５のいずれかにおいて、前記反対面側突設部は、前記案内部の反対面と対面しつつ前記反対面の少なくとも一部が接触する接触部と、その接触部に連設されると共に頂部から前記嵌合凸部の軸方向外側に向けて下降傾斜する傾斜部とを備えていることを特徴とする遊技機Ａ６。
【０２７８】
遊技機Ａ６によれば、案内部補強部材および案内部を遊技盤の盤面に配置する場合には、まず、案内部補強部材の嵌合凸部を遊技盤の孔部に挿入する。次いで、案内部補強部材の接触部に反対面が対面するように、反対面側突設部の傾斜部に沿わせて案内部を配置する。傾斜部は頂部から嵌合凸部の軸方向外側へ向かって下降傾斜しており、接触部は傾斜部に連設されているので、傾斜部に沿って、案内部をスムーズに接触部へ配置させることができる。これにより、遊技盤Ａ１からＡ５のいずれかの奏する効果に加え、案内部を遊技盤の盤面にスムーズに配置させることができ、案内部を盤面へ配置する配置作業の作業性を向上できる効果がある。
【０２７９】
遊技機Ａ１からＡ６のいずれかにおいて、前記遊技盤は、前記遊技領域の背面側に位置し盤面に釘が植設される肉厚部と、その肉厚部に連設されると共に前記肉厚部より厚さが小さく設定される肉薄部と、その肉薄部の外周縁から背面側に立設される外周縁補強リブと、前記肉薄部の所定部から背面側に突出して連成される突出部とを備え、前記孔部は、前記肉薄部および前記突出部に貫通形成されていることを特徴とする遊技機Ａ７。
【０２８０】
遊技機Ａ７によれば、遊技盤は遊技領域の背面側に位置する肉厚部の盤面に釘が植設されるので、釘の打ち込み深さを確保することで釘の保持力を確保できる。また、肉厚部より厚さが小さく設定される肉薄部が肉厚部に連設されるので、肉薄部を設けない遊技盤（肉厚部の厚さで一様に形成される遊技盤）と比較して、遊技盤を軽量化できる。さらに、肉薄部の外周縁から背面側に外周縁補強リブが立設されているので、肉薄部の剛性を確保できる。これにより、剛性を確保しつつ遊技盤を軽量化できると共に、盤面に植設される釘の保持力を高めることができる。
【０２８１】
また、肉薄部の所定部から背面側に突出して突出部が連成され、肉薄部および突出部に孔部が貫通形成されているので、孔部に嵌合される嵌合凸部の嵌合深さを確保できる。孔部に嵌合される嵌合凸部の嵌合深さが大きくなるにつれ、孔部に嵌合された嵌合凸部が軸方向と直交する方向に揺動し難くなる傾向がみられるので、孔部に嵌合される嵌合凸部の嵌合深さを確保することで、遊技盤に固定された案内部補強部材を揺動し難くできる。遊技盤に固定された案内部補強部材を揺動し難くすることで、遊技球を遊技領域に案内する案内部の傾動を抑制できるので、遊技領域へ案内される遊技球の軌道や飛距離をさらに安定させることができる。
【０２８２】
また、肉薄部の所定部から背面側に突出して突出部を連成し、その突出部および肉薄部に孔部を貫通形成するので、孔部を形成するために肉厚部の面積を広げることを不要にできる。肉薄部に連成される突出部（孔部を除く）の分だけ遊技盤の質量が増加するが、肉厚部の面積を広げる必要がないので、遊技盤の質量の増加を抑えることができる。さらに、孔部が貫通形成された突出部は孔部の周囲の肉薄部の剛性を高めるリブの機能を発揮するので、孔部の周囲の肉薄部の剛性を確保できる。
【０２８３】
以上のように遊技機Ａ７によれば、遊技機Ａ１からＡ６のいずれかの奏する効果に加え、遊技盤の剛性を確保しつつ遊技盤を軽量化できると共に、盤面に植設される釘の保持力を高められることに加え、遊技領域へ案内される遊技球の軌道や飛距離をさらに安定させることができる効果がある。
【０２８４】
遊技機Ａ６において、前記傾斜部は、前記嵌合凸部を回動中心とする径方向外側に前記嵌合凸部に対してオフセットさせるように設けられていることを特徴とする遊技機Ａ８。
【０２８５】
遊技機Ａ８によれば、案内部補強部材および案内部を遊技盤の盤面に配置する場合には、まず、案内部補強部材の嵌合凸部を遊技盤の孔部に挿入して仮配置する。仮配置のときは、傾斜部の位置を、案内部が配置される位置と重なるようにする。次いで、案内部を配置するため、案内部の側縁を傾斜部に突き当てつつ盤面に近づけていく。傾斜部は、回動中心とする嵌合凸部に対して径方向外側にオフセットさせるように設けられているので、案内部を盤面に近接させるにつれ、傾斜部が案内部に押されて、嵌合凸部を中心に案内部補強部材が回動する。案内部の側縁が傾斜部から離脱すると、案内部補強部材の回動が停止し、案内部および案内部補強部材は盤面に配置される。
【０２８６】
このように、回動中心とする嵌合凸部に対して径方向外側にオフセットさせるように設けられた傾斜部により、案内部を盤面に近接させる力を、嵌合凸部を中心に案内部補強部材を回動させる力に換えることができる。その結果、案内部を配置する前に、案内部補強部材の嵌合凸部を遊技盤の孔部に挿入して仮配置する作業では、傾斜部の位置を案内部が配置される位置と重なるようにすれば良い。そのため、仮配置する作業における案内部補強部材の位置合わせ（回動中心となる嵌合凸部に対する接触部の角度合わせ）の精度をほとんど必要としないようにできる。その結果、遊技盤Ａ６の奏する効果に加え、案内部および案内部補強部材を遊技盤の盤面にスムーズに配置させることができ、案内部および案内部補強部材を盤面へ配置する配置作業の作業性を向上できる効果がある。
【０２８７】
遊技球が流下する遊技領域を形成する合成樹脂製の遊技盤と、その遊技盤の厚さ方向に貫通形成されると共に前記遊技盤の外周縁の一部が開放される開口部と、その開口部に配置される構造物とを備え、その構造物は、遊技球の動きに干渉する部材または遊技球が通過する部材もしくは遊技の告知や演出に用いられる部材を備えていることを特徴とする遊技機Ｂ１。
【０２８８】
遊技機Ｂ１によれば、遊技球が流下する遊技領域が合成樹脂製の遊技盤により形成され、その遊技盤の厚さ方向に開口部が貫通形成される。その開口部は遊技盤の外周縁の一部が開放され、開口部に、遊技球の動きに干渉する部材または遊技球が通過する部材もしくは遊技の告知や演出に用いられる部材としての構造物が配置される。これにより、構造物を、遊技盤の制約を受け難く配置できる。その結果、遊技の演出の自由度を向上でき、遊技の興趣を大いに高めることができる効果がある。
【０２８９】
即ち、従来よりこの種の遊技機として、遊技領域に対して遊技球が発射され、遊技領域内の各種入賞口に遊技球が入賞されるとそれに伴い所定個数の遊技球が払い出されるパチンコ機がある。パチンコ機では、例えば、遊技領域の中央部には液晶表示装置等の図柄表示ユニットが配置され、その図柄変動ユニットにより複数列の図柄が変動表示される。所定の入賞口（始動入賞口）への入賞をトリガとして図柄表示ユニットによる図柄の変動表示が開始され、その後、所定の変動パターンによる変動表示を経て図柄の変動表示が停止される。停止した図柄が確定した際、その図柄の組み合せが予め設定された所定の組み合せであれば、特別遊技状態（大当たり状態）に移行し多量の遊技球が払い出される。
【０２９０】
また近年では、遊技の興趣を高めるべく、液晶表示装置の表示画面に表示される表示内容を複雑なものにしたり、表示画面を大型化して表示画像の迫力を向上させたりする等、図柄表示に関して様々な工夫が施されている。しかし、図柄表示に関して様々な工夫を施しても、遊技者に与える印象は似かよったものになりがちである。遊技者の興味を引くためには、新たな構造を採用してその構造による新たな演出が必要である。
【０２９１】
しかしながら、表示装置や役物等の部品を遊技盤の盤面に取着する従来の構造では、奥行き方向の広がりが乏しいので、似かよった演出が採用され易い。また、従来の木製の合板（ベニヤ）で作成される遊技盤では、加工性や機械的強度を考慮すると、新たな構造を採用し難い。
【０２９２】
これに対し、遊技機Ｂ１によれば、周縁部の一部が開放する開口部が形成された合成樹脂製の遊技盤を使用することにより、遊技盤の制約を受け難い構造物の配置を採用することができる。その結果、遊技の演出の自由度を向上できる。これにより、遊技の興趣を大いに高めることができる効果がある。
【０２９３】
遊技機Ｂ１において、前記開口部に設置されると共に図柄を変動表示する表示部を有する図柄表示装置を備え、前記構造物は、前記図柄表示装置の周辺に配置されることを特徴とする遊技機Ｂ２。
【０２９４】
遊技機Ｂ２によれば、開口部の空間を利用して、図柄を変動表示する表示部を有する図柄表示装置が設置され、図柄表示装置の周辺に構造物が配置される。遊技機Ｂ１の奏する効果に加え、図柄表示装置の平面的な図柄演出のみならず、構造物により多様な演出を実現することができる効果がある。
【０２９５】
遊技機Ｂ１又はＢ２において、前記構造物は、少なくとも一部が可動する飾り部を備えるものであり、その飾り部は、移動可能に構成される可動演出部材と、その可動演出部材の前面側または背面側に配置されると共に前記可動演出部材を動作させる駆動部とを備えていることを特徴とする遊技機Ｂ３。
【０２９６】
遊技機Ｂ３によれば、可動演出部材が移動可能に構成され、その可動演出部材の前面側または背面側に配置される駆動部により可動演出部材が動作される。遊技盤の厚さ方向の空間を利用して可動演出部材の駆動部が配置されるので、遊技機という限られた空間において駆動部を配置するスペースを有効活用できる効果がある。その結果、遊技機Ｂ１又はＢ２の奏する効果に加え、遊技盤に対面して遊技を行う遊技者に視認される可動演出部材の設計の自由度を向上でき、多彩な演出を実現することができる効果がある。
【０２９７】
遊技機Ｂ１からＢ３のいずれかにおいて、前記遊技盤および前記構造物の背面側に配置されると共に前記遊技盤および前記構造物に向けて光を照射可能な発光部を備え、前記遊技盤および前記構造物の少なくとも一部が透光性を有し前記発光部により照射される光を視認可能に構成されていることを特徴とする遊技機Ｂ４。
【０２９８】
遊技機Ｂ４によれば、遊技盤および構造物の背面側に配置される発光部により遊技盤および構造物に光が照射される。遊技盤および構造物の少なくとも一部が透光性を有し、発光部により照射される光を視認可能に構成されているので、遊技機Ｂ１からＢ３のいずれかの奏する効果に加え、遊技盤および構造物による演出効果を向上できる効果がある。
【０２９９】
遊技機Ｂ４において、前記遊技盤は、前記開口部の周縁の所定部に前記構造物と連結される連結部を備え、その連結部は、前記発光部により照射される光を散乱させる光散乱部を備えていることを特徴とする遊技機Ｂ５。
【０３００】
遊技機Ｂ５によれば、開口部の周縁の所定部に構造物と連結される連結部を設け、その連結部に照射される光は、光散乱部により散乱する。これにより、遊技機Ｂ４の奏する効果に加え、光散乱部により散乱される光によって遊技盤と構造物との継ぎ目部分（連結部）を視認し難くできると共に、遊技盤と構造物との継ぎ目部分（連結部）の演出効果を向上できる。
【０３０１】
遊技球が流下する遊技領域を形成する合成樹脂製の遊技盤と、その遊技盤の盤面に配置される盤面部品とを備える遊技機において、前記遊技盤は、背面側に設けられる背面側当接部を備え、その背面側当接部は、前記遊技盤の背面と他の遊技盤の盤面とが対向するように前記遊技盤と前記他の遊技盤とを積み重ねた場合に、前記他の遊技盤に配置された盤面部品に当接するように設定されていることを特徴とする遊技機Ｃ１。
【０３０２】
遊技機Ｃ１によれば、遊技球が流下する遊技領域が合成樹脂製の遊技盤により形成され、その遊技盤の盤面には盤面部品が配置される。遊技盤は、その遊技盤の背面と他の遊技盤の盤面とが対向するように遊技盤と他の遊技盤とを積み重ねた場合に、他の遊技盤に配置された盤面部品に背面側が当接するように、背面側当接部が設けられている。これにより、複数の遊技盤を積み重ねた場合に、背面側当接部と盤面部品とを鉛直方向に交互に密着させることができる。その結果、積み重ねられた上方の遊技盤の荷重を盤面部品および背面側当接部が受けることにより、遊技盤を積み重ねることを可能にできる効果がある。
【０３０３】
遊技機Ｃ１において、前記背面側当接部は、前記盤面部品の前面部が当接する受け部と、その受け部から前記遊技盤の厚さ方向に突設されると共に前記盤面部品の側面に沿う受け面とを備えていることを特徴とする遊技機Ｃ２。
【０３０４】
遊技機Ｃ２によれば、遊技盤の背面と他の遊技盤の盤面とが対向するように遊技盤と他の遊技盤とを積み重ねた場合に、背面側当接部の受け部が盤面部品の前面部が当接する。盤面部品の側面に沿う受け面が、受け部から遊技盤の厚さ方向に突設されているので、積み重ねられた遊技盤の位置が盤面部品の側面と直交する方向にずれると、受け面が盤面部品に突き当たり、それ以上の遊技盤の位置ずれが防止される。その結果、背面側当接部の受け部に盤面部品の前面部が当接した状態を維持できるので、遊技機Ｃ１の奏する効果に加え、積み重ねられた上方の遊技盤が滑落することを抑制できる効果がある。
【０３０５】
遊技機Ｃ１又はＣ２において、前記遊技盤は、盤面に植設される釘を備え、前記背面側当接部は、前記遊技盤の背面と他の遊技盤の盤面とが対向するように遊技盤と他の遊技盤とを積み重ねた場合に、前記他の遊技盤の盤面に植設された釘が前記遊技盤の背面に非接触となるように前記遊技盤の厚さ方向における高さが設定されていることを特徴とする遊技機Ｃ３。
【０３０６】
遊技機Ｃ３によれば、遊技盤の背面と他の遊技盤の盤面とが対向するように遊技盤と他の遊技盤とを積み重ねた場合に、他の遊技盤の盤面に植設された釘が遊技盤の背面に非接触となるように遊技盤の厚さ方向における背面側当接部の高さが設定されているので、積み重ねられた下方の遊技盤の釘に加わる上方の遊技盤の荷重をゼロにできる。その結果、遊技機Ｃ１又はＣ２の奏する効果に加え、遊技盤を積み重ねたときに、遊技盤に植設された釘が曲がる等の悪影響が生じることを防止できる効果がある。
【０３０７】
遊技機Ｃ１からＣ３のいずれかにおいて、前記盤面部品は、前記遊技球が存在可能な領域を区画する帯状のレール部材を含み、前記背面側当接部は、前記レール部材の前記盤面への配置位置に対応して前記遊技盤の背面に設けられるレール受けを備え、そのレール受けは、前記遊技盤の背面と他の遊技盤の盤面とが対向するように前記遊技盤と前記他の遊技盤とを積み重ねた場合に、前記他の遊技盤に配置されたレール部材の側縁に当接するように設定されていることを特徴とする遊技機Ｃ４。
【０３０８】
遊技機Ｃ４によれば、遊技球が存在可能な領域を区画する帯状のレール部材が遊技盤の盤面に配置される。また、遊技盤は、レール部材の盤面への配置位置に対応して背面にレール受けが設けられ、そのレール受けは、遊技盤の背面と他の遊技盤の盤面とが対向するように遊技盤と他の遊技盤とを積み重ねた場合に、他の遊技盤に配置されたレール部材の側縁に当接するように設定されている。遊技球が存在可能な領域を区画するレール部材は、盤面を正面視して円弧状に湾曲して遊技盤の盤面に配置されるので、遊技盤の厚さ方向の剛性を確保できる。よって、複数の遊技盤が積み重ねられて、積み重ねられた上方の遊技盤の荷重がレール部材に加わったときに、レール部材が折れ曲がる等の不具合が生じることを防止できる。従って、遊技機Ｃ１からＣ３のいずれかの奏する効果に加え、盤面に配置されたレール部材に悪影響を及ぼすことなく遊技盤を積み重ねることを可能にできる効果がある。
【０３０９】
遊技機Ｃ１からＣ４のいずれかにおいて、前記レール部材は、前記側縁から前記レール部材の幅方向外側に向けて突設される嵌合ピンを備え、前記遊技盤は、前記嵌合ピンが嵌挿されると共に前記レール受けの位置に形成される孔部を備えていることを特徴とする遊技機Ｃ５。
【０３１０】
遊技機Ｃ５によれば、レール部材は、側縁からレール部材の幅方向外側に向けて嵌合ピンが突設され、遊技盤は、嵌合ピンが嵌挿される孔部がレール受けの位置に形成されているので、遊技盤の厚さ方向のレール受けの高さの分だけ孔部の深さを確保できる。これにより、孔部に嵌挿される嵌合ピンの保持力を大きくできる。よって、遊技機Ｃ１からＣ４のいずれかの奏する効果に加え、嵌合ピンを遊技盤に強固に固定できる効果がある。
【０３１１】
遊技機Ｃ１からＣ５のいずれかにおいて、前記レール部材は、前記遊技領域に遊技球を導く外レール部と、その外レール部と所定間隔をあけて前記外レール部の内側に配置される内レール部とを備え、前記レール受けは、前記遊技盤の背面と他の遊技盤の盤面とが対向するように前記遊技盤と前記他の遊技盤とを積み重ねた場合に、前記他の遊技盤に配置された内レール部の位置に対応して前記遊技盤の背面に設けられていることを特徴とする遊技機Ｃ６。
【０３１２】
遊技機Ｃ６によれば、レール部材は、遊技領域に遊技球を導く外レール部と、その外レール部と所定間隔をあけて外レール部の内側に配置される内レール部とを備えている。レール受けは、遊技盤の背面と他の遊技盤の盤面とが対向するように遊技盤と他の遊技盤とを積み重ねた場合に、他の遊技盤に配置された内レール部の位置に対応して遊技盤の背面に設けられている。これにより、複数の遊技盤を積み重ねた場合に、レール受けに内レール部が当接する。
【０３１３】
ここで、遊技球は遠心力により外レール部に沿って移動し遊技領域に導かれるので、外レール部の曲率等は遊技領域に打ち込まれる遊技球の軌道に影響する。これに対し、内レール部は外レール部の内側に配置されるので、遊技球の軌道に与える影響が外レール部より小さい。その内レール部にレール受けが当接することにより遊技盤が支持されるので、積み重ねられた遊技盤の荷重は内レール部に負荷される。この荷重により、仮に内レール部が塑性変形したとしても、外レール部が塑性変形する場合と比較して、遊技球の軌道に与える影響を小さくできる。その結果、遊技機Ｃ１からＣ５のいずれかの効果に加え、遊技領域に打ち込まれる遊技球の軌道を安定にできる効果がある。
【０３１４】
遊技機Ｃ１からＣ６のいずれかにおいて、前記遊技盤は、平板状に形成されると共に前記釘が前面に植設される板部と、その板部の外周縁から背面側に立設される外周縁補強リブと、前記レール部材の前記盤面への配置位置に対応して前記板部の外周縁に設けられる外周縁レール受けとを備え、その外周縁レール受けは、前記遊技盤の背面と他の遊技盤の盤面とが対向するように前記遊技盤と前記他の遊技盤とを積み重ねた場合に、前記他の遊技盤に配置されたレール部材の側縁の一部に非接触の状態で端面が位置するように設定されていることを特徴とする遊技機Ｃ７。
【０３１５】
遊技機Ｃ７によれば、遊技盤は、平板状に形成される板部の前面に釘が植設され、板部の外周縁から背面側に外周縁補強リブが立設される。レール部材の盤面への配置位置に対応して板部の外周縁に外周縁レール受けが設けられ、その外周縁レール受けは、遊技盤の背面と他の遊技盤の盤面とが対向するように遊技盤と他の遊技盤とを積み重ねた場合に、他の遊技盤に配置されたレール部材の側縁の一部に非接触の状態で端面が位置するように設定されている。
【０３１６】
その結果、板部の外周縁にまでレール部材が張り出した遊技盤の背面と他の遊技盤の盤面とが対向するように遊技盤と他の遊技盤とを積み重ねた場合に、張り出したレール部材の側縁の一部に他の遊技盤の外周縁レール受けが位置する。これにより、遊技盤のレール部材が他の遊技盤の外周縁レール受けと干渉することを回避できる。
【０３１７】
ここで、遊技盤のレール部材が他の遊技盤の外周縁レール受けと干渉する場合には、レール部材に上方の遊技盤の荷重が集中して負荷される場合があるので、レール部材が変形する等の悪影響が生じるおそれがある。これに対し、遊技盤のレール部材と他の遊技盤の外周縁レール受けとの干渉を防止することで、レール部材が変形する等の悪影響が生じることを防止できる。よって、遊技機Ｃ７によれば、遊技機Ｃ１からＣ６の奏する効果に加え、板部の外周縁にまでレール部材が張り出した遊技盤同士を積み重ねることを可能にできる効果がある。板部の外周縁にまでレール部材を張り出させることにより、可能な限り広い遊技領域を確保することが可能となる。
【０３１８】
遊技球が流下する遊技領域を形成する合成樹脂製の遊技盤と、その遊技盤の盤面に配置されると共に前記遊技球が存在可能な領域を区画する帯状のレール部材と、そのレール部材で区画された領域内に植設される釘とを備える遊技機において、前記遊技盤は、平板状に形成されると共に前記釘が前面に植設される板部と、その板部の外周縁から背面側に立設される外周縁補強リブと、前記レール部材の前記盤面への配置位置に対応して前記板部の外周縁に設けられる外周縁レール受けとを備え、その外周縁レール受けは、前記遊技盤の背面と他の遊技盤の盤面とが対向するように前記遊技盤と前記他の遊技盤とを積み重ねた場合に、前記他の遊技盤に配置されたレール部材の側縁の一部に端面が当接するように設定されていることを特徴とする遊技機Ｄ１。
【０３１９】
遊技機Ｄ１によれば、遊技球が流下する遊技領域が合成樹脂製の遊技盤により形成される。その遊技盤の盤面には、遊技球が存在可能な領域を区画する帯状のレール部材が配置され、その領域に釘が植設される。遊技盤は、平板状に形成される板部の前面に釘が植設され、板部の外周縁から背面側に外周縁補強リブが立設される。レール部材の盤面への配置位置に対応して板部の外周縁に外周縁レール受けが設けられ、その外周縁レール受けは、遊技盤の背面と他の遊技盤の盤面とが対向するように遊技盤と他の遊技盤とを積み重ねた場合に、他の遊技盤に配置されたレール部材の側縁の一部に端面が当接するように設定されている。
【０３２０】
その結果、積み重ねられた上方の遊技盤の荷重を外周縁レール受けが受けるので、他の遊技盤の盤面に植設された釘が遊技盤の背面に非接触となる場合には、積み重ねられた下方の遊技盤の釘に加わる上方の遊技盤の荷重をゼロにできる。また、他の遊技盤の盤面に植設された釘が遊技盤の背面に接触する場合には、積み重ねられた下方の遊技盤の釘に加わる上方の遊技盤の荷重を、外周縁レール受け及びレール部材に分散させて小さくできる。これにより、遊技盤を積み重ねたときに、遊技盤に植設された釘が曲がる等の悪影響が生じることを防止できる。
【０３２１】
なお、遊技球が存在可能な領域を区画するレール部材は、盤面を正面視して円弧状に湾曲して遊技盤の盤面に配置されるので、遊技盤の厚さ方向の剛性を確保できる。よって、積み重ねられた上方の遊技盤の荷重が外周縁レール受けを介してレール部材に加わったときに、レール部材が折れ曲がる等の不具合が生じることを防止できる。従って、盤面に植設された釘に悪影響を及ぼすことなく遊技盤を積み重ねることを可能にできる効果がある。
【０３２２】
遊技機Ｄ１において、前記外周縁レール受けは、前記遊技盤の厚さ方向における高さが、前記外周縁補強リブより小さい値に設定されていることを特徴とする遊技機Ｄ２。
【０３２３】
遊技機Ｄ２によれば、外周縁レール受けは、遊技盤の厚さ方向における高さが、遊技盤の厚さ方向における外周縁補強リブの高さより小さい値に設定されているので、遊技盤を、上面に平坦面が形成された台の上に外周縁補強リブを下に向けて（背面側を下に向けて）置いた場合には、その平坦面と遊技盤との間に外周縁レール受けの分だけ隙間ができる。その隙間に手の指先等を差し込み、差し込んだ指先等を手掛かりとして平坦面の上に置かれた遊技盤を持ち上げることができる。
【０３２４】
これに対し、遊技盤の厚さ方向における外周縁レール受けの高さが、遊技盤の厚さ方向における外周縁補強リブの高さより大きい値に設定されている場合には、遊技盤を、上面に平坦面が形成された台の上に外周縁補強リブを下に向けて（背面側を下に向けて）置いた場合には、台の上に置かれた遊技盤にガタつきが生じる。遊技機Ｄ２によれば、この問題を解消することができ、外周縁補強リブを下に向けて（背面側を下に向けて）平置きされた遊技盤のガタつきを防止して安定に静置できる。さらに、平置きされた遊技盤を持ち上げる場合に、外周縁レール受けに差し込んだ指先等を手掛かりにすることができ、遊技機Ｄ１の奏する効果に加え、製造途中の遊技盤や完成した遊技盤の取扱性を向上できる効果がある。
【０３２５】
遊技機Ｄ１又はＤ２において、前記外周縁レール受けは、前記外周縁補強リブと一体に形成されていることを特徴とする遊技機Ｄ３。
【０３２６】
遊技機Ｄ３によれば、外周縁レール受けを外周縁補強リブと一体に形成することにより板部の剛性（特にねじり剛性）を確保することができるので、遊技機Ｄ１又はＤ２の奏する効果に加え、遊技盤の剛性（特にねじり剛性）を確保できる効果がある。
【０３２７】
遊技機Ｄ１からＤ３のいずれかにおいて、前記レール部材の前記盤面への配置位置に対応して前記遊技盤の背面に設けられるレール受けを備え、そのレール受けは、前記遊技盤の背面と他の遊技盤の盤面とが対向するように前記遊技盤と前記他の遊技盤とを積み重ねた場合に、前記他の遊技盤に配置されたレール部材の側縁に端面が当接するように設定されていることを特徴とする遊技機Ｄ４。
【０３２８】
遊技機Ｄ４によれば、遊技盤は、レール部材の盤面への配置位置に対応して背面にレール受けが設けられ、そのレール受けは、遊技盤の背面と他の遊技盤の盤面とが対向するように遊技盤と他の遊技盤とを積み重ねた場合に、他の遊技盤に配置されたレール部材の側縁に端面が当接するように設定されている。その結果、積み重ねられた上方の遊技盤の荷重を、レール受け及び外周縁レール受けを介してレール部材が受けるので、他の遊技盤の盤面に植設された釘が遊技盤の背面に非接触となる場合には、積み重ねられた下方の遊技盤の釘に加わる上方の遊技盤の荷重をゼロにできる。また、他の遊技盤の盤面に植設された釘が遊技盤の背面に接触する場合には、積み重ねられた下方の遊技盤の釘に加わる上方の遊技盤の荷重を、レール受け及び外周縁レール受けに分散させて小さくできる。これにより、遊技盤Ｄ１からＤ３のいずれかの奏する効果に加え、遊技盤を積み重ねたときに、遊技盤に植設された釘が曲がる等の悪影響が生じることを防止できる効果がある。
【０３２９】
遊技機Ｄ４において、前記レール受けは、前記遊技盤の厚さ方向における高さが、前記外周縁レール受けと同一の値に設定されていることを特徴とする遊技機Ｄ５。
【０３３０】
遊技機Ｄ５によれば、遊技盤の厚さ方向におけるレール受けの高さが、遊技盤の厚さ方向における外周縁レール受けの高さと同一の値に設定されているので、遊技盤の背面と他の遊技盤の盤面とが対向するように遊技盤と他の遊技盤とを積み重ねた場合に、遊技盤の盤面と他の遊技盤の遊技盤の盤面とを略平行にできる。その結果、遊技機Ｄ４の奏する効果に加え、遊技盤を略鉛直に積み重ねることができ、積み上げた遊技盤を滑落し難くできる効果がある。
【符号の説明】
【０３３１】
１                                パチンコ機（遊技機）
３０，１３０，５３０，５６０，５７０，５８０  遊技盤
５３０ａ                          盤面
３１                              外レール部（レール部材の一部）
３２                              内レール部（レール部材の一部）
６８ａ，６９ａ                    突出部（レール受け）
７０                              肉厚部（板部の一部）
７１                              傾斜面部（板部の一部）
７２                              肉薄部（板部の一部）
７３，５３１                      外周縁補強リブ
５３１ｃ，５３１ｄ，５３１ｆ      外周縁レール受け
５３２，５３３，５３４            レール受け
５３６                            釘
５３８                            通路形成部材（レール部材）
【図１】
2020192438.tif 000003
【図２】
2020192438.tif 000004
【図３】
2020192438.tif 000005
【図４】
2020192438.tif 000006
【図５】
2020192438.tif 000007
【図６】
2020192438.tif 000008
【図７】
2020192438.tif 000009
【図８】
2020192438.tif 000010
【図９】
2020192438.tif 000011
【図１０】
2020192438.tif 000012
【図１１】
2020192438.tif 000013
【図１２】
2020192438.tif 000014
【図１３】
2020192438.tif 000015
【図１４】
2020192438.tif 000016
【図１５】
2020192438.tif 000017
【図１６】
2020192438.tif 000018
【図１７】
2020192438.tif 000019
【図１８】
2020192438.tif 000020
【図１９】
2020192438.tif 000021
【図２０】
2020192438.tif 000022
【図２１】
2020192438.tif 000023
【図２２】
2020192438.tif 000024
【図２３】
2020192438.tif 000025
【図２４】
2020192438.tif 000026
【図２５】
2020192438.tif 000027
【図２６】
2020192438.tif 000028
【図２７】
2020192438.tif 000029
【図２８】
2020192438.tif 000030
【図２９】
2020192438.tif 000031
【図３０】
2020192438.tif 000032
【図３１】
2020192438.tif 000033
【図３２】
2020192438.tif 000034
【図３３】
2020192438.tif 000035
【図３４】
2020192438.tif 000036
【図３５】
2020192438.tif 000037
【図３６】
2020192438.tif 000038
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
遊技球を発射する遊技球発射装置と、その遊技球発射装置により発射される遊技球が流下する遊技領域を形成する遊技盤と、その遊技盤の盤面に配置され前記遊技球発射装置により発射された遊技球を案内面に沿って前記遊技領域に案内する帯状の案内部とを備える遊技機において、
樹脂材料から形成され、前記遊技盤の盤面に固定される案内部補強部材を備え、
その案内部補強部材は、前記遊技盤の盤面に窪み状に形成された孔部に嵌合する嵌合凸部と、
その嵌合凸部の基端側から配設され、前記案内部の案内面の反対面側に接触する反対面側接触部とを備え、
前記嵌合凸部は、外周面の一部が窪み状に形成された凹部を備え、
その凹部は、前記嵌合凸部の先端から基端に向けて形成され、
前記案内部補強部材は、前記嵌合凸部の軸方向からみた前記凹部と前記嵌合凸部の軸中心とを通る第１方向が、近接する前記案内部の長手方向と非平行であり、
前記嵌合凸部は、前記孔部に嵌合された状態において、前記第１方向の弾性変形の方が前記第１方向に対して交差する第２方向の弾性変形よりも生じ難いように構成され、
前記反対面側接触部は、前記案内部に接触する側の面の反対側の面の少なくとも一部が、前記案内部に対して非平行に形成されることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機等に代表される遊技機に関するものである。
【背景技術】
【０００２】
遊技球を使用して遊技を行う遊技機の代表例としてパチンコ機がある。パチンコ機は、前面に遊技領域が形成される遊技盤を有している。遊技領域には遊技球が入球可能な入球部が設けられており、その入球部への入球が発生した場合には、例えば遊技者に有利な特別遊技状態を発生させるか否かの抽選や遊技球の払出し等の特典が、遊技者に対して付与される。
【０００３】
この種の遊技機において、従来の遊技盤は、絵柄を印刷した合成樹脂製フィルムを木製合板（ベニヤ）の表面に貼り付けたものが一般的であった。近年、意匠性やリサイクル性の観点から、合成樹脂製の遊技盤が採用されつつある（例えば特許文献１）。
【０００４】
【先行技術文献】
【特許文献】
【０００５】
【特許文献１】特開平１０−１１３４２８号公報（特に図５）
【発明の概要】
【発明が解決しようとする課題】
【０００６】
しかしながら上述したような遊技機では、遊技領域へ案内される遊技球の軌道や飛距離が不安定になるという問題が生じ得る。
【０００７】
本発明は、上記例示した問題点等を解決するためになされたものであり、遊技領域へ案内される遊技球の軌道や飛距離を安定させることができる遊技機を提供することを目的としている。
【課題を解決するための手段】
【０００８】
この目的を達成するために請求項１記載の遊技機は、遊技球を発射する遊技球発射装置と、その遊技球発射装置により発射される遊技球が流下する遊技領域を形成する遊技盤と、その遊技盤の盤面に配置され前記遊技球発射装置により発射された遊技球を案内面に沿って前記遊技領域に案内する帯状の案内部とを備える遊技機であって、樹脂材料から形成され、前記遊技盤の盤面に固定される案内部補強部材を備え、その案内部補強部材は、前記遊技盤の盤面に窪み状に形成された孔部に嵌合する嵌合凸部と、その嵌合凸部の基端側から配設され、前記案内部の案内面の反対面側に接触する反対面側接触部とを備え、前記嵌合凸部は、外周面の一部が窪み状に形成された凹部を備え、その凹部は、前記嵌合凸部の先端から基端に向けて形成され、前記案内部補強部材は、前記嵌合凸部の軸方向からみた前記凹部と前記嵌合凸部の軸中心とを通る第１方向が、近接する前記案内部の長手方向と非平行であり、前記嵌合凸部は、前記孔部に嵌合された状態において、前記第１方向の弾性変形の方が前記第１方向に対して交差する第２方向の弾性変形よりも生じ難いように構成され、前記反対面側接触部は、前記案内部に接触する側の面の反対側の面の少なくとも一部が、前記案内部に対して非平行に形成される。
【０００９】
【００１０】
【００１１】
【００１２】
【発明の効果】
【００１３】
本発明によれば、遊技領域へ案内される遊技球の軌道や飛距離を安定させることができる効果がある。
【図面の簡単な説明】
【００１４】
【図１】第１実施の形態におけるパチンコ機の正面図である。
【図２】主要な構成を展開して示すパチンコ機の斜視図である。
【図３】主要な構成を展開して示すパチンコ機の斜視図である。
【図４】パチンコ機の背面図である。
【図５】遊技部品等を配置した遊技盤の正面図である。
【図６】遊技盤の正面図である。
【図７】遊技盤の背面図である。
【図８】図７のＶＩＩＩ−ＶＩＩＩ線における遊技盤の切断部端面図である。
【図９】図５のＩＸ−ＩＸ線における遊技盤の切断部端面図である。
【図１０】複数枚の遊技盤を積み重ねた状態を示す模式図である。
【図１１】案内部および案内部補強部材を固定した遊技盤の部分拡大正面図である。
【図１２】案内部および案内部補強部材を設置した遊技盤の部分拡大背面図である。
【図１３】案内部補強部材の斜視図である。
【図１４】図１１のＸＩＶ−ＸＩＶ線における遊技盤の断面図である。
【図１５】（ａ）は他の実施形態における案内部補強部材を設置した遊技盤の部分拡大背面図であり、（ｂ）は他の実施形態における案内部補強部材を設置した遊技盤の部分拡大背面図である。
【図１６】第２実施の形態におけるパチンコ機の主要な構成である遊技盤および構造物の正面図である。
【図１７】遊技盤および構造物の斜視図である。
【図１８】構造物および発光部の模式図である。
【図１９】他の実施形態における遊技盤および構造物の正面図である。
【図２０】構造物の内部構造を示す模式図である。
【図２１】遊技盤の正面図である。
【図２２】（ａ）は第３実施の形態におけるパチンコ機の模式平面図であり、（ｂ）は第４実施の形態におけるパチンコ機の模式平面図である。
【図２３】第５実施の形態におけるパチンコ機の模式平面図である。
【図２４】第６実施の形態におけるパチンコ機の主要な構成である遊技盤（遊技部品等を配置した）の正面図である。
【図２５】遊技盤の正面図である。
【図２６】遊技盤の背面図である。
【図２７】（ａ）は図２６のＸＸＶＩＩａで示す部分を拡大して示した遊技盤の部分拡大背面図であり、（ｂ）は図２６の矢印ＸＸＶＩＩｂ方向から見た遊技盤の部分拡大側面図である。
【図２８】（ａ）は図２６のＸＸＶＩＩＩａで示す部分を拡大して示した遊技盤の部分拡大背面図であり、（ｂ）は図２６の矢印ＸＸＶＩＩＩｂ方向から見た遊技盤の部分拡大側面図である。
【図２９】（ａ）は図２６のＸＸＩＸａで示す部分を拡大して示した遊技盤の部分拡大背面図であり、（ｂ）は図２６の矢印ＸＸＩＸｂ方向から見た遊技盤の部分拡大側面図である。
【図３０】（ａ）は図２６のＸＸＸａで示す部分を拡大して示した遊技盤の部分拡大背面図であり、（ｂ）は図２６の矢印ＸＸＸｂ方向から見た遊技盤の部分拡大側面図である。
【図３１】（ａ）は図２６のＸＸＸＩａで示す部分を拡大して示した遊技盤の部分拡大背面図であり、（ｂ）は図３１（ａ）のＸＸＸＩｂ−ＸＸＸＩｂ線における遊技盤の切断部端面図である。
【図３２】複数枚の遊技盤を積み重ねた状態を模式的に示す切断部端面図である。
【図３３】（ａ）複数枚の遊技盤を積み重ねた状態を模式的に示す切断部端面図であり、（ｂ）は他の実施形態における遊技盤を複数枚積み重ねた状態を模式的に示す切断部端面図である。
【図３４】（ａ）は他の実施形態における遊技盤を複数枚積み重ねた状態を模式的に示す切断部端面図であり、（ｂ）は他の実施形態における遊技盤を複数枚積み重ねた状態を模式的に示す切断部端面図である。
【図３５】（ａ）は案内部および案内部補強部材を固定した遊技盤の部分拡大正面図であり、（ｂ）は図３５（ａ）のＸＸＸＶｂ−ＸＸＸＶｂ線における案内部および案内部補強部材の切断部端面図である。
【図３６】（ａ）は案内部補強部材を固定する状態を示す遊技盤の部分拡大正面図であり、（ｂ）は案内部および案内部補強部材を固定する状態を示す遊技盤の部分拡大正面図である。
【発明を実施するための形態】
【００１５】
以下、遊技機の一種であるパチンコ遊技機（以下「パチンコ機」と称す）の実施の形態を、図面に基づいて詳細に説明する。図１は第１実施の形態におけるパチンコ機１の正面図である。
【００１６】
図１に示すようにパチンコ機１は、パチンコ機１の外殻を形成する外枠２を備えている。外枠２は、遊技ホールへの設置の際に、いわゆる島設備に取り付けられる。外枠２は、木製の板材を全体として矩形枠状に組み合わせた状態とされ、各板材を小ネジ等の離脱可能な締結部材により固定することによって構成されている。なお、外枠２を合成樹脂やアルミニウム等の金属によって構成してもよい。
【００１７】
外枠２の一側部には、本体枠３が開閉可能に支持されている。その開閉軸線はパチンコ機１の正面からみて左側に上下へ延びるように設定されており、その開閉軸線を軸心にして本体枠３が前方側に開放できるようになっている。なお、パチンコ機１には右側に遊技球発射ハンドル８の設置箇所が設けられているため、遊技球発射ハンドル８とは反対側の側部を中心に本体枠３を開閉可能としたということができる。
【００１８】
本体枠３は合成樹脂、具体的にはＡＢＳ樹脂により構成されている。ＡＢＳ樹脂を用いることにより、比較的低コストで耐衝撃性の高い本体枠３を得ることができる。本体枠３をアルミニウム等の金属によって構成してもよい。なお本実施の形態では、外枠２と本体枠３とにより遊技機本体が構成されている。外枠２に代わる構成として設置枠体を遊技ホール側に予め設けておき、遊技ホールへのパチンコ機１の設置に際しては本体枠３を設置枠体に組み付ける構成とすることも可能である。かかる構成では、本体枠３により遊技機本体が構成される。
【００１９】
本体枠３の前面側には、本体枠３を覆うようにして前面扉としての前扉枠４が設けられている。前扉枠４は、本体枠３に対して開閉可能に取り付けられており、本体枠３と同様、パチンコ機１の正面からみて左側に上下に延びる開閉軸線を軸心にして前方側に開放できる。なお、前扉枠４は本体枠３と同様、ＡＢＳ樹脂にて成形されている。
【００２０】
前扉枠４は下部位置に、幅方向ほぼ中央部において手前側へ膨出した上膨出部５と、上膨出部５の内側に設けられ下方にくぼんだ皿形状をなす球受皿としての上皿６とを備えている。上皿６の下方位置には手前側に膨出した下膨出部７を備え、下膨出部７の内側に設けられ下方にくぼんだ皿形状をなす球受皿としての下皿８と、下皿８の奥側の壁面を構成する奥壁パネル９とを備えている。
【００２１】
前面枠４は、下膨出部７よりも右方に手前側へ突出するようにして遊技球発射ハンドル１０が設けられている。上皿６は、後述する払出装置より払い出された遊技球を一旦貯留し、一列に整列させながら遊技球発射装置（後述する）側へ導くための球受皿である。上膨出部５の前面側には球抜きレバー（図示せず）が設けられており、この球抜きレバーを操作すると上皿６の最下流部付近に設けられた球抜き通路（図示略）が開放され、上皿６内の貯留球が下皿８に排出される。また、下膨出部７の前面側には球抜きレバー１１が設けられており、この球抜きレバー１１を操作すると下皿８の最下流部付近に設けられた球抜き通路（図示略）が開放され、下皿８内の貯留球が排出される。
【００２２】
前扉枠４の右下隅部には、外枠２に対する本体枠３の施錠および解錠、並びに本体枠１３に対する前扉枠４の施錠および解錠を行うための鍵部材としてのシリンダ錠１２が配置されている。シリンダ錠１２は施錠装置に一体化されており、施錠装置のうちシリンダ錠１２が本体枠３の前方に突出した状態で設けられ、前扉枠４の前面に露呈している。シリンダ錠１２は、本体枠３の施解錠と前扉枠４の施解錠とを共に賄う機能を有しており、鍵穴に差し込んだキーを一方向に回すと本体枠３の施錠が解かれ、逆にキーを反対方向に回すと前扉枠４の施錠が解かれるように構成されている。
【００２３】
前扉枠４には遊技領域ＰＥ（後述する）のほぼ全域を前方から視認することができるようにした視認窓としての窓部１３が形成されている。窓部１３は、円形に近い略楕円形状をなしている。窓部１３は、透明なガラス１４によって前扉枠４の背面側から塞がれている。なお、所定の透明性を有していれば、ガラス１４に代えて合成樹脂製板を採用することは当然可能である。
【００２４】
前扉枠４には、窓部１３の周囲に各種ランプ等の発光手段が設けられている。これら発光手段は、大当たり時や所定のリーチ時等における遊技状態の変化に応じて点灯、点滅のように発光態様が変更制御されることにより、遊技中の演出効果を高める役割を果たす。例えば、窓部１３の周縁に沿ってＬＥＤ等の発光手段を内蔵した環状電飾部１５が左右対称に設けられ、環状電飾部１５の中央であってパチンコ機１の最上部にはＬＥＤ等の発光手段を内蔵した中央電飾部１６が設けられている。パチンコ機１では、中央電飾部１６が大当たりランプとして機能し、大当たり状態時に点灯や点滅を行うことにより大当たり中であることを報知する。中央電飾部１６の左右側方には、賞球払出中に点灯する賞球ランプ１７が設けられている。また、前扉枠４の下方位置にも、同じくＬＥＤ等の発光手段を内蔵した下方電飾部１８が設けられている。
【００２５】
なお、環状電飾部１５は、内外二重の樹脂カバー層とその内側に収容された発射板付き発光体（ＬＥＤ）とを備え、樹脂カバー層の各々の内側面には各層で縦横に交差する向きに突条（又は波状の突起）が設けられている。外側の樹脂カバー層は透明であり、内側の樹脂カバー層は有色である。従って、環状電飾部１５を発光させれば、多数に分散化された状態、又は立体感を伴った状態の電飾が実現できる。
【００２６】
次に図２を参照してパチンコ機１の内部構成について説明する。図２は主要な構成を展開して示すパチンコ機１の斜視図である。なお、図２では便宜上、パチンコ機１の遊技領域ＰＥ内の図示を省略している。また、図２は前扉枠４からガラス１３を取り外した状態を図示している。
【００２７】
図２に示すように、本体枠３は、外形が外枠２とほぼ同一形状をなす樹脂ベース２０を主体に構成されており、樹脂ベース２０の中央部には遊技領域ＰＥを形成する遊技盤３０が着脱可能に装着されている。遊技盤３０は正面視して略四角形状の合成樹脂により形成され、その周縁部が樹脂ベース２０に当接した状態で取着されている。
【００２８】
遊技盤３０が装着される樹脂ベース２０の下方位置には、遊技球発射ハンドル１０の操作により遊技球を発射する遊技球発射装置２１と、遊技球発射装置２１より発射された直後に遊技球を案内するための発射レール２２とが取着されている。発射レール２２は、所定の発射角度（打ち出し角度）にて直線的に斜め上方へ向かって延びるよう構成されている。
【００２９】
遊技盤３０は、遊技球発射装置２１から発射された遊技球を遊技盤３０上部へ案内するためのレール部材としてのレールユニット（外レール部３１及び内レール部３２）が取り付けられている。外レール部３１及び内レール部３２と遊技盤３０との固定構造については後述する。遊技球発射ハンドル１０の回動操作に伴い発射された遊技球は、レールユニットを通じて遊技領域ＰＥに案内される。レールユニットは内外二重に設けられた外レール部３１及び内レール部３２を有している。外レール部３１及び内レール部３２は金属製（ステンレス製）の帯状体により構成されている。遊技球の摺動性を確保すると共に、レールユニットの耐久性を向上させるためである。
【００３０】
内レール部３２は遊技盤３０上方の約１／４ほどを除いて略円環状に形成され、外レール部３１は内レール部３２の上方開放領域を囲むように且つ内レール部３２の左側部と並行するように略半円環状に形成されている。外レール部３１及び外レール部３２により誘導レールが構成され、外レール部３１及び外レール部３２が所定間隔を隔てて対向する部分により球案内通路が形成されている。また、内レール部３２は遊技領域ＰＥを区画するための部材であり、内レール部３２の内側に遊技領域ＰＥが形成される。
【００３１】
外レール部３１及び外レール部３２が所定間隔を隔てて対向することにより形成される球案内通路と遊技領域ＰＥとの境界には、戻り球防止部材３３が遊技盤３０に取着されている。戻り球防止部材３３により、球案内通路から遊技領域ＰＥへと飛び出した遊技球が球案内通路内に戻ってしまう事態が防止される。従って、遊技球発射ハンドル１０の回動操作に伴い遊技球発射装置２１より発射された遊技球は、まずは発射レール２２に沿って斜め上方に打ち出され、その後、遊技盤３０に固定された外レール部３１及び内レール部３２により構成される球案内通路を通じて、遊技領域ＰＥに案内される。
【００３２】
発射レール２２と球案内通路（外レール３１）との間には所定の大きさの隙間があり、この隙間の下方にファール球通路２３が設けられている。従って、仮に遊技球発射装置２１から発射された遊技球が遊技領域ＰＥに至らずファール球として球案内通路内を逆戻りする場合には、そのファール球がファール球通路２３を介して下皿８に排出される。
【００３３】
本体枠３は、背面に裏パックユニット４０が配設されている。裏パックユニット４０は、横長の略直方体形状をなす保護カバー部４１と、その保護カバー部４１の最上部に配置される上方に開口したタンク４２とを備えて構成されている。保護カバー部４１は、可変表示ユニット（後述する）を背面から囲むのに十分な大きさを有しており、タンク４２は、遊技ホールの島設備から供給される遊技球が逐次補給される部位である。裏パックユニット４０は本体枠３に対して回動可能に片持ち支持されている。
【００３４】
次に図３及び図４を参照して、パチンコ機１の背面構成を説明する。図３は主要な構成を展開して示すパチンコ機１の斜視図であり、図４はパチンコ機１の背面図である。なお、図３は、本体枠３に対して保護カバー部４１及びタンク４２を回動して遊技盤３０の背面を開放した状態を示している。
【００３５】
図３に示すように遊技盤３０の背面には、遊技盤３０の略中央に配置される可変表示ユニット４３が固定されており、その背面側に積み重ねられた状態で表示制御手段としての表示制御装置４４が固定されている。遊技盤３０の背面に固定された表示制御装置４４の下方位置には、第１制御基板ユニット４５が装着されている。第１制御基板ユニット４５は、主制御装置（主基板）と音声ランプ制御装置（音声ランプ制御基板）とを備えるユニットである。
【００３６】
図４に示すように、第１制御基板ユニット４５の下方位置には第２制御基板ユニット４６が装着されている。第２制御基板ユニット４６は、払出制御装置（払出制御基板）、発射制御装置（発射制御基板）及び電源装置（電源基板）を備えるユニットである。
【００３７】
次に図５を参照して各種の遊技部品（盤面部品）等が配置された遊技盤３０について説明する。図５は遊技部品等を配置した遊技盤３０の正面図である。遊技盤３０は、射出成形によって一体成形される透光性を有する合成樹脂製の部材であり、前後方向に貫通する大小複数の開口部が射出成形時に形成される。各開口部にはスルーゲート３４、可変入賞装置３５、スルーチャッカー（始動口）３６、入賞口３７、一般入賞口３８、可変表示ユニット４３及びセンターフレーム４７等の盤面部品（遊技部品等）がそれぞれ設けられている。それらは、ドリル等により穿設された下穴（ネジ挿通孔）にネジ等を螺挿することにより遊技盤３０の表面に取り付けられている。
【００３８】
本実施の形態では、可変表示ユニット４３が遊技盤３０の略中央に配置され、その下方にスルーチャッカー（始動口）３６が配置され、さらにその下方に入賞口３７が配置されている。また、可変表示ユニット４３の右側にスルーゲート３４が配置され、遊技盤３０の下部両側に一般入賞口３８がそれぞれ複数配置されている。入賞口３７には、所定の条件下で作動状態（開放状態）となる電動役物が付随的に設けられている。
【００３９】
可変入賞装置３５、入賞口３７及び一般入賞口３８に遊技球が入ると、それが検出スイッチ（図示せず）により検出され、その検出結果に基づいて上皿６（場合によっては下皿８）に対し所定数の賞品球が払い出される。その他に、遊技盤３０の下部にはアウト口３９が設けられており、各種入賞口等に入らなかった遊技球はアウト口３９を通って図示しない球排出路の方へと案内される。アウト口３９は、成形金型の設計により遊技盤３０の成形時に厚さ方向に貫通形成される。
【００４０】
また、可変表示ユニット４３には、始動口３６への入賞をトリガとして図柄を変動表示する図柄表示装置４３ａが設けられている。この図柄表示装置４３ａは８インチサイズの比較的大型の液晶ディスプレイを備えた液晶表示装置として構成されており、表示制御装置により表示内容が制御される。図柄表示装置４３ａには、例えば左、中及び右に並べて図柄が表示され、これらの図柄が上下方向にスクロールされるようにして可変表示される。なお、図柄表示装置４３ａは、８インチ以外の１０インチ、７インチ等の液晶ディスプレイを備えたもの、ワイドサイズのディスプレイを備えたもの、又はＣＲＴ、ドットマトリックス、７セグメント等その他のタイプにより表示画面を構成したものであってもよい。この図柄表示装置４３ａを囲むようにしてセンターフレーム４７が配設されている。
【００４１】
センターフレーム４７は前後方向に貫通した枠体形状とされており、前面に各種の飾りが設けられている。センターフレーム４７は図柄表示装置４３ａを取り囲んで、可変表示ユニット４３が装着された開口部６１内に遊技球が進入するのを防ぐと共に、遊技盤３０の盤面からセンターフレーム４７内に進入した遊技球を再び盤面に導出する機能を有している。
【００４２】
また、遊技盤３０には、遊技球の落下方向を適宜分散、調整等するために多数の釘が植設されると共に、風車（図示せず）等の各種の盤面部品が配設されている。なお、釘や風車は、ドリル等により遊技盤３０に下穴（釘挿通孔）を穿設し、その下穴に打ち込むことにより遊技盤３０に取り付けられる。釘や風車が打ち込まれることによって遊技盤３０が割れるのを防止するためである。
【００４３】
外レール部３１の外側（内レール部３２と反対側）には、外レール部３１（遊技球の案内部）を補強するための案内部補強部材５０が固定されている。案内部補強部材５０の構成については後述する。遊技盤３０の周縁部近傍の対角位置の２箇所には突出ピン６０が立設されている。
【００４４】
また、遊技盤３０の表面には、透光性を有する合成樹脂製のフィルムが貼り付けられている。そのフィルムは、印刷により着色された複数の印刷部が形成されている。それら複数の印刷部は透光性に差が設けられており、透光性のない不透明部分も設けられている。これにより、遊技盤３０の背面側から遊技盤３０に向けて光を照射すれば、印刷部の透光性の差によって印刷部に明暗が生じるので、演出効果を高めることができる。
【００４５】
次に図６及び図７を参照して遊技盤３０について説明する。図６は遊技盤３０の正面図であり、図７は遊技盤３０の背面図である。なお、図６及び図７は、ネジ等が螺挿される下穴（ネジ挿通孔）や釘や風車が打ち込まれる下穴（釘挿通孔）が遊技盤３０に穿設される前の状態を示している。
【００４６】
図６に示すように、遊技盤３０には開口部６１〜６７、孔部６８，６９が厚さ方向に貫通形成されている。開口部６１は可変表示ユニット４３及びセンターフレーム４７が取着される貫通孔であり、開口部６２は突出ピン６０が取着される貫通孔である。開口部６３はスルーゲート３４が取着される貫通孔であり、開口部６４は可変入賞装置３５及び一般入賞口３８が取着される貫通孔である。開口部６５はスルーチャッカー（始動口）３６が取着される貫通孔であり、開口部６６は入賞口３７が取着される貫通孔であり、開口部６７は一般入賞口３８が取着される貫通孔である。
【００４７】
また、孔部６８は、外レール部３１及び内レール部３２（盤面部品の一部）にスポット溶接された嵌合ピン（後述する）が嵌挿される貫通孔であり、外レール部３１及び内レール部３２が配置される略円環状の曲線上に所定の間隔をあけて点在している。孔部６９は案内部補強部材５０が装着される貫通孔であり、遊技盤３０を正面視して左右の中心より左側の下方位置に貫通形成されている。なお、孔部６８，６９は内径（孔径）が小さいので、遊技盤３０の成形後にドリル等により穿設される。
【００４８】
図７に示すように遊技盤３０は、遊技盤３０の背面の略中央部に位置し背面視における外形が略円形状に形成される肉厚部７０と、その肉厚部７０の周囲に形成され背面視における外形が略円形状に形成される傾斜面部７１と、その傾斜面部７１の周囲に形成され背面視における外形が略矩形状に形成される肉薄部７２と、その肉薄部７２の周囲に立設される周縁部補強リブ７３とを備えて一体成形されている。
【００４９】
次に図８を参照して、遊技盤３０の断面形状について説明する。図８は図７のＶＩＩＩ−ＶＩＩＩ線における遊技盤３０の切断部端面図である。図８に示すように、遊技盤３０は盤面側（前面側、図８下側）が平坦面として形成されており、肉厚部７０は、背面側（図８上側）に形成され板厚が略一定に設定されている。傾斜面部７１は、肉厚部７０に連設され遊技盤３０の周縁に近づくにつれて（外周に向かうにつれて）板厚が次第に小さくなるように形成されている。肉薄部７２は、傾斜面部７１の周囲に連設され肉厚部７０の板厚よりも小さい板厚に設定されている。外周縁補強リブ７３は、肉薄部７２の剛性を向上させるための部位であり、肉薄部７２の周囲に連設され肉薄部７２の外周縁から背面側に突出している。なお、外周縁補強リブ７３の高さ（図８上下方向）は肉厚部７０の厚さより大きい値に設定されているので、遊技盤３０を本体枠３の樹脂ベース２０に装着するために外周縁補強リブ７３の背面側端部を樹脂ベース２０の前面に当接させるときに、肉厚部７０が樹脂ベース２０と干渉することを防止できる。
【００５０】
図７に戻って説明する。肉厚部７０は遊技盤３０の背面側の略中央部に位置し、肉厚部７０の前面側には遊技領域ＰＥが形成される。遊技領域ＰＥには遊技球と干渉する釘が植設されるので、遊技領域ＰＥが形成される遊技盤３０の略中央部に肉厚部７０を形成し板厚を確保することで、肉厚部７０に植設される釘の保持力を確保できる。
【００５１】
また、遊技盤３０は、肉厚部７０の板厚が外周縁補強リブ７３の高さより小さく設定されているので、外周縁補強リブ７３の高さを板厚とする一様な厚さの遊技盤と比較して軽量化できる。肉厚部７０の板厚を外周縁補強リブ７３の高さより小さく設定した分だけ、その肉厚部７０の背面側にスペースを設けることができるので、その背面側のスペースに装飾物等を配置することが可能となる。その背面側のスペースにＬＥＤ等の発光素子を配置することも可能となるため、演出効果を向上させることができる。
【００５２】
さらに、肉厚部７０と外周縁補強リブ７３との間に、肉厚部７０より板厚の小さい肉薄部７２が形成されているので、肉厚部７０の板厚と肉薄部７２の板厚との差分だけ合成樹脂量を減らすことができる。これにより遊技盤３０をさらに軽量化できる。また、肉薄部７２の板厚を外周縁補強リブ７３の高さより小さく設定した分だけ、肉薄部７２の背面側にスペースを設けることができるので、その背面側のスペースに装飾物等を配置することが可能となる。その背面側のスペースにＬＥＤ等の発光素子を配置することも可能となるため、演出効果を向上させることができる。
【００５３】
また、肉薄部７２の外周縁に外周縁補強リブ７３が起立されているので、肉薄部７２の剛性を向上できると共に、肉厚部７０及び肉薄部７２の反り等の変形を防止できる。これにより遊技盤３０の盤面の平坦性を確保できる。
【００５４】
肉厚部７０の外周に傾斜面部７１が形成されている。傾斜面部７１は、肉厚部７０から外側に向かうにつれ厚さが次第に小さくなるように設定され肉薄部７２に連成されている。これにより、遊技盤３０の成形時に、肉厚部７０と肉薄部７２との厚さの違いによる変形が生じることを抑制できる。即ち、遊技盤３０は成形金型のキャビティに合成樹脂を溶融充填して成形され、硬化後、成形金型から成形体が取り出される。成形体の冷却速度は、厚さの小さい肉薄部７２の方が厚さの大きい肉厚部７０より速いので、冷却速度の違いにより残留応力が生じ、遊技盤３０に反り等の変形が生じ易くなるが、肉薄部７２と肉厚部７０との間に連成される傾斜面部７１により、冷却速度の違いによる残留応力の発生を緩衝できる。その結果、遊技盤３０に反り等の変形を生じ難くできる。
【００５５】
肉厚部７０と傾斜面部７１との境界に形成される孔部６８は、内レール部３２にスポット溶接された嵌合ピン（後述する）が嵌挿される部位である。肉厚部７０と傾斜面部７１との境界より遊技盤３０の外周縁側に位置し、肉薄部７２や周縁部補強リブ７３に形成される孔部６８は、外レール部３１にスポット溶接された嵌合ピン（後述する）が嵌挿される部位である。孔部６８は、背面側に向かって孔部６８の周囲から起立する円筒状の突出部６８ａが連設されている。孔部６８は遊技盤３０を厚さ方向に貫通している。
【００５６】
孔部６８の周囲に突出部６８ａが形成されているので、孔部６８の周囲の板厚を大きくすることができる。その結果、孔部６８の内周に嵌合ピンが加える単位面積当たりの荷重を小さくできるので、孔部６８の周囲（特に肉薄部７２）に亀裂を生じ難くできる。また、突出部６８ａにより孔部６８の深さ（遊技盤３０の前後方向）を大きくできるので、嵌合ピンの保持力を大きくできる。これにより、外レール部３１や内レール部３２を遊技盤３０の盤面に強固に固定できる。
【００５７】
また、内レール部３２にスポット溶接された嵌合ピンが嵌挿される突出部６８ａ（孔部６８）は肉厚部７０と傾斜面部７１との境界に形成され、突出部６８ａの外周に肉厚部７０及び傾斜面部７１が連設される。肉厚部７０及び傾斜面部７１の板厚は肉薄部７２の板厚より大きいので、肉厚部７０及び傾斜面部７１に対する突出部６８ａの突出長を、肉薄部７２に対する突出部６８ａの突出長より小さくできる。その結果、肉厚部７０及び傾斜面部７１に対する突出部６８ａの曲げモーメントを、肉薄部７２に対する突出部６８ａの曲げモーメントより小さくできるので、肉厚部７０及び傾斜面部７１に突設された突出部６８ａの曲げ強さを、肉薄部７２に突設された突出部６８ａの曲げ強さより向上できる。
【００５８】
加えて、肉厚部７０と傾斜面部７１との境界に形成された突出部６８ａに形成された孔部６８に、内レール部３２にスポット溶接された嵌合ピンが嵌挿される。遊技領域ＰＥが形成される内レール部３２の内側に肉厚部７０を設けることにより、釘や風車等の保持力を確保できる。肉厚部７０と傾斜面部７１との境界に、内レール部３２にスポット溶接された嵌合ピンが嵌挿される突出部６８ａ（孔部６８）を設けることで、肉厚部７０の面積が過剰に増加することを防止できる。遊技領域ＰＥが形成される領域（内レール部３２内）の外側に肉厚部７０を拡大しないようにすることで、遊技盤３０を形成する合成樹脂量を削減し、遊技盤３０の質量が必要以上に大きくなることを防止できる。
【００５９】
アウト口３９は、遊技盤３０の下部位置の肉厚部７０と傾斜面部７１との境界に形成され、遊技盤３０の厚さ方向に貫通している。アウト口３９の周囲には補強リブ３９ａが背面側に向かって立設され、補強リブ３９ａは遊技盤３０と一体に形成されている。補強リブ３９ａは、遊技領域ＰＥからアウト口３９に進入した遊技球の通路を構成すると共に、アウト口３９の周囲を補強し剛性を向上させることができる。
【００６０】
孔部６９は、案内部補強部材５０の嵌合凸部５５（後述する）が嵌挿される部位であり、肉薄部７２に貫通形成されている。孔部６９の周囲に突出部６９ａが形成されているので、孔部６９の周囲の板厚を大きくすることができる。その結果、孔部６９の内周に嵌合凸部が加える単位面積当たりの荷重を小さくできるので、孔部６９の周囲（肉薄部７２）に亀裂を生じ難くできる。また、突出部６９ａにより孔部６９の深さ（遊技盤３０の前後方向）を大きくできるので、嵌合凸部５５の保持力を大きくできる。これにより、案内部補強部材５０を遊技盤３０の盤面に強固に固定できる。
【００６１】
外周縁補強リブ７３は、背面側（図７紙面手前側）の端面の一部を高さ方向に窪ませた（リブの高さを低くした）窪み部７３ａ，７３ｂ，７３ｃが形成されている。窪み部７３ａ，７３ｃは、外周縁補強リブ７３（左右のリブ）の対向位置に形成され、窪み部７３ｂは、窪み部７３ａ，７３ｃが形成された外周縁補強リブ７３（左右のリブ）と交わる外周縁補強リブ７３（下部のリブ）に形成されている。外周縁補強リブ７３の対向位置に窪み部７３ａ，７３ｃが形成されているので、成形された遊技盤３０を、上面に平坦面が形成された台の上に外周縁補強リブ７３を下に向けて（背面側を下に向けて）置いた場合には、その平坦面と遊技盤３０（外周縁補強リブ７３）との間に窪み部７３ａ，７３ｃの分だけ隙間ができる。その隙間に手の指先等を差し込み、差し込んだ指先等を手掛かりとして平坦面の上に置かれた遊技盤３０を持ち上げることができる。
【００６２】
これに対し、外周縁補強リブ７３の背面側の端面に窪み部７３ａ，７３ｂ，７３ｃが形成されていない場合には、上面に平坦面が形成された台の上に外周縁補強リブ７３を下に向けて（背面側を下に向けて）遊技盤３０を置くと、外周縁補強リブ７３の背面側の端面の全周が平坦面に密接する（隙間ができない）。その場合には外周縁補強リブ７３と平坦面（台）との間に手の指先等を差し込み難いので、遊技盤３０を持ち上げ難いという問題が生じる。本実施の形態によれば、外周縁補強リブ７３に窪み部７３ａ，７３ｂ，７３ｃを形成することで、この問題を解決できる。
【００６３】
開口部６２は、突出ピン６０が取着される貫通孔であり、遊技盤３０の対角位置の２箇所に形成されている。開口部６２の周囲には補強リブ６２ａが背面側に向かって立設されており、補強リブ６２ａは外周壁補強リブ６２ａに連成されている。
【００６４】
なお、補強リブ３９ａ，６２ａ、突出部６８ａ，６９ａの高さは周縁部補強リブ７３の高さと略同一に設定されている。これにより、上面に平坦面が形成された台の上に外周縁補強リブ７３を下に向けて（背面側を下に向けて）遊技盤３０が置かれた状態で、遊技盤３０の盤面（前面）に荷重が加えられたときには、補強リブ３９ａ，６２ａ、突出部６８ａ，６９ａ及び周縁部補強リブ７３で荷重を受けることができる。
【００６５】
これに対し、補強リブ３９ａ，６２ａ、突出部６８ａ，６９ａが形成されていない場合には、遊技盤３０が盤面に荷重を受けると、肉厚部７０及び肉薄部７２に曲げ変形が生じる。変形が大きくなると、周縁部補強リブ７３と肉薄部７２との境界近傍が割れてしまうことがある。本実施の形態によれば、補強リブ３９ａ，６２ａ、突出部６８ａ，６９ａの高さを周縁部補強リブ７３の高さと略同一に設定することにより、盤面に受ける荷重により肉厚部７０及び肉薄部７２に曲げ変形が生じることを抑制できるので、この問題を解決できる。
【００６６】
特に、外レール部３１及び内レール部３２を固定するための突出部６８ａは、略半円環状の線上に位置し遊技盤３０に広く点在しているので、遊技盤３０の盤面の特定箇所に集中荷重が負荷された場合にも、遊技盤３０の盤面に大きな曲げ変形が生じることを防止できる。これにより、遊技盤３０に釘を植設したり各種の遊技部品を取着したりするとき等に、遊技盤３０に負荷される荷重によって遊技盤３０が破損することを防止できる。
【００６７】
次に図９を参照して、開口部６２及び突出ピン６０について説明する。図９は図５のＩＸ−ＩＸ線における遊技盤３０の切断部端面図である。図９に示すように、突出ピン６０は、遊技盤３０とは別部材で構成される略円柱状の部材であり、外周面から径方向（図９左右方向）に張り出す鍔部６０ａと、鍔部６０ａから軸方向他方側に延出する嵌挿部６０ｂとが連設されている。嵌挿部６０ｂは開口部６２へ嵌挿される部位であり、鍔部６０ａは、開口部６２へ嵌挿される嵌挿部６０ｂの挿入深さを規制するための部位である。一方、遊技盤３０の盤面には、鍔部６０ａを受け入れる凹陥部６２ｂが形成されている。凹陥部６２ｂは、開口部６２の周囲に鍔部６０ａの厚さと略同一の深さで連設されている。なお、突出ピン６０の直径は、嵌挿部６０ｂの直径（開口部６２の内径）より少し小さめに形成されている。
【００６８】
補強リブ６２ａは、背面側（図９下側）の端面が、周縁部補強リブ７３の背面側（図９下側）の端面と略同一の高さ位置に設定されている。これにより、開口部６２の深さ（図９上下方向）を大きくすることができるので、嵌挿部６０ｂが開口部６２に嵌挿される挿入深さを大きくすることができる。これに対し、補強リブ６２ａが形成されていない場合には、開口部６２の深さは肉薄部７２の板厚と同じになる。その場合には、本実施の形態と比較して、嵌挿部６０ｂを開口部６２に保持する保持力が小さくなり、突出ピン６０がガタついたり抜け易くなったりする。本実施の形態のように補強リブ６２ａを設けることで、それを防止できる。
【００６９】
また、開口部６２に嵌挿部６０ｂを嵌挿した遊技盤３０は、鍔部６０ａがあるので、遊技盤３０の盤面から所定の長さだけ突出ピン６０が突出する。一方、補強リブ６２ａは、背面側（図９下側）に、突出ピン６０の盤面からの突出長より深い窪み（孔）が形成されるように設定される。突出ピン６０の直径は嵌挿部６０ｂの直径（開口部６２の内径）より少し小さめに形成されているので、複数枚の遊技盤３０を積み重ねた場合には、一の遊技盤３０の盤面から突出した突出ピン６０が、他の遊技盤３０の背面側から補強リブ６２ａ内の窪み（孔）に挿入される。その結果、平置きした状態で積み重ねられた遊技盤３０の盤面方向への位置ずれを防止できる。
【００７０】
なお、本実施の形態のように突出ピン６０を遊技盤３０とは別部材として構成することにより、遊技盤３０の成形後、開口部６２に突出ピン６０を嵌合するまでの間、遊技盤３０の盤面から突出ピン６０が突出しないようにできる。これにより、遊技盤３０の成形後、開口部６２に突出ピン６０を嵌合するまでの間、突出ピン６０が遊技盤３０の搬送の妨げになったり突出ピン６０が破損したりすることを防止できる。また、開口部６２に突出ピン６０を嵌合した後、パチンコ機１を組み立てる場合などに突出ピン６０が不要になれば、突出ピン６０を開口部６２から抜き取ることが可能である。これにより、パチンコ機１の組み立て等を円滑に行うことができる。
【００７１】
また、遊技盤３０の成形時に、突出ピン６０を遊技盤３０と一体に形成することも可能である。本実施の形態のように突出ピン６０を遊技盤３０に嵌合する（差し込む）場合には、突出ピン６０を別部材として準備し、突出ピン６０を遊技盤３０に差し込む作業が必要となる。これに対し、突出ピンを遊技盤と一体に形成することにより、突出ピン６０を別部材として準備することを不要にできるので、部品点数を削減できる。また、突出ピン６０を遊技盤３０に差し込む作業を不要にできる。
【００７２】
図１０は複数枚の遊技盤３０を積み重ねた状態を示す模式図である。遊技盤３０は、合成樹脂を成形金型に溶融充填して一体に成形され、平坦な盤面（前面）の背面側に外周縁補強リブ７３が立設される。合成樹脂製の遊技盤３０は、積み重ねて搬送する場合に、従来の木製合板製の遊技盤を積み重ねて搬送する場合と比較して、位置がずれて滑り落ち易いという問題が生じる。合成樹脂製の遊技盤３０は木製合板の遊技盤と比較して、盤面の表面平滑性が高く摩擦係数が小さいので滑り易いからである。
【００７３】
これに対し、本実施の形態によれば、一の遊技盤３０の突出ピン６０を、他の遊技盤３０の補強リブ６２ａ内の窪み（孔）に挿入することで、遊技盤３０を積み重ねて搬送し易くできる。また、外周縁補強リブ７３の端面に形成された窪み部７３ａが作る隙間に手の指先等を差し込み易いので、遊技盤３０を持ち上げ易くできる。また、窪み部７３ａ，７３ｃが外周縁補強リブ７３の対向位置に形成されているので、左右から手の指先等を窪み部７３ａ，７３ｃに差し込むことでバランス良く持ち上げることができる。さらに、窪み部７３ａ，７３ｃが形成された外周縁補強リブ７３（図７左右に位置する）と交差する外周縁補強リブ７３（図７下に位置する）に窪み部７３ｂが形成されているので、遊技盤３０の三方から遊技盤３０を支持することができ、遊技盤３０をバランス良く搬送できる。
【００７４】
次に図１１から図１４を参照して、案内部補強部材５０について説明する。図１１は案内部（外レール部３１）及び案内部補強部材５０を固定した遊技盤３０の部分拡大正面図であり、図１２はその部分拡大背面図であり、図１３は案内部補強部材５０の斜視図である。案内部補強部材５０は、遊技球発射装置２１から発射された遊技球が最初に衝突する外レール部３１が揺動することを防止するための部材である。案内部補強部材５０が外レール部３１に宛がわれることで、外レール部３１の揺動が防止される。その結果、遊技球の軌道や遊技球の遊技領域ＰＥへの飛距離を安定にすることができる。
【００７５】
まず図１１を参照して、外レール部３１について説明する。外レール部３１は金属製（ステンレス製）の帯状の薄板により形成されており、外レール部３１の長手方向の側縁に嵌合ピン３１ａが適宜の間隔をあけてスポット溶接されている。その嵌合ピン３１ａが遊技盤３０に形成された孔部６８に嵌挿されることにより、外レール部３１が遊技盤３０に立設される。
【００７６】
また、外レール部３１は、長手方向の端縁が屈曲されて略Ｕ字状に折り返された屈曲部３１ｂを備えている。屈曲部３１ｂは、外レール部３１の長手方向の端縁が揺動することを防止するための部位であり、遊技球発射装置２１から発射される遊技球が案内される外レール部３１の案内面３１ｃの反対面側（裏面側）に屈曲される。これにより、遊技球発射装置２１から発射された遊技球が外レール部３１の案内面３１ｃに衝突したときに、外レール部３１の縁端側が案内面３１ｃの反対面側（裏面側）に傾動することを防止できる。
【００７７】
案内部補強部材５０は、屈曲部３１ｂと案内部補強部材５０との間に嵌合ピン３１ａが配される位置に設けられる。即ち、案内部補強部材５０は嵌合ピン３１ａ間に配置される。適宜の間隔をあけて嵌合ピン３１ａは外レール部３１に固定されるので、外レール部３１は嵌合ピン３１ａ間で揺動し易い。しかし、嵌合ピン３１ａ間に案内部補強部材５０を配置することで、外レール部３１が嵌合ピン３１ａ間で揺動することを抑制できる。
【００７８】
次に案内部補強部材５０の詳細な構成を説明する。図１１及び図１３に示すように、案内部補強部材５０は合成樹脂製の部材であり、正面視して（遊技盤３０の盤面側から見て）略台形状に形成されると共に外レール部３１の案内面３１ｃの反対面側に位置する基体部５１と、その基体部５１に立設される反対面側突設部５２と、その反対面側突設部５２が立設される向きと反対向きに基体部５１から突設される嵌合凸部５５とを主に備えて構成されている。
【００７９】
基体部５１は、遊技盤３０の盤面に密着すると共に外レール部３１に沿って配置される板状の部位であり、反対面側突設部５２は、基体部５１に対して略垂直に立設されると共に基体部５１の縁部に壁状に設けられる部位である。反対面側突設部５２は外レール部３１に沿わせて設けられ、基体部５１は外レール部３１から離れる方向に後端側が延設されている。その結果、基体部５１及び反対面側突設部５２は、側面視して略Ｌ字状の形状に形成されている。
【００８０】
反対面側突設部５２は、頂部から基体部５１側（盤面側）へ向かって下降傾斜する傾斜部５２ａと、その傾斜部５２ａに連設されると共に外レール部３１に対面して少なくとも一部が接触する接触部５２ｂとを備えている。基体部５１及び反対面側突設部５２の一側縁に嵌合凸部５５が突設されている。また、基体部５１及び反対面側突設部５２の一側縁と対向する他側縁に、反対面側突設部５２に沿って棒状の柱状部５３が立設されている。柱状部５３は反対面側突設部５２の曲げ剛性を向上させるための部位であり、基体部５１及び反対面側突設部５２と一体に形成され、接触部５２ｂの裏面側に位置する。これにより、柱状部５３が形成されていないものと比較して、柱状部５３の軸線方向に対して反対面側突設部５２を曲げ変形し難くすることができる。
【００８１】
本実施の形態では、柱状部５３は、柱状部５３の軸線に沿って略中央に孔部（縦穴部５３ａ）が形成された円筒状に形成されている。柱状部５３を、縦穴部５３ａが形成された円筒状とすることにより、縦穴部５３ａが形成されていない中実状の柱状部（外径は同一とする）と比較して、ねじり剛性を向上しつつ柱状部５３を軽量化できる。その結果、柱状部を、縦穴部５３ａが形成されていない中実状とする場合と比較して、反対面側突設部５２のねじり剛性を向上（変形し難く）しつつ質量が過剰に増加することを防止できる。
【００８２】
柱状部５３は、略三角形状の補強部５４が外周縁の軸線方向に延設されている。補強部５４は柱状部５３を補強するための部材であり、頂部側から底部側に向かうにつれ断面積が次第に大きくなるように設定され、底部が、遊技盤３０の盤面に密着するように設定される。略三角形状の補強部５４が柱状部５３に延設されると共に、柱状部５３の底部が遊技盤３０の盤面に密着するように設定されるので、柱状部５３をさらに曲げ変形し難くできる。
【００８３】
基体部５１は、嵌合凸部５５が突設される一側縁の長さが、一側縁と対向する他側縁の長さより短く設定されている。基体部５１の他側縁が柱状部５３及び補強部５４の底部側に連設されることで、基体部５１の底面積が、基体部５１の一側縁から他側縁に向かうにつれ次第に大きくなるように設定されている。嵌合凸部５５から遠い位置にある基体部５１の底面積を、嵌合凸部５５に近い位置にある基体部５１の底面積より大きくすることで、嵌合凸部５５から遠い位置の底面積不足を防止できる。その結果、嵌合凸部５５から遠い位置の反対面側突設部５２の揺動を抑制できる。
【００８４】
なお、案内部補強部材５０は外レール部３１に沿って配設される基体部５１を備えているので、図１１に示すように、嵌合凸部５５の軸線の位置に対して基体部５１の位置を外レール部３１の端部（屈曲部３１ｂ）側にずらすことができる。その結果、遊技盤３０に外レール部３１を固定する嵌合ピン３１ａの位置と、反対面側突設部５２（接触部５２ｂ）との位置とを近づけることができる。外レール部３１を固定する嵌合ピン３１ａに接触部５２ｂを近づけることにより、嵌合ピン３１ａと接触部５２ｂとの間で外レール部３１を撓み難くできる。その結果、案内部補強部材５０により外レール部３１を効果的に補強できる。
【００８５】
嵌合凸部５５は、遊技盤３０に対して案内部補強部材５０を固定するため、遊技盤３０に形成された孔部６９に嵌合される部位であり、本実施の形態では、略円柱状に形成されている。嵌合凸部５５は、先端に丸みを帯びた縮径部５５ａが形成されている。縮径部５５ａは、軸線と直交する断面の面積が先端側に向かうにつれて次第に小さくなるように設定される部位である。縮径部５５ａが形成されているので、嵌合凸部５５を孔部６９に嵌挿し易くできる。また、嵌合凸部５５及び孔部６９が断面略円形状に形成されているので、嵌合凸部５５を孔部６９に対して回動可能にすることができ、案内部補強部材５０を孔部６９に挿入するときの細かな位置調整を省略できる。その結果、案内部補強部材５０の孔部６９への挿入作業の作業性を向上できる。
【００８６】
図１２を参照して、嵌合凸部５５について説明する。図１２は、案内部（外レール部３１）及び案内部補強部材５０を設置した遊技盤３０の部分拡大背面図である。なお、図１２では、遊技盤３０の盤面に配置される外レール部３１の位置を想像線（二点鎖線）により図示している。
【００８７】
図１２に示すように、嵌合凸部５５は、外周面の一部が窪み状に形成された凹部５６を備えている。凹部５６により嵌合凸部５５の外周面の一部が窪み状に形成されるので、孔部６９に嵌合凸部５５を嵌合するときには、嵌合凸部５５の外周面と孔部６９の内周面との接触面積を小さくできる。その結果、孔部６９に嵌合凸部５５を嵌合するときの孔部６９及び嵌合凸部５５の単位面積あたりの垂直効力を大きくできる。これにより、孔部６９に嵌合凸部５５を嵌合するときに孔部６９又は嵌合凸部５５を変形（弾性変形または塑性変形）させ易くすることができるので、嵌合凸部５５を孔部６９に嵌合し易くできる。
【００８８】
また、凹部５６は、嵌合凸部５５の軸方向に沿って形成されているので、上述した凹部５６の効果を、嵌合凸部５５の軸方向に沿って得ることができる。さらに、凹部５６は嵌合凸部５５の先端から基端に亘って形成されているので、凹部５６の効果を、嵌合凸部５５の先端から基端に亘って得ることができる。
【００８９】
本実施の形態では、凹部５６は、嵌合凸部５５の先端から基端に向けてすりわり状に形成されている。その結果、すりわりによる嵌合凸部５５の弾性変形を利用して、孔部６９に嵌合凸部５５を嵌合させることができる。これにより、嵌合凸部５５を孔部６９に嵌合し易くできる。さらに、嵌合凸部５５の弾性変形を利用することで孔部６９と嵌合凸部５５とに隙間が生じることを防止できる。その結果、孔部６９に嵌合された嵌合凸部５５をガタつき難くできる。
【００９０】
さらに、本実施の形態では、嵌合凸部５５の軸方向（図１２紙面垂直方向）からみた凹部５６のすりわりの方向が、外レール部３１の長手方向と非平行に配置されている。これにより、帯状の外レール部３１の案内面３１ｃに沿って遊技領域ＰＥへ向けて進行する遊技球によって案内面３１ｃが反対面側（図１２下側）に押されたときに、嵌合凸部５５を弾性変形し難くできる。これにより、案内部補強部材５０を傾動させ難くできる。
【００９１】
即ち、嵌合凸部５５は、すりわりの方向と平行な荷重によって弾性変形し難く、すりわりの方向と直交する荷重によって弾性変形し易い。すりわりの方向と平行な荷重が嵌合凸部５５に負荷されると、スリット状の凹部５６の隙間を小さくするように嵌合凸部５５が変形するからである。そのため、嵌合凸部５５のすりわりの方向を外レール部３１の長手方向と平行となるように案内部補強部材５０を配置すれば、外レール部３１の案内面３１ｃが反対面側に押されたときには、嵌合凸部５５の弾性変形により外レール部３１が傾動し易い。これに対し、嵌合凸部５５のすりわりの方向を外レール部３１の長手方向と非平行となるように案内部補強部材５０を配置すれば、外レール部３１の案内面３１ｃが反対面側に押されたときに嵌合凸部５５を弾性変形し難くできる。これにより、案内部補強部材５０を傾動させ難くできる。
【００９２】
特に、外レール部３１の長手方向と凹部５６のすりわりの方向とを直交させることにより、すりわりの方向と平行な荷重によって嵌合凸部５５を最も弾性変形させ難くできる。これにより、外レール部３１の傾動につれて案内部補強部材５０が一緒に傾動してしまうことを抑制できる。その結果、遊技球の進行に伴って外レール部３１が傾動することを抑制することができ、外レール部３１に沿って進行する遊技球の軌道や飛距離を安定させることができる。
【００９３】
なお、外レール部３１の長手方向と凹部５６のすりわりの方向とを非直交とすることにより、すりわりの方向と平行な荷重によって嵌合凸部５５の弾性変形を利用することは可能である。特に、外レール部３１の長手方向と凹部５６のすりわりの方向とを平行とすることにより、嵌合凸部５５の弾性変形を最も積極的に利用することが可能となる。遊技球の進行による外レール部３１の傾動につれて、案内部補強部材５０（反対面側突設部５２）を一緒に傾動させて嵌合凸部５５を弾性変形させ、その嵌合凸部５５の復元力により、案内部補強部材５０（反対面側突設部５２）及び外レール部３１を元の位置に復元させることが可能である。嵌合凸部５５の弾性変形を利用することにより、繰り返し入力される荷重（遊技球による荷重）によって案内部補強部材５０が破損することを抑制できる。その結果、外レール部３１の傾動を案内部補強部材５０が規制できなくなることを抑制することができ、外レール部３１に沿って進行する遊技球の軌道や飛距離を安定させることができる。
【００９４】
また、嵌合凸部５５には、嵌合凸部５５の略中央に軸線（図１２紙面垂直方向）に沿って、凹部５６に連設された断面略円形状の凹欠部５６ａが形成されている。凹欠部５６ａが形成されているので、嵌合凸部５５の略中央（軸線付近）の断面積を小さくすることができる。これにより、軸線方向視における凹部５６の両側の嵌合凸部５５の断面形状を略扇状にすることができる。その結果、すりわりの方向と平行な荷重が嵌合凸部５５に負荷されるときに、凹欠部５６ａの断面積を小さくするように嵌合凸部５５を変形させることができる。これにより、凹欠部５６ａによる嵌合凸部５５の弾性変形を利用して、孔部６９に嵌合凸部５５を嵌合させることができる。これにより、嵌合凸部５５を孔部６９に嵌合し易くできる。
【００９５】
なお、凹欠部５６ａによる嵌合凸部５５の弾性変形量は、凹部５６による嵌合凸部５５の弾性変形量より小さいので、すりわりの方向（図１２略上下方向）における嵌合凸部５５の弾性変形量と、すりわりと直交する方向（図１２略左右方向）における嵌合凸部５５の弾性変形量とを異ならせることができる。具体的には、すりわりの方向（図１２略上下方向）における嵌合凸部５５の弾性変形量を、すりわりと直交する方向（図１２略左右方向）における嵌合凸部５５の弾性変形量より小さくできる。従って、凹欠部５６ａが形成された場合に案内部補強部材５０を傾動させ難くする効果が損なわれることを防止できる。
【００９６】
なお、外レール部３１に固定された嵌合ピン３１ａが孔部６８に嵌挿される突出部６８ａの端面には、孔部６８（内周面）から外周面に亘って端面の一部が窪んだ端面溝部６８ｂが形成されている。端面溝部６８ｂは、遊技盤３０の盤面に配置される外レール部３１の長手方向に沿う向きに形成されている。突出部６８ａの端面に端面溝部６８ｂが形成されているので、外レール部３１を遊技盤３０に配置するときに外レール部３１を配置する向きを間違え難くできる。
【００９７】
図１１に戻って説明する。図１１に示すように案内部補強部材５０は、反対面側突設部５２と対峙して外レール部３１の案内面３１ｃ側に配設されると共に案内面３１ｃに接触する案内面側突設部５７を備えている。図１１及び図１３に示すように、案内面側突設部５７は、嵌合凸部５５の基端側（図１１紙面手前側）の軸方向の一部に突設されている。案内面側突設部５７と反対面側突設部５２との間には、外レール部３１が挿入される溝部５８が形成されている。
【００９８】
次に図１４を参照して、案内面側突設部５７及び溝部５８について説明する。図１４は図１１のＸＩＶ−ＸＩＶ線における遊技盤３０の断面図である。図１４に示すように案内面側突設部５７は、外レール部３１の厚さと略等しい間隔をあけて反対面側突設部５２と対峙して配設されている。反対面側突設部５２は外レール部３１の高さと略同一の高さに設定されているが、案内面側突設部５７は、反対面側突設部５２の高さより低く設定されている。具体的には、外レール部３１に沿って移動する遊技球Ｂを干渉しないような高さに設定されている。
【００９９】
案内部補強部材５０は案内面側突設部５７を備えているので、反対面側突設部５２及び案内面側突設部５７の間の溝部５８に外レール部３１が保持される。案内部補強部材５０の反対面側突設部５２及び案内面側突設部５７により外レール部３１が両側から保持されるので、外レール部３１の傾動を確実に防止できる。
【０１００】
また、外レール部３１の案内面３１ｃ側に配設される案内面側突設部５７は、反対面側突設部５２の高さより低く設定されているので、案内面３１ｃに沿う遊技球Ｂの進行を案内面側突設部５７が妨害しないようにできる。案内面側突設部５７に遊技球Ｂが干渉すると、遊技球Ｂの運動エネルギーの損失が生じ遊技領域ＰＥへ案内される遊技球Ｂの飛距離が不安定になるが、これを防止できるので、遊技領域ＰＥへ案内される遊技球Ｂの飛距離が不安定になることを防止できる。
【０１０１】
なお、図１４に示すように凹部５６は、中実状の嵌合凸部５５の基端（基端部５５ｂ）を残して嵌合凸部５５の先端（図１４下側）からすりわり状に形成されている。これにより、中実状の嵌合凸部５５の基端部５５ｂを孔部６９（盤面側）に嵌合させることができる。中実状の嵌合凸部５５の基端部５５ｂを孔部６９（盤面側）に嵌合させることで、孔部６９に対して嵌合凸部５５のガタつきが生じることを防止できる。さらに、嵌合凸部５５の先端側に凹部５６が形成されているので、嵌合凸部５５又は孔部６９の弾性変形または塑性変形させ易くすることができ、嵌合凸部５５を孔部６９に嵌合し易くできる。
【０１０２】
なお、嵌合凸部５５（基端部５５ｂ）の外周面と孔部６９との隙間は、反対面側突設部５２及び案内面側突設部５７の間の溝部５８に保持される外レール部３１と反対面側突設部５２又は案内面側突設部５７との隙間より小さな値に設定されている。孔部６９に嵌挿された嵌合凸部５５（基端部５５ｂ）のガタつきを防止する一方、外レール部３１を遊技盤３０に固定するときに、反対面側突設部５２及び案内面側突設部５７の間の溝部５８への外レール部３１の挿入を容易にするためである。なお、反対面側突設部５２又は案内面側突設部５７と外レール部３１とに隙間が形成されても、外レール部３１は嵌合ピン３１ａによって遊技盤３０に固定されるので、遊技盤３０に対する外レール部３１のガタつきは防止できる。
【０１０３】
以上のように外レール部３１の傾動を規制する案内部補強部材５０は、遊技盤３０の盤面に窪み状に形成された孔部６９に嵌合する嵌合凸部５５と、その嵌合凸部５５に突設されると共に外レール部３１の案内面３１ｃの反対面側に接触する反対面側突設部５２とを備えている。案内部補強部材５０は、遊技盤３０の盤面に窪み状に形成された孔部６９に嵌合凸部５５が嵌合し、その嵌合凸部５５に突設される反対面側突設部５２が外レール部３１の案内面３１ｃの反対面側に接触する。これにより、案内面３１ｃに沿って遊技領域ＰＥへ向けて進行する遊技球によって、案内面３１ｃが反対面側に押されて帯状の外レール部３１が外側に傾動することを抑制できる。遊技球を遊技領域ＰＥに案内する外レール部３１の傾動を抑制できるので、遊技領域ＰＥへ案内される遊技球の軌道や飛距離を安定させることができる。
【０１０４】
即ち、案内面３１ｃに沿って遊技領域ＰＥへ向けて進行する遊技球によって案内面３１ｃが反対面側に押されて帯状の外レール部３１が傾動すると、遊技球の軌道が変化したり遊技球の運動エネルギーの損失が生じたりする。その結果、遊技領域ＰＥへ案内される遊技球の軌道や飛距離が不安定になることがある。
【０１０５】
これに対し、本実施の形態によれば、外レール部３１の案内面３１ｃの反対面側に反対面側突設部５２が接触するように案内部補強部材５０を配置することで、案内面３１ｃに沿って遊技領域ＰＥへ向けて進行する遊技球によって外レール部３１が傾動することを抑制できる。これにより、遊技領域ＰＥへ案内される遊技球の軌道や飛距離を安定させることができる。
【０１０６】
また、嵌合凸部５５は、外周面の一部が窪み状に形成された凹部５６を備えているので、孔部６９に嵌合凸部５５を嵌合するときの嵌合凸部５５の外周面と孔部６９の内周面との接触面積を小さくできる。その結果、孔部６９に嵌合凸部５５を嵌合するときの孔部６９及び嵌合凸部５５の単位面積あたりの垂直効力を大きくできる。これにより、孔部６９に嵌合凸部５５を嵌合するときに孔部６９又は嵌合凸部５５を変形（弾性変形または塑性変形）させ易くすることができるので、嵌合凸部５５を孔部６９に嵌合し易くできる。
【０１０７】
また、凹部５６は、嵌合凸部５５の先端から基端（基端部５５ｂ）に向けてすりわり状に形成されているので、すりわりによる嵌合凸部５５の弾性変形を利用して、孔部６９に嵌合凸部５５を嵌合させることができる。その結果、嵌合凸部５５を孔部６９に嵌合し易くできると共に、嵌合凸部５５の弾性変形を利用することで孔部６９と嵌合凸部５５とに隙間が生じることを防止できるので、孔部６９に嵌合された嵌合凸部５５をガタつき難くできる。
【０１０８】
また、嵌合凸部５５の軸方向からみた凹部５６のすりわりの方向が、外レール部３１の長手方向と非平行に配置されているので、帯状の外レール部３１の案内面３１ｃに沿って遊技領域ＰＥへ向けて進行する遊技球によって案内面３１ｃが反対面側に押されたときに、嵌合凸部５５を弾性変形し難くできる。これにより、外レール部３１が傾動することを抑制できる。その結果、遊技領域ＰＥへ案内される遊技球の軌道や飛距離をさらに安定させることができる。
【０１０９】
また、案内部補強部材５０は、反対面側突設部５２と対峙する案内面側突設部５７を備えているので、案内面３１ｃ及び反対面の両方から外レール部３１が保持される。これにより、外レール部３１の傾動を確実に防止できる。その結果、遊技領域ＰＥへ案内される遊技球の軌道や飛距離をさらに安定させることができる。さらに、案内面側突設部５７は、対峙する反対面側突設部５２の高さより低く設定されているので、案内面３１ｃに沿う遊技球と案内面側突設部５７との干渉を防止できる。
【０１１０】
また、反対面側突設部５２は、頂部から嵌合凸部５５の軸方向外側へ向かって下降傾斜する傾斜部５２ａと、その傾斜部５２ａに連設されると共に外レール部３１の反対面と対面しつつ反対面の少なくとも一部が接触する接触部５２ｂとを備えているので、案内部補強部材５０及び外レール部３１を遊技盤３０の盤面に配置する作業を容易化できる。
【０１１１】
即ち、案内部補強部材５０及び外レール部３１を遊技盤３０の盤面に配置する場合には、まず、案内部補強部材５０の嵌合凸部５５の長さの半分程度を、遊技盤３０の孔部６９に挿入する。嵌合凸部５５にはすりわり状に凹部５６が形成されているので、遊技盤３０の孔部６９に挿入するときには、すりわり状の凹部５６の間隔を狭めるように嵌合凸部５５が変形する。よって、遊技盤３０の孔部６９に、嵌合凸部５５の長さの半分程度を挿入する作業を容易にできる。
【０１１２】
次いで、案内部補強部材５０の接触部５２ｂに外レール部３１が対面するように、反対面側突設部５２の傾斜部５２ａに沿わせて外レール部３１を配置する。傾斜部５２ａは頂部から嵌合凸部５５の軸方向外側へ向かって下降傾斜しており、接触部５２ｂは傾斜部５２ａに連設されているので、傾斜部５２ａに沿って、外レール部３１をスムーズに接触部５２ｂへ配置させることができる。
【０１１３】
なお、遊技盤３０の盤面と直交方向に外レール部３１を移動させて外レール部３１を遊技盤３０に近づけるときは、外レール部３１の側縁が傾斜部５２ａに当接すれば、外レール部３１が遊技盤３０に近づくにつれて傾斜部５２ａが盤面に対して水平方向に押され、案内部補強部材５０は嵌合凸部５５を中心として回動する。外レール部３１が傾斜部５２ａから離脱して接触部５２ｂと対面すると、案内部補強部材５０を回動させる力は生じないので、案内部補強部材５０の位置が決まる。
【０１１４】
さらに、接触部５２ｂと案内面側突設部５７との間の溝部５８に外レール部３１を収装させつつ、外レール部３１に固着された嵌合ピン３１ａを孔部６８に嵌挿していく。嵌合ピン３１ａが孔部６８に差し込まれるにつれ、外レール部３１の側縁に嵌合凸部５５の基端側端面が押されて、嵌合凸部５５は次第に孔部６９に嵌入される。これにより、外レール部３１を遊技盤３０の盤面へ配置する配置作業の作業性を向上できる。
【０１１５】
なお、嵌合凸部５５の基端部５５ｂは中実状に形成されているので、基端部５５ｂは孔部６９に嵌め込まれる。これにより、嵌合凸部５５が孔部６９内でガタつくことを防止できる。
【０１１６】
また、遊技盤３０の肉薄部７２に突出部６９ａが背面側に向かって突出され、その突出部６９ａ及び肉薄部７２に孔部６９が貫通形成されているので、孔部６９に嵌合される嵌合凸部５５の嵌合深さを確保できる。孔部６９に嵌合される嵌合凸部５５の嵌合深さが大きくなるにつれ、孔部６９に嵌合された嵌合凸部５５が軸方向と直交する方向に揺動し難くなる傾向がみられるので、孔部６９に嵌合される嵌合凸部５５の嵌合深さを確保することで、遊技盤３０に固定された案内部補強部材５０を揺動し難くできる。遊技盤３０に固定された案内部補強部材５０を揺動し難くすることで、遊技球を遊技領域ＰＥに案内する外レール部３１の傾動を抑制できるので、遊技領域ＰＥへ案内される遊技球の軌道や飛距離をさらに安定させることができる。
【０１１７】
また、肉薄部７２に突出部６９ａを連成し、その突出部６９ａ及び肉薄部７２に孔部６９を貫通形成するので、孔部６９を形成するために肉厚部７０の面積を広げることを不要にできる。肉薄部７２に連成される突出部６９ａ（孔部６９を除く）の分だけ遊技盤３０の質量は増加するが、肉厚部７０の面積を広げる必要がないので、遊技盤３０の質量の増加を抑えることができる。さらに、孔部６９が貫通形成された突出部６９ａは孔部６９の周囲の肉薄部７２の剛性を高めるリブの機能を発揮するので、孔部６９の周囲の肉薄部７２の剛性を確保できる。従って、肉厚部７０に釘を植設して釘の保持力を確保すると共に、遊技盤３０の剛性を確保しつつ遊技盤３０を軽量化できる。加えて、遊技領域ＰＥへ案内される遊技球の軌道や飛距離をさらに安定させることができる。
【０１１８】
次に図１５を参照して、他の実施形態における案内部補強部材５０を説明する。なお、第１実施の形態と同一の部分については、同一の符号を付して以下の説明を省略する。図１５（ａ）は他の実施形態における案内部補強部材８０を設置した遊技盤３０の部分拡大背面図であり、図１５（ｂ）は他の実施形態における案内部補強部材９０を設置した遊技盤３０の部分拡大背面図である。なお、図１５（ａ）及び図１５（ｂ）では、遊技盤３０に形成された孔部６９に盤面（前面）側から案内部補強部材８０，９０の嵌合凸部８５，９５を嵌合し、遊技盤３０の背面側から見た状態を図示している。
【０１１９】
図１５（ａ）に示す案内部補強部材８０は、嵌合凸部８５の外周面の軸対称位置の２箇所に軸線方向（図１５（ａ）紙面垂直方向）に沿って外周面の一部が窪み状に形成された凹部８６を備えている。嵌合凸部８５は、外周面の一部が窪み状に形成された凹部８６を備えているので、孔部６９に嵌合凸部８５を嵌合するときの嵌合凸部８５の外周面と孔部６９の内周面との接触面積を小さくできる。その結果、孔部６９に嵌合凸部８５を嵌合するときの孔部６９及び嵌合凸部８５の単位面積あたりの垂直効力を大きくできる。これにより、孔部６９に嵌合凸部８５を嵌合するときに孔部６９又は嵌合凸部８５を変形（弾性変形または塑性変形）させ易くすることができるので、嵌合凸部８５を孔部６９に嵌合し易くできる。
【０１２０】
また、嵌合凸部８５の略中心に嵌合凸部８５の先端から嵌合凸部８５の軸線方向に沿って断面円形状の凹欠部８５ａが形成されている。凹欠部８５ａにより嵌合凸部８５の断面積を小さくすることで、嵌合凸部８５に作用する垂直効力によって嵌合凸部８５を弾性変形させ易くできる。これにより、嵌合凸部８５を孔部６９にさらに嵌合し易くできるので、嵌合凸部８５を孔部６９に嵌挿するときの作業性を向上できる。さらに、嵌合凸部８５を弾性変形させ易くすることにより、孔部６９に対する嵌合凸部８５のガタつきを防止できる。
【０１２１】
特に、凹部８６が、嵌合凸部８５の軸線方向に沿って２箇所が切り取られたような形状に形成されているので、嵌合凸部８５の外周面が過剰に小さくなることを防ぎ、孔部６９の内周面との接触面積を確保できる。嵌合凸部８５の外周面の単位面積当たりの垂直効力が過大になることを防止できるので、嵌合凸部８５の外周面が座屈する等の変形を抑制できる。これにより、嵌合凸部８５の外周面と孔部６９の内周面とに隙間が生じて、嵌合凸部８５にガタつきが生じる等の問題が生じることを抑制できる。
【０１２２】
図１５（ｂ）に示す案内部補強部材９０は、嵌合凸部９５の外周面の軸対称位置の４箇所に軸線方向（図１５（ｂ）紙面垂直方向）に沿って外周面の一部が窪み状に形成された凹部９６を備えている。嵌合凸部９５は、外周面の一部が窪み状に形成された凹部９６を備えているので、孔部６９に嵌合凸部９５を嵌合するときの嵌合凸部９５の外周面と孔部６９の内周面との接触面積を小さくできる。その結果、孔部６９に嵌合凸部９５を嵌合するときの孔部６９及び嵌合凸部９５の単位面積あたりの垂直効力を大きくできる。これにより、孔部６９に嵌合凸部９５を嵌合するときに孔部６９又は嵌合凸部９５を変形（弾性変形または塑性変形）させ易くすることができるので、嵌合凸部９５を孔部６９に嵌合し易くできる。
【０１２３】
また、嵌合凸部９５の略中心に嵌合凸部９５の先端から嵌合凸部９５の軸線方向に沿って断面円形状の凹欠部９５ａが形成されている。凹欠部９５ａにより嵌合凸部９５の断面積を小さくすることで、嵌合凸部９５に作用する垂直効力によって嵌合凸部９５を弾性変形させ易くできる。これにより、嵌合凸部９５を孔部６９にさらに嵌合し易くできるので、嵌合凸部９５を孔部６９に嵌挿するときの作業性を向上できる。さらに、嵌合凸部９５を弾性変形させ易くすることにより、孔部６９に対する嵌合凸部９５のガタつきを防止できる。
【０１２４】
次に図１６を参照して、第２実施の形態について説明する。第１実施の形態では、遊技盤３０の厚さ方向に貫通形成される開口部６１の外周縁が、遊技盤３０の外周縁の内側で連続する（遊技盤３０の外周縁が閉じている）場合について説明した。これに対し第２実施の形態では、開口部１６１が、遊技盤１３０の厚さ方向に貫通形成されると共に遊技盤１３０の外周縁の一部が開放される場合について説明する。なお、第１実施の形態と同一の部分については、同一の符号を付して以下の説明を省略する。図１６は、第２実施の形態におけるパチンコ機１の主要な構成である遊技盤１３０及び構造物１７０の正面図である。
【０１２５】
図１６に示すように遊技盤１３０は、遊技盤１３０の厚さ方向（図１６紙面垂直方向）に貫通形成されると共に遊技盤１３０の外周縁の一部が開放される開口部１６１と、その開口部１６１の周縁同士を連結する構造物１７０とを備えている。本実施の形態では、正面視して右側に位置する遊技盤１３０の外周縁の一部が開口部１６１により開放されている。開口部１６１が形成されることにより、遊技盤１３０は盤面が略Ｃ型に形成されている。
【０１２６】
構造物１７０は、遊技盤１３０の開口部１６１の周縁の一の所定部１６１ａと他の所定部１６１ｂとの間に連結されている。本実施の形態では、構造物１７０は、正面視して略矩形状に形成され、遊技盤１３０の外周縁に沿って開口部１６１の２箇所を連結している。なお、遊技盤１３０及び構造物１７０は、第１実施の形態で説明した遊技盤３０と同様に、透光性を有する合成樹脂により形成されている。また、外周縁の一部が構造物１７０で閉鎖された開口部１６１の内側には、第１実施の形態と同様に、図柄表示装置４３ａ（図５参照）が配置される。
【０１２７】
次に図１７を参照して、遊技盤１３０と構造物１７０との連結構造について説明する。図１７は遊技盤１３０及び構造物１７０の斜視図である。なお、図１７では、遊技盤１３０に対して構造物１７０を分離した状態を示している。図１７に示すように、構造物１７０は、略直方体の箱状に形成される本体部１７２と、その本体部１７２の前面側から上下（遊技盤３０の盤面と略平行方向）両側に張り出して鍔状に形成される係合部１７１とを主に備えて構成されている。
【０１２８】
本体部１７２には、複数の図柄を変動表示する図柄表示装置（図示せず）が内蔵され、本体部１７２の前面には液晶ディスプレイ等の図柄表示部１７３（飾り部）が配設されている。図柄表示部１７３は、液晶ディスプレイに制限されるものではなく、ＣＲＴ、ドットマトリックス、７セグメント等その他の表示画面を適宜選択することが可能である。
【０１２９】
係合部１７１には、構造物１７０を遊技盤１３０に固定するためのネジ等の軸状部材が螺挿される挿通孔１７４が貫通形成されている。
【０１３０】
遊技盤１３０は、開口部１６１の周縁の一部に、構造物１７０に設けられた係合部１７１を受け入れる連結部（被係合部）１３１が形成されている。連結部１３１は、構造物１７０に設けられる係合部１７１と係合して構造物１７０の位置決めをするための部位である。
【０１３１】
本実施の形態では、連結部１３１は、遊技盤１３０の盤面から一段低く設定された段差状の平坦面として設けられている。遊技盤１３０の盤面に対する連結部１３１の深さ（図１７左右方向）は、係合部１７１の厚さ（図１７左右方向）と略同一に設定されている。
【０１３２】
また、連結部１３１の背面側には光散乱部１３２が設けられている。光散乱部１３２は、遊技盤１３０の背面側に配置されるＬＥＤ等の発光部１８１（後述する）から遊技盤１３０に照射される光を散乱させるための部位である。光散乱部１３２は、縦向き若しくは横向きに設けられる突条、縦横に交差する向きに設けられる突条、又は波状の突起等により形成されている。
【０１３３】
なお、連結部１３１には、構造物１７０（係合部１７１）に形成された挿通孔１７４を軸方向に連ねてネジ等の軸状部材が螺挿される挿通孔１３３が貫通形成されている。挿通孔１３３，１７４に螺挿されるネジ等の軸状部材により連結部１３１と係合部１７１とが連結されることによって、遊技盤１３０に構造物１７０を連結させることができる。
【０１３４】
次に図１８を参照して光散乱部１３２について説明する。光散乱部１３２は連結部１３１の背面側に突条や突起状等の部位として形成されている。連結部１３１（遊技盤１３０）の背面側には支持体１８０が設置され、その支持体１８０の面方向に複数のＬＥＤ等の発光部１８１が点在されている。
【０１３５】
発光部１８１から照射された光（図１８では二点鎖線で示す）は、空気と光散乱部１３２との屈折率の違いにより、光散乱部１３２（被係合部１３１）に入るとき及び出るときに屈折する。従って、発光部１８１を発光させれば、光が多数に分散化された状態、又は立体感を伴った状態の電飾が実現できる。これにより、図柄表示部１７３（飾り部）による演出効果に加え、発光部１８１からの光による演出効果を向上できる。
【０１３６】
また、遊技盤１３０（連結部１３１）の背面側（裏面）に光散乱部１３２を設けることにより、遊技盤１３０の成形時に光散乱部１３２を遊技盤１３０と一体形成できる。その結果、光散乱部１３２を簡易に製造することができる。
【０１３７】
また、遊技盤１３０の盤面（表面）を突条や突起状に加工して光散乱部１３２を設ける場合には、光散乱部１３２の凹凸が遊技球の動きに干渉してしまうのに対し、遊技盤１３０の背面（裏面）に光散乱部１３２を設ける場合には、光散乱部１３２（凹凸）による遊技球の動きの干渉を考慮する必要がない。これにより遊技盤１３０の設計の自在性を確保することができる。
【０１３８】
また、遊技盤１３０（連結部１３１）の背面側（裏面）に光散乱部１３２を設ける場合には、光散乱部１３２の形状を比較的自由に設計することができる。遊技盤１３０の外周縁には、背面側に向かって起立する外周縁補強リブ７３（図１７参照）が設けられているので、外周縁補強リブ７３により遊技盤１３０の背面側（裏面側）に空間を確保できるからである。
【０１３９】
また、光散乱部１３２で光を散乱させることにより、挿通孔１３３，１７４に螺挿されるネジ等の軸状部材（図示せず）の影が、遊技盤１３０の盤面や構造物１７０の前面から視認されることを防止できる。光散乱部１３２で光を散乱させることにより、軸状部材（図示せず）の前方に光を回り込ませることができるからである。これにより、光散乱部１３２により散乱される光によって遊技盤１３０と構造物１７０との継ぎ目部分（連結部１３１及び係合部１７１）を視認し難くできると共に、遊技盤１３０と構造物１７０との継ぎ目部分の演出効果を向上できる。
【０１４０】
以上のように構成されたパチンコ機１によれば、遊技盤１３０の厚さ方向に貫通形成された開口部１６１は遊技盤１３０の外周縁の一部が開放され、開口部１６１の周縁の２箇所が構造物１７０により連結される。これにより、構造物１７０を、遊技盤１３０の厚さ方向の空間を使用した立体的なものにできる。構造物１７０は図柄表示部１７３（飾り部）を備えているので、遊技盤１３０の厚さ方向の空間を利用した立体的な演出を実施することができる。これにより、遊技の興趣を大いに高めることができる。
【０１４１】
ここで、表示装置や役物等の部品を遊技盤の盤面に取着する従来の構造では、奥行き方向の広がりが乏しいので、似かよった演出が採用され易く、遊技の興趣を高め難い。また、従来の木製の合板（ベニヤ）で作成される遊技盤では、木製合板の加工性や機械的強度を考慮すると、遊技盤の外周縁の一部を開放する開口部を設ける構造は採用し難い。
【０１４２】
これに対し、本実施の形態によれば、周縁部（周縁部補強リブ７３）の一部が開放する開口部１６１が形成された合成樹脂製の遊技盤１３０を使用することにより、遊技盤１３０の厚さ方向の空間を使用した立体的な構造物１７０を採用することができる。その結果、遊技盤１３０の厚さ方向の空間を利用した立体的な演出を実施することができる。これにより、遊技の興趣を大いに高めることができる。
【０１４３】
また、図柄を変動表示する表示部を有する図柄表示装置４３ａ（図５参照）を開口部１６１に備え、構造物１７０は、図柄表示装置４３ａの周辺に配置される構成とすることで、構造物１７０の図柄表示部１７３（飾り部）により、図柄表示装置４３ａの平面的な図柄演出のみならず、遊技盤１３０の厚さ方向の空間を利用した立体的な演出を実現することができる。さらに、構造物１７０が図柄表示部１７３（飾り部）を有する遊技部品としてユニット化されているので、構造物１７０の遊技盤１３０への装着や交換作業等を容易に行うことができる。
【０１４４】
次に図１９及び図２０を参照して、他の実施形態における遊技盤１３０及び構造物１９０について説明する。なお、第１実施の形態および第２実施の形態で説明した構成と同一の部分は、同一の符号を付して以下の説明を省略する。図１９は他の実施形態における遊技盤１３０及び構造物１９０の正面図であり、図２０は構造物１９０の内部構造を示す模式図である。
【０１４５】
図１９に示すように、構造物１９０は、遊技盤１３０に貫通形成された開口部１６１の周縁の２箇所を連結するための部材であり、本実施の形態では、遊技盤１３０の開放した外周縁（図１９右側の縁）に沿って配置されている。なお、遊技盤１３０の外周縁の一部が構造物１９０で閉鎖された開口部１６１の内側には、第１実施の形態と同様に、図柄表示装置４３ａ（図５参照）が配置される。構造物１９０は、正面視矩形状に形成された本体部１７１と、その本体部１７１の前面側（図１９紙面手前側）に配置されると共に本体部１７１に対して回転可能に構成される回転体１９２（可動演出部材）とを備えて構成されている。
【０１４６】
図２０に示すように、回転体１９２は中心に設けられる軸部１９３に支持されている。その軸部１９３は、回転体１９２の背面側（図２０右側）に延設されると共に、支持部材（図示せず）により本体部１９１に回転可能に支持される。軸部１９３はギヤ１９４に嵌挿され、回転体１９２及び軸部１９３はギヤ１９４と一体に回転可能に構成されている。ギヤ１９４はウォーム１９５と係合し、そのウォーム１９５はモータ１９６により回転可能に構成されている。従って、モータ１９６を回転するとウォーム１９５が回転し、そのウォーム１９５に係合するギヤ１９４が回転するので、軸部１９３及び回転体１９２が回転する。
【０１４７】
モータ１９６の回転が、スルーチャッカー（始動口）３６等への遊技球の入賞をトリガとして開始されるように設定すれば、図柄表示装置４３ａ及び回転体１９２（可動演出部材）による多彩な演出を実現することが可能となる。
【０１４８】
また、遊技盤１３０の厚さ方向の空間を利用して回転体１９２の駆動部（モータ１９６）が配置されるので、パチンコ機１という限られた空間において駆動部（モータ１９６）を配置するスペースを有効活用できる。その結果、遊技盤１３０に対面して遊技を行う遊技者に視認される回転体１９２（可動演出部材）の設計の自由度を向上でき、多彩な演出を実現することができる。
【０１４９】
また、構造物１９０には、遊技球が上下方向に通過する球通路１９７が設けられている。また、球通路１９７は、遊技盤１３０に設けられた球通路１６２（遊技球が通過する）に連通されている。球通路１９７により遊技球を構造物１９０に導くことができるので、遊技の興趣を向上させることができる。
【０１５０】
なお、球通路１９７は、遊技球の動きと干渉して遊技球の流下速度を低減させたり遊技球の流下方向を変更させたりする干渉部（クルーンやステージ等の役物、釘、風車、ワープルート等）を設けることが可能である。
【０１５１】
次に図２１から図２３を参照して、第３実施の形態から第５実施の形態について説明する。第２実施の形態では、遊技盤１３０の厚さ方向に開口部１６１が貫通形成されると共に遊技盤１３０の外周縁の一部が開放され、その開口部１６１に配置される構造物１７０，１９０が遊技盤１３０の開口部１６１に連結される場合について説明した。これに対し第３実施の形態から第５実施の形態では、開口部１６１以外の部位に、構造物２２０，２３０，２４０が設置される場合について説明する。なお、第１実施の形態および第２実施の形態と同一の部分については、同一の符号を付して以下の説明を省略する。
【０１５２】
まず、図２１を参照して、遊技盤２１０について説明する。図２１は遊技盤２１０の正面図である。図２１に示すように遊技盤２１０は、遊技盤２１０の厚さ方向（図２１紙面垂直方向）に貫通形成されると共に遊技盤２１０の外周縁の一部が開放される開口部２１１を備えている。本実施の形態では、正面視して右側および上側に位置する遊技盤１３０の外周縁の一部が開口部２１１により開放されている。遊技盤２１０は、正面視して開口部２１１の左側（遊技盤２１０の左側の領域）で遊技を行うものとして設定される。従って、正面視して右側および上側に位置する遊技盤１３０の外周縁の一部が開口部２１１により開放されていても、遊技には影響がない。なお、遊技盤２１０は、第３実施の形態から第５実施の形態に亘って用いられる。
【０１５３】
次に図２２（ａ）を参照して、第３実施の形態について説明する。図２２（ａ）は第３実施の形態におけるパチンコ機２０１の模式平面図である。なお、図２２（ａ）では、開口部２１１を識別し易くするため、遊技盤２１０及び構造物２２０にハッチングを施している。
【０１５４】
パチンコ機２０１は、本体枠３に遊技盤２１０が装着され、前扉枠４の背面側に構造物２２０が配設固定されている。構造物２２０は、外枠２及び本体枠３に対して前扉枠４を閉じた場合に、遊技盤２１０の開口部２１１内に挿入される。構造物２２０は、前面扉４から視認可能な位置に、可動式や固定式の飾り、表示装置等が配置されている。これにより、可動式や固定式の飾り、表示装置等を遊技盤２１０の盤面に配置する場合と比較して、構造物２２０の大きさ（上下左右の大きさや前後方向の奥行き）や配置の自由度を向上できる。これにより、遊技の演出の自由度を向上できる。その結果、遊技の興趣を大いに高めることができる。
【０１５５】
次に図２２（ｂ）を参照して、第４実施の形態について説明する。図２２（ｂ）は第４実施の形態におけるパチンコ機３０１の模式平面図である。なお、図２２（ｂ）では、開口部２１１を識別し易くするため、遊技盤２１０及び構造物２３０にハッチングを施している。
【０１５６】
パチンコ機３０１は、本体枠３に遊技盤２１０が装着され、その本体枠３に構造物２３０が配設固定されている。構造物２３０は、本体枠３に装着された遊技盤２１０の開口部２１１側（図２２（ｂ）右側）に配置されている。これにより、遊技盤２１０の開口部２１１内に構造物２３０が配置される。構造物２３０は、前面扉４から視認可能な位置に、可動式や固定式の飾り、表示装置等が配置されている。これにより、可動式や固定式の飾り、表示装置等を遊技盤２１０の盤面に配置する場合と比較して、構造物２３０の大きさ（上下左右の大きさや前後方向の奥行き）や配置の自由度を向上できる。また、構造物２３０は本体枠３に装着されるので、前扉枠４の構造を変更することなく、パチンコ機３０１を組み立てることができる。
【０１５７】
次に図２３を参照して、第５実施の形態について説明する。図２３は第５実施の形態におけるパチンコ機４０１の模式平面図である。なお、図２３では、開口部２１１を識別し易くするため、遊技盤２１０及び構造物２４０にハッチングを施している。
【０１５８】
パチンコ機４０１は、遊技盤２１０の背面に固定された構造物２４０が、遊技盤２１０の開口部２１１内に配置されている。本体枠３に遊技盤２１０が装着され、外枠２及び本体枠３に対して開閉扉４が開閉可能に支持される。構造物２４０は、前面扉４から視認可能な位置に、可動式や固定式の飾り、表示装置等が配置されている。これにより、可動式や固定式の飾り、表示装置等を遊技盤２１０の盤面に配置する場合と比較して、構造物２４０の大きさ（上下左右の大きさや前後方向の奥行き）や配置の自由度を向上できる。また、構造物２３０は遊技盤２１０に装着されるので、本体枠３及び前扉枠４の構造を変更することなく、パチンコ機４０１を組み立てることができる。
【０１５９】
次に図２４から図３６を参照して第６実施の形態について説明する。第１実施の形態では、釘（障害釘）やレール部材、各種の遊技部品等（盤面部品）が配置される前の遊技盤３０（合成樹脂製板）を積み重ねるときに最適なパチンコ機１の実施形態について説明した。これに対し第６実施の形態では、釘（障害釘）やレール部材等の盤面部品を配置した遊技盤５３０（合成樹脂製板）を積み重ねるときにも最適なパチンコ機の実施形態について説明する。なお、第１実施の形態で説明した部分と同一の部分については、同一の符号を付して以下の説明を省略する。
【０１６０】
図２４は第６実施の形態におけるパチンコ機の主要な構成である遊技盤５３０（遊技部品等を配置した）の正面図である。遊技盤５３０は、射出成形によって一体成形される透光性を有する合成樹脂製の部材（合成樹脂製板）であり、第１実施の形態で説明した遊技盤３０（図２参照）に代えて、本体枠３に取着される。遊技盤５３０の盤面に配置された外レール部３１の下端側（図２４下側）に、案内部補強部材５５０が配置されている。
【０１６１】
図２５は各種遊技部品等が配置される前の遊技盤５３０（合成樹脂製板）の正面図であり、図２６は各種遊技部品等が配置される前の遊技盤５３０の背面図である。
【０１６２】
図２６に示すように遊技盤５３０は、遊技盤５３０の背面の略中央部に位置し背面視における外形が略円形状に形成される肉厚部７０と、その肉厚部７０の周囲に形成され背面視における外形が略円形状に形成される傾斜面部７１と、その傾斜面部７１の周囲に形成され背面視における外形が略矩形状に形成される肉薄部７２と、その肉薄部７２の周囲に立設される周縁部補強リブ５３１とを備えて一体成形されている。
【０１６３】
なお、周縁部補強リブ５３１以外の遊技盤５３０の板状の部位（肉厚部７０、傾斜面部７１及び肉薄部７２）は「板部」と称す。この遊技盤５３０の板部には、前後方向に貫通する大小複数の開口部６１〜６６（図２５参照）が形成される。各開口部６１〜６６にはスルーゲート３４、可変入賞装置３５、スルーチャッカー（始動口）３６、入賞口３７、一般入賞口３８、可変表示ユニット４３及びセンターフレーム４７等の盤面部品（遊技部品等、図２４参照）がそれぞれ設けられる。
【０１６４】
外周縁補強リブ５３１は、肉薄部７２の剛性を向上させるための部位であり、肉薄部７２の周囲に連設され肉薄部７２の外周縁から背面側に突出している。遊技盤５３０の厚さ方向（図２６紙面垂直方向）における外周縁補強リブ５３１の高さは、後述する窪み部５３１ａ，５３１ｂ、レール受け５３１ｃ，５３１ｄ以外の部位が、肉薄部７２（板部の一部）の全周に亘って同一に設定されている。また、外周縁補強リブ５３１の高さ（図２６紙面垂直方向）は肉厚部７０の厚さより大きい値に設定されている。また、肉厚部７０の板厚は外周縁補強リブ５３１の高さより小さく設定され、肉厚部７０と外周縁補強リブ５３１との間に、肉厚部７０より板厚の小さい肉薄部７２が形成されている。
【０１６５】
外周縁補強リブ５３１には、背面側（図２６紙面手前側）の端面の一部を高さ方向に窪ませた（リブの高さを低くした）窪み部５３１ａ，５３１ｂ、外周縁レール受け５３１ｃ，５３１ｄが形成されている。窪み部５３１ａ及び外周縁レール受け５３１ｄは外周縁補強リブ５３１（左右のリブ）の対向位置に形成され、窪み部５３１ｂは、窪み部５３１ａ及び外周縁レール受け５３１ｄが形成された外周縁補強リブ５３１（左右のリブ）と交わる外周縁補強リブ５３１（下部のリブ）に形成されている。遊技盤５３０の厚さ方向（図２６紙面垂直方向）における窪み部５３１ａ，５３１ｂの高さ、外周縁レール受け５３１ｃ，５３１ｄの高さは、同一の値に設定されている。即ち、外周縁補強リブ５３１の端面に対する窪み部５３１ａ，５３１ｂ、外周縁レール受け５３１ｃ，５３１ｄの深さは同一の値に設定されている。
【０１６６】
外周縁補強リブ５３１の対向位置に窪み部５３１ａ及び外周縁レール受け５３１ｄが形成されているので、成形された遊技盤５３０を、上面に平坦面が形成された台の上に外周縁補強リブ５３１を下に向けて（背面側を下に向けて）置いた場合には、その平坦面と遊技盤５３０（外周縁補強リブ５３１）との間に窪み部５３１ａ及び外周縁レール受け５３１ｄの分だけ隙間ができる。その隙間に手の指先等を差し込み、差し込んだ指先等を手掛かりとして平坦面の上に置かれた遊技盤５３０を持ち上げることができる。
【０１６７】
外レール部３１及び内レール部３２を装着するための孔部６８の周囲に、レール受け（突出部）５３２，５３３が形成されている。レール受け５３２，５３３は、外レール部３１及び内レール部３２が装着された遊技盤５３０を複数枚積み重ねたときに、他の遊技盤５３０の外レール部３１及び内レール部３２の側縁を受けるための部位である。レール受け５３２，５３３は、略円柱状の形状をなし、遊技盤５３０の背面から遊技盤５３０の厚さ方向（図２６紙面垂直方向）に沿って背面側（図２６紙面手前側）に向かって突設されている。
【０１６８】
遊技盤５３０の上端側に位置するレール受け５３４は、遊技盤５３０の製造工程等において位置決め基準となる基準穴５３４ａ（図３０参照）の周囲に形成され、外周縁補強リブ５３１に連設されている。また、遊技盤５３０の下端側に形成されたアウト口３９の周囲には補強リブ５３５が背面側に向かって立設されている。
【０１６９】
次に図２７から図３１を参照して、遊技盤５３０の各部について説明する。図２７（ａ）は図２６のＸＸＶＩＩａで示す部分を拡大して示した遊技盤５３０の部分拡大背面図であり、図２７（ｂ）は図２６の矢印ＸＸＶＩＩｂ方向から見た遊技盤５３０の部分拡大側面図である。なお、図２７（ａ）では、遊技盤５３０の盤面（図２７（ａ）紙面奥側の面）に配置される外レール部３１を破線で図示している。
【０１７０】
図２７（ａ）及び図２７（ｂ）に示すように、レール受け５３２は、遊技盤５３０の背面に突設される略円柱状の部位であり、外レール部３１を装着するための孔部６８が、軸方向（図２７（ａ）紙面垂直方向）に沿って貫通形成されている。レール受け５３２の軸方向端面には、孔部６８を挟んで対峙すると共に軸方向外側（図２７（ａ）紙面手前側）に向かって延びる突部５３２ａ，５３２ｂが突設されている。
【０１７１】
突部５３２ａ，５３２ｂは互いに所定の間隔をあけて対向する受け面５３２ａ１，５３２ｂ１を有し、受け面５３２ａ１，５３２ｂ１の間隔は、外レール部３１の厚さより大きい値に設定されている。レール受け５３２の軸方向端面としての受け部５３２ｃが突部５３２ａ，５３２ｂ間に設けられる。受け部５３２ｃは、盤面５３０ａ側に配置された外レール部３１を盤面側５３０ａから遊技盤５３０の厚さ方向（図２７（ａ）紙面垂直方向）に投影したときに、遊技盤５３０の厚さ方向と直交する直交平面（図２７（ａ）紙面）に示される外レール部３１の投影線の一部と重なるように（突部５３２ａ，５３２ｂは投影線と干渉しないように）設けられている。
【０１７２】
外周縁レール受け５３１ｃは、遊技盤５３０の背面に突設される突条状の部位であり、本実施の形態では、外周縁補強リブ５３１の端面の一部を平坦状に窪ませることにより外周縁補強リブ５３１と一体に形成されている。外周縁レール受け５３１ｃを外周縁補強リブ５３１と一体に形成することにより、外周縁補強リブ５３１を肉薄部７２（板部）の全周に亘って設けることができる。その結果、外周縁補強リブ５３１を分断して、その分断した位置に外周縁レール受け５３１ｃを設ける場合と比較して、肉薄部７２（板部）の剛性（特にねじり剛性）を確保することができる。
【０１７３】
外周縁レール受け５３１ｃは、外周縁補強リブ５３１の端面から外周縁レール受け５３１ｃに向かって下降する傾斜部５３１ｃ１により外周縁補強リブ５３１と連成されている。外周縁レール受け５３１ｃが外周縁補強リブ５３１と傾斜部５３１ｃ１で連成されているので、傾斜部５３１ｃが形成されておらず角張っているものと比較して、物との接触による破損を防止することができる。
【０１７４】
外周縁レール受け５３１ｃは、盤面５３０ａ側に配置された外レール部３１を遊技盤５３０の厚さ方向（図２７（ａ）紙面垂直方向）に投影したときに、遊技盤５３０の厚さ方向と直交する直交平面（図２７（ａ）紙面）に示される投影線の一部と重なるように設けられている。
【０１７５】
図２７（ｂ）に示すように、盤面５３０ａから外周縁レール受け５３１ｃまでの距離（外周縁レール受け５３１ｃの高さ）は、盤面５３０ａから外周縁補強リブ５３１の端面までの距離（外周縁補強リブ５３１の高さ）より小さい値に設定されている。また、外周縁レール受け５３１ｃの高さは、盤面５３０ａからレール受け５３２の受け部５３２ｃまでの距離（受け部５３２ｃの高さ）と同一の値に設定されている。盤面５３０ａからレール受け５３２の突部５３２ａ，５３２ｂの端面までの距離（レール受け５３２の突部５３２ａ，５３２ｂの高さ）は、外周縁補強リブ５３１の高さと同一の値に設定されている。
【０１７６】
次に、図２８（ａ）は図２６のＸＸＶＩＩＩａで示す部分を拡大して示した遊技盤５３０の部分拡大背面図であり、図２８（ｂ）は図２６の矢印ＸＸＶＩＩＩｂ方向から見た遊技盤５３０の部分拡大側面図である。なお、図２８（ａ）では、遊技盤５３０の盤面（図２８（ａ）紙面奥側の面）に配置される外レール部３１及び内レール部３２を破線で図示している。
【０１７７】
図２８（ａ）及び図２８（ｂ）に示すように、レール受け５３２は、遊技盤５３０の傾斜面部７１に設けられており、内レール部３２を装着するための孔部６８が、軸方向（図２８（ａ）紙面垂直方向）に沿って貫通形成されている。レール受け５３２の軸方向端面に突設される突部５３２ａ，５３２ｂは、盤面５３０ａ側に配置された内レール部３２を盤面側５３０ａから遊技盤５３０の厚さ方向（図２８（ａ）紙面垂直方向）に投影したときに、遊技盤５３０の厚さ方向と直交する直交平面（図２８（ａ）紙面）に示される内レール部３２の投影線と干渉しない位置に設けられている。
【０１７８】
外周縁レール受け５３１ｄは、遊技盤５３０の背面に突設される突条状の部位であり、本実施の形態では、外周縁補強リブ５３１の端面の一部を平坦状に窪ませることにより外周縁補強リブ５３１と一体に形成されている。なお、外周縁レール受け５３１ｄは、外周縁補強リブ５３１の端面から外周縁レール受け５３１ｄに向かって下降する傾斜部５３１ｄ１により外周縁補強リブ５３１と連成されている。
【０１７９】
外周縁レール受け５３１ｄは、遊技盤５３０の内側に向かって膨出する膨出部５３１ｅが外周縁レール受け５３１ｄの高さ方向（図２８（ａ）紙面垂直方向）に亘って連成されている。膨出部５３１ｅが外周縁レール受け５３１ｄ（外周縁補強リブ５３１）に連成されることで、膨出部５３１ｅが連成された部分の外周縁レール受け５３１ｄ（外周縁補強リブ５３１）の幅（肉厚）を大きくすることができる。膨出部５３１ｅが連成された外周縁レール受け５３１ｄ（外周縁補強リブ５３１）の高さ方向に沿って孔部６８を形成することにより、外周縁レール受け５３１ｄの機械的強度を確保し、孔部６８が破壊の起点となることを防止できる。外レール部３１を装着する孔部６８が外周縁補強リブ５３１に形成されているので、遊技盤５３０の周縁近傍に外レール部３１を配置することができ、ひいては遊技領域を拡大できる。
【０１８０】
なお、外周縁レール受け５３１ｄは、盤面５３０ａ側に配置された外レール部３１を遊技盤５３０の厚さ方向（図２８（ａ）紙面垂直方向）に投影したときに、遊技盤５３０の厚さ方向と直交する直交平面（図２８（ａ）紙面）に示される外レール部３１の投影線の一部と重なるように設けられている。
【０１８１】
図２８（ｂ）に示すように、盤面５３０ａから外周縁レール受け５３１ｄまでの距離（外周縁レール受け５３１ｄの高さ）は、盤面５３０ａから外周縁補強リブ５３１の端面までの距離（外周縁補強リブ５３１の高さ）より小さい値に設定されている。また、外周縁レール受け５３１ｄの高さは、盤面５３０ａからレール受け５３２の受け部５３２ｃまでの距離（受け部５３２ｃの高さ）と同一の値に設定されている。盤面５３０ａからレール受け５３２の突部５３２ａ，５３２ｂの端面までの距離（レール受け５３２の突部５３２ａ，５３２ｂの高さ）は、外周縁補強リブ５３１の高さと同一の値に設定されている。
【０１８２】
次に、図２９（ａ）は図２６のＸＸＩＸａで示す部分を拡大して示した遊技盤５３０の部分拡大背面図であり、図２９（ｂ）は図２６の矢印ＸＸＩＸｂ方向から見た遊技盤５３０の部分拡大側面図である。なお、図２９（ａ）では、遊技盤５３０の盤面（図２９（ａ）紙面奥側の面）に配置される外レール部３１及び内レール部３２を破線で図示している。
【０１８３】
図２９（ａ）及び図２９（ｂ）に示すように、レール受け５３２は、遊技盤５３０の傾斜面部７１に設けられており、内レール部３２を装着するための孔部６８が、軸方向（図２９（ａ）紙面垂直方向）に沿って貫通形成されている。レール受け５３２の軸方向端面に突設される突部５３２ａ，５３２ｂは、盤面５３０ａ側に配置された内レール部３２を盤面側５３０ａから遊技盤５３０の厚さ方向（図２９（ａ）紙面垂直方向）に投影したときに、遊技盤５３０の厚さ方向と直交する直交平面（図２９（ａ）紙面）に示される内レール部３２の投影線と干渉しない位置に設けられている。
【０１８４】
レール受け５３３は、遊技盤５３０の肉薄部７２に設けられており、外レール部３１を装着するための孔部６８が、軸方向（図２９（ａ）紙面垂直方向）に沿って貫通形成されている。図２９（ｂ）に示すように、レール受け５３３は、軸方向端面に平坦面状の受け部５３３ａが形成されている。盤面５３０ａから受け部５３３ａまでの距離（レール受け５３３の高さ）は、盤面５３０ａから外周縁補強リブ５３１の端面までの距離（外周縁補強リブ５３１の高さ）より小さい値に設定されている。また、レール受け５３３の高さは、盤面５３０ａからレール受け５３２の受け部５３２ｃまでの距離（受け部５３２ｃの高さ）と同一の値に設定されている。
【０１８５】
なお、案内部補強部材５５０の嵌合凸部５５を保持する突出部６９ａの軸方向端面、及び、外レール部３１の嵌合ピン３１ａを保持する突出部６８ａの軸方向端面に形成された端面溝部６８ｂ（図１２参照）もレール受け（背面側当接部の一部）の受け部として機能する。それらの盤面５３０ａからの高さも、受け部５３２ｃの高さと同一の値に設定されている。
【０１８６】
次に、図３０（ａ）は図２６のＸＸＸａで示す部分を拡大して示した遊技盤５３０の部分拡大背面図であり、図３０（ｂ）は図２６の矢印ＸＸＸｂ方向から見た遊技盤５３０の部分拡大側面図である。なお、図３０（ａ）では、遊技盤５３０の盤面（図３０（ａ）紙面奥側の面）に配置される外レール部３１を破線で図示している。
【０１８７】
図３０（ａ）及び図３０（ｂ）に示すように、レール受け５３２は、遊技盤５３０の傾斜面部７１に設けられており、外レール部３１を装着するための孔部６８が、軸方向（図３０（ａ）紙面垂直方向）に沿って貫通形成されている。レール受け５３２の軸方向端面に突設される突部５３２ａ，５３２ｂは、盤面５３０ａ側に配置された外レール部３１を盤面側５３０ａから遊技盤５３０の厚さ方向（図２９（ａ）紙面垂直方向）に投影したときに、遊技盤５３０の厚さ方向と直交する直交平面（図２９（ａ）紙面）に示される外レール部３１の投影線と干渉しない位置に設けられている。
【０１８８】
レール受け５３４は、遊技盤５３０の製造工程等において位置決め基準となる基準穴５３４ａ（図３０参照）の近傍に形成され、外周縁補強リブ５３１に連成されている。レール受け５３４は、外レール部３１及び内レール部３２が装着された遊技盤５３０を複数枚積み重ねたときに、他の遊技盤５３０の外レール部３１の側縁を受けるための部位である。レール受け５３４は、半円柱状の形状をなし、遊技盤５３０の背面から遊技盤５３０の厚さ方向（図３０（ａ）紙面垂直方向）に沿って突設されている。
【０１８９】
レール受け５３４は、平面状の受け面５３４ｂが、遊技盤５３０の厚さ方向（図３０（ａ）紙面垂直方向）に沿って外周縁補強リブ５３１と略平行な面としてレール受け５３４の外周面に形成されている。受け面５３４ｂの下端には、受け部５３４ｃが遊技盤５３０の内側に向かって延設されている。受け部５３４ｃは、盤面５３０ａ側に配置された外レール部３１を盤面側５３０ａから遊技盤５３０の厚さ方向（図３０（ａ）紙面垂直方向）に投影したときに、遊技盤５３０の厚さ方向と直交する直交平面（図３０（ａ）紙面）に示される外レール部３１の投影線の一部と重なるように設けられている。
【０１９０】
図３０（ｂ）に示すように、盤面５３０ａからレール受け５３４の軸方向端面までの距離（レール受け５３４の高さ）は、盤面５３０ａから外周縁補強リブ５３１の端面までの距離（外周縁補強リブ５３１の高さ）と同一に設定されている。また、盤面５３０ａから受け部５３４ｃまでの距離（受け部５３４ｃの高さ）は、外周縁補強リブ５３１の高さより小さい値に設定されている。また、受け部５３４ｃの高さは、盤面５３０ａからレール受け５３２の受け部５３２ｃまでの距離（受け部５３２ｃの高さ）と同一の値に設定されている。受け部５３４ｃが遊技盤５３０の外周縁補強リブ５３１の上辺と連成されているので、遊技盤５３０を積み重ねたときに位置を規制する安定性に優れる。
【０１９１】
次に、図３１（ａ）は図２６のＸＸＸＩａで示す部分を拡大して示した遊技盤５３０の部分拡大背面図であり、図３１（ｂ）は図３１（ａ）のＸＸＸＩｂ−ＸＸＸＩｂ線における切断部端面図である。なお、図３１（ａ）では、遊技盤５３０の盤面（図３１（ａ）紙面奥側の面）に配置される内レール部３２を破線で図示している。
【０１９２】
図３１（ａ）に示すように、レール受け５３２は、遊技盤５３０の傾斜面部７１に設けられており、内レール部３２を装着するための孔部６８が、軸方向（図３１（ａ）紙面垂直方向）に沿って貫通形成されている。アウト口３９の周囲には遊技盤５３０の背面に円環状の補強リブ５３５が立設されており、孔部６８はアウト口３９の左右両側に形成されている。これにより、遊技領域ＰＥに設けられた入球部に入球できなかった遊技球が流入するアウト口３９の両側で、内レール部３２を遊技盤５３０に強固に固定できる。
【０１９３】
内レール部３２は、アウト口３９の位置で内レール部３２が遊技盤５３０の外周縁側に向かって折曲され湾出した湾出部３２ａを備えている。湾出部３２ａは、アウト口３９に遊技球を流入し易くするための部位であり、遊技領域ＰＥを流下して内レール部３２の下端に到達した遊技球を、湾出部３２ａによりアウト口３９に速やかに流入させることができる。
【０１９４】
補強リブ５３５は、アウト口３９の左右の位置に逃げ部５３５ａが設けられており、その逃げ部５３５ａの両側に壁部５３５ｂが立設されている。逃げ部５３５ａは、盤面５３０ａ側に配置された内レール部３２を盤面側５３０ａから遊技盤５３０の厚さ方向（図３１（ａ）紙面垂直方向）に投影したときに、遊技盤５３０の厚さ方向と直交する直交平面（図３１（ａ）紙面）に示される内レール部３２の投影線と交差する位置に設けられている。壁部５３５ｂによって規定される逃げ部５３５ａの幅（図３１（ａ）上下方向）は、受け部５３２ｃの幅より大きめに設定されている。
【０１９５】
図３１（ｂ）に示すように逃げ部５３５ａは、レール受け５３２の受け部５３２ｃより盤面５３０ａ側に設けられている。盤面５３０ａからレール受け５３２の軸方向端面までの距離（レール受け５３２の高さ）は、盤面５３０ａから補強リブ５３５の端面までの距離（補強リブ５３５の高さ）と同一に設定されている。また、盤面５３０ａから逃げ部５３５ａまでの距離（逃げ部５３５ａの高さ）は、盤面５３０ａから受け部５３２ｃまでの距離（受け部５３２ｃの高さ）と同一の値に設定されている。
【０１９６】
次に図３２及び図３３（ａ）を参照して、複数の遊技盤５３０を積み重ねたときの状態を説明する。図３２及び図３３（ａ）は複数枚の遊技盤５３０を積み重ねた状態を模式的に示す切断部端面図である。遊技盤５３０の製造工程では、まず、合成樹脂製の遊技盤用の板材に、嵌合ピン３１ａ，３２ａ等を取着するための孔部６８や釘（障害釘）５３６を嵌挿するための下穴（取付穴）が形成される。次いで、釘５３６を植設し、風車等の小型部品（図示せず）や外レール部３１及び内レール部３２を取着する。次に、大型の入賞装置や制御回路基板等の大型部品（図示せず）を組み付ける。大型部品の組み付けは、作業が煩雑化するので工程能力が低下する。その工程能力のアンバランスにより、製造途中の遊技盤５３０が工程間で一時的に滞留することがある。そのような場合には、釘５３６、外レール部３１及び内レール部３２が取着された製造途中の遊技盤５３０を一時的に積み重ね、次工程待ちの滞留した遊技盤５３０を待機させる。
【０１９７】
遊技盤５３０においては、外周縁補強リブ５３１の高さ、レール受け５３２，５３４の高さ及び補強リブ５３５の高さは盤面５３０ａに対して同一の値に設定されているので、遊技盤５３０の背面側を下に向けて待機場所の平坦面Ｇに平置きできる。また、外周縁補強リブ５３１は肉薄部７２の全周に突設されると共に、略円形状に形成された肉厚部７０の周りにレール受け５３２，５３４及び補強リブ５３５が分散されているので、外周縁補強リブ５３１、レール受け５３２，５３４及び補強リブ５３５に荷重を分散させて負担させることができる。
【０１９８】
平坦面Ｇに平置きされた遊技盤５３０の上に他の遊技盤５３０を積み重ねるときは、遊技盤５３０の盤面５３０ａに立設された外レール部３１及び内レール部３２の側縁に、他の遊技盤５３０のレール受け５３２，５３３，５３４の受け部５３２ｃ，５３３ａ，５３４ｃを当接させる。さらに、他の遊技盤５３０の外周縁レール受け５３１ｃ，５３１ｄ（図３３参照）に、外レール部３１及び内レール部３２の側縁を当接させる。帯状の外レール部３１及び内レール部３２は同一の幅に構成され、受け部５３２ｃ，５３３ａ，５３４ｃ、外周縁レール受け５３１ｃ，５３１ｄは盤面５３０ａに対して同一の高さに設定されているので、外レール部３１及び内レール部３２の側縁に、受け部５３２ｃ，５３３ａ，５３４ｃ、外周縁レール受け５３１ｃ，５３１ｄを介して遊技盤５３０を安定に載置できる。
【０１９９】
これを繰り返すことで、次々に遊技盤５３０を積み重ねることができる。その結果、積み重ねられた上方の遊技盤５３０の荷重を外レール部３１及び内レール部３２が受けるので、遊技盤５３０の盤面５３０ａに植設された釘５３６が遊技盤５３０の背面に非接触となる場合には、積み重ねられた下方の遊技盤５３０の釘５３６に加わる上方の遊技盤５３０の荷重をゼロにできる。また、遊技盤５３０の盤面５３０ａに植設された釘５３６が遊技盤５３０の背面に接触する場合でも、積み重ねられた下方の遊技盤５３０の釘５３６に加わる上方の遊技盤５３０の荷重を、レール受け５３２，５３３，５３４、外周縁レール受け５３１ｃ，５３１ｄ及び外レール部３１、内レール部３２に分散させて小さくできる。これにより、遊技盤５３０を積み重ねたときに、遊技盤５３０に植設された釘５３６が曲がる等の悪影響が生じることを防止できる。
【０２００】
なお、外レール部３１及び内レール部３２は、盤面５３０ａを正面視して円弧状に湾曲して遊技盤５３０の盤面５３０ａに配置されるので、遊技盤５３０の厚さ方向（図３２上下方向）の剛性を確保できる。よって、積み重ねられた上方の遊技盤５３０の荷重が外レール部３１及び内レール部３２に加わったときに、外レール部３１及び内レール部３２が折れ曲がる等の不具合が生じることを防止できる。従って、盤面５３０ａに植設された釘５３６、外レール部３１及び内レール部３２に悪影響を及ぼすことなく遊技盤５３０を積み重ねることを可能にできる。
【０２０１】
また、レール受け５３２，５３３，５３４（受け部５３２ｃ，５３３ａ，５３４ｃ）は、遊技盤５３０の背面と他の遊技盤５３０の盤面５３０ａとが対向するように複数の遊技盤５３０を積み重ねた場合に、盤面５３０ａに植設された釘５３６が遊技盤５３０の背面に非接触となるように遊技盤５３０の厚さ方向における高さが設定されている。その結果、積み重ねられた下方の遊技盤５３０の釘５３６に加わる上方の遊技盤５３０の荷重をゼロにできる。その結果、遊技盤５３０を積み重ねたときに、遊技盤５３０に植設された釘５３６が曲がる等の悪影響が生じることを確実に防止できる。
【０２０２】
また、遊技盤５３０の背面にレール受け５３２，５３３，５３４（受け部５３２ｃ，５３３ａ，５３４ｃ）（背面側当接部）が設けられているので、盤面５３０ａからの釘５３６の突出長を、外レール部３１及び内レール部３２の高さと同一ないしは大きくできる。その場合、遊技盤５３０を本体枠３（図２参照）に取着し前扉枠４を閉じてパチンコ機１を構成すると、前扉枠４に取着されたガラス１４の背面と釘５３６の先端（端部）との隙間を小さくできる。そのため、遊技中にガラス１４の背面と釘５３６の先端との間に遊技球が挟まってしまう不具合が生じることを抑制できる。
【０２０３】
また、レール受け５３２，５３４は、外レール部３１及び内レール部３２の長手方向の側面に沿う受け面５３２ａ１，５３２ｂ１，５３４ｂが、受け部５３２ｃ，５３４ｃから遊技盤５３０の厚さ方向に突設されている。これにより、積み重ねられた遊技盤５３０の位置が外レール部３１及び内レール部３２の長手方向と直交する方向にずれると、受け面５３２ａ１，５３２ｂ１，５３４ｂが外レール部３１及び内レール部３２に突き当たり、それ以上の遊技盤５３０の位置ずれが防止される。その結果、受け部５３２ｃ，５３４ｃに外レール部３１及び内レール部３２の側縁が当接した状態を維持できるので、積み重ねられた上方の遊技盤５３０が滑落することを抑制できる。
【０２０４】
また、外レール部３１及び内レール部３２は、それらの側縁から外レール部３１及び内レール部３２の幅方向外側に向けて嵌合ピン３１ａ，３２ａが突設されている。一方、遊技盤５３０は、嵌合ピン３１ａ，３２ａが嵌挿される孔部６８が形成され、孔部６８に嵌合ピン３１ａ，３２ａが嵌挿されることにより遊技盤５３０に外レール部３１及び内レール部３２が装着される。その孔部６８はレール受け５３２，５３３の位置に形成されているので、遊技盤５３０の厚さ方向のレール受け５３２，５３３の高さの分だけ孔部６８の深さを確保できる。これにより、孔部６８に嵌挿される嵌合ピン３１ａ，３２ａの保持力を大きくできる。よって、嵌合ピン３１ａ，３２ａを遊技盤５３０に強固に固定することで、外レール部３１及び内レール部３２を遊技盤５３０に強固に固定できる。
【０２０５】
また、補強リブ５３５（図３１（ａ）参照）の左右に、受け部５３２ｃより幅広の逃げ部５３５ａが形成されているので、内レール部３２に形成された湾出部３２ａが、積み上げられた遊技盤５３０の補強リブ５３５と干渉することを防止できる。また、逃げ部５３５ａ（図３１（ｂ）参照）は、盤面５３０ａからの高さが受け部５３２ｃより低く設定されているので、湾出部３２ａの高さ（図３１（ａ）紙面垂直方向）が内レール部３２の高さより大きな値に設定された場合であっても、湾出部３２ａが、積み上げられた遊技盤５３０の逃げ部５３５ａと干渉することを防止できる。これにより、複数の遊技盤５３０を積み上げて待機している間に、湾出部３２ａが塑性変形して形状が変化する等の悪影響が湾曲部３２ａに生じることを防止できる。
【０２０６】
また、外周縁レール受け５３１ｃ，５３１ｄは、遊技盤５３０の厚さ方向における高さが、外周縁補強リブ５３１より小さい値に設定されているので、平坦面Ｇの上に外周縁補強リブ５３１を下に向けて遊技盤５３０を置いた場合には、その平坦面Ｇと遊技盤５３０との間に外周縁レール受け５３１ｃ，５３１ｄの分だけ隙間ができる。その隙間に手の指先等を差し込み、差し込んだ指先等を手掛かりとして平坦面Ｇの上に置かれた遊技盤５３０を持ち上げることができる。
【０２０７】
これに対し、遊技盤５３０の厚さ方向における外周縁レール受け５３１ｃ，５３１ｄの高さが、外周縁補強リブ５３１の高さより大きい値に設定されている場合には、平坦面Ｇの上に置かれた遊技盤５３０にガタつきが生じる。遊技盤５３０はこの問題を解消することができ、外周縁補強リブ５３１を下に向けて平坦面Ｇに平置きされた遊技盤５３０のガタつきを防止して安定に静置できる。さらに、平置きされた遊技盤５３０を持ち上げる場合に、外周縁レール受け５３１ｃ，５３１ｄに差し込んだ指先等を手掛かりにすることができ、製造途中の遊技盤５３０や完成した遊技盤５３０の取扱性を向上できる。
【０２０８】
また、外周縁レール受け５３１ｃ，５３１ｄは、遊技盤５３０の厚さ方向における高さが、レール受け５３２，５３３，５３４（受け部５３２ｃ，５３３ａ，５３４ｃ）と同一の値に設定されているので、遊技盤５３０の背面と他の遊技盤５３０の盤面５３０ａとが対向するように複数の遊技盤を積み重ねた場合に、複数の遊技盤５３０の盤面５３０ａを略平行にできる。その結果、複数の遊技盤５３０を略鉛直に積み重ねることができ、積み上げた遊技盤５３０を滑落し難くできる。さらに、遊技盤５３０の外レール部３１が、積み重ねられた遊技盤５３０の外周縁レール受け５３１ｃ，５３１ｄと干渉することが防止される。その結果、複数の遊技盤５３０を積み重ねて待機する間に、外レール部３１が変形する等の悪影響が生じることを防止できる。
【０２０９】
また、複数の遊技盤５３０を積み重ねると、外レール部３１は、他の遊技盤５３０に設けられた突出部（レール受け）６９ａ、レール受け５３３（肉薄部７２に立設されたもの）、レール受け５３２，５３４及び外周縁レール受け５３１ｃ，５３１ｄに当接する。一方、内レール部３２は、他の遊技盤５３０に設けられたレール受け５３２（傾斜面部７１に立設されたもの）に当接する。
【０２１０】
ここで、遊技球発射装置２１から発射された遊技球は遠心力により外レール部３１に沿って移動し遊技領域ＰＥに導かれる。そのため、外レール部３１の曲率等は遊技領域ＰＥに打ち込まれる遊技球の軌道に影響する。これに対し、内レール部３２は外レール部３１の内側に配置されるので、内レール部３２の曲率等が遊技球の軌道に与える影響は外レール部３１より小さい。遊技盤５３０を積み重ねた場合には、内レール部３２及び外レール３１にレール受け５３２等が当接することにより遊技盤５３０が支持されるので、積み重ねられた遊技盤５３０の荷重が外レール部３１に集中して負荷されることが防止される。即ち、外レール部３１に負荷される荷重を内レール部３２に分散させることで、外レール部３１に負荷される荷重を小さくできる。これにより、遊技盤５３０を積み重ねることによって外レール部３１が塑性変形することを防止できる。よって、遊技領域ＰＥに打ち込まれる遊技球の軌道を安定にできる。
【０２１１】
また、レール受け５３４、外周縁レール受け５３１ｃ，５３１ｄのそれぞれと外レール部３１との当接面積は、レール受け５３２，５３３のそれぞれと内レール部３２との当接面積と比較して大きい。従って、レール受け５３４及び外周縁レール受け５３１ｃ，５３１ｄによって外レール部３１に負荷される単位面積当たりの荷重を小さくできる。その結果、積み重ねられた遊技盤５３０の荷重による外レール部３１の塑性変形を抑制できる。
【０２１２】
ここで、外レール部３１において、内レール部３２と対向する部位（図２４左側）は、遊技球発射装置２１から遊技領域ＰＥに打ち込まれる遊技球の軌道に大きな影響を与える。遊技球は、遠心力によって内レール部３２と対向する外レール部３１に沿って移動するからである。一方、遊技盤５３０を正面視して基準穴５３４ａの右側に位置する外レール部３１の領域Ｕ（図２４参照）は、遊技領域ＰＥに打ち込まれた遊技球の軌道に与える影響が比較的小さい。領域Ｕに沿って移動する遊技球の軌道は、外レール部３１だけでなくセンターフレーム４７等の盤面部品の形状や配置に規制されるからである。
【０２１３】
従って、複数の遊技盤５３０を積み重ねたときに、外レール部３１の領域Ｕ及びその近傍に位置するレール受け５３２，５３４が外レール部３１に当接するように、レール受け５３２，５３４の高さを設定することは有効である。万が一、積み重ねられた遊技盤５３０の荷重によって外レール部３１（領域Ｕ）が塑性変形しても、それが遊技球の軌道に与える影響が小さいからである。
【０２１４】
この場合、外レール部３１は、領域Ｕだけが他の遊技盤５３０のレール受け５３２に当接し、領域Ｕ以外の部位は他の遊技盤５３０のレール受け５３２等に非接触となるようにレール受け５３２等の高さを設定する。なお、内レール部３２は、他の遊技盤５３０のレール受け５３２等に当接するようにレール受け５３２等の高さを設定する。その結果、外レール部３１の領域Ｕ及び内レール部３２が、他の遊技盤５３０のレール受け５３２等に当接することにより、複数の遊技盤５３０が積み重ねられる。これにより、外レール部３１において、遊技球発射装置２１から遊技領域ＰＥに打ち込まれる遊技球の軌道に大きな影響を与える部位（領域Ｕ以外の部位）に、積み重ねられた遊技盤５３０の荷重が負荷されることを防止できる。その結果、遊技領域ＰＥに打ち込まれる遊技球の軌道に大きな影響を与える部位（領域Ｕ以外の部位）が、積み重ねられた遊技盤５３０の荷重によって悪影響を受けることを防止できる。
【０２１５】
また、外レール部３１の領域Ｕに配置されたレール受け５３２に加え、外レール部３１の領域Ｕの近傍に配置されたレール受け５３４（図２６参照）を用い、積み重ねられた遊技盤５３０の外レール部３１を支持するようにすることは可能である。レール受け５３４は基準穴５３４ａに設けられたものであり、受け部５３４ｃ（図３０）の面積を確保できるので、外レール部３１を支持する場合には、レール受け５３４を用いない場合と比較して、外レール部３１の単位面積当たりに作用する荷重を小さくできる。これにより、レール受け５３４を用いない場合と比較して、積み重ねられた遊技盤５３０の荷重により外レール部３１の領域Ｕに悪影響を与え難くできる。
【０２１６】
なお、本実施の形態では、外レール部３１の領域Ｕが他の遊技盤５３０のレール受け５３２に当接し、領域Ｕ以外の部位（外レール部３１）は他の遊技盤５３０のレール受け５３２等に非接触となるようにレール受け５３２等の高さを設定する場合について説明したが、外レール部３１の領域Ｕも、他の遊技盤５３０のレール受け５３２と非接触となるようにレール受け５３２の高さを設定することは当然可能である。これにより、積み重ねられた遊技盤５３０の荷重が外レール部３１に負荷されることを防止できるので、積み重ねられた遊技盤５３０の荷重によって外レール部３１が悪影響を受けることを防止できる。遊技球の軌道にほとんど影響を与えない内レール部３２及びレール受け５３２等により遊技盤５３０を支持するので、仮に内レール部３２が塑性変形したとしても、遊技球の軌道を安定させることができる。
【０２１７】
次に図３３（ｂ）を参照して、他の実施形態について説明する。第６実施の形態では、外周縁レール受け５３１ｄ及びレール受け５３２により外レール部３１及び内レール部３２の上に遊技盤５３０を載置する場合について説明した。これに対し、図３３（ｂ）に示す他の実施の形態では、外周縁レール受け５３１ｄ，５３１ｆにより外レール部３１及び通路形成部材５３８の上に遊技盤５６０を載置する場合について説明する。なお、第６実施の形態で説明したものと同一の部分については、同一の符号を付して以下の説明を省略する。図３３（ｂ）は他の実施形態における遊技盤５６０を複数枚積み重ねた状態を模式的に示す切断部端面図である。
【０２１８】
図３３（ｂ）に示すように、遊技盤５６０は、パチンコ機１（図２参照）に装着された状態で、遊技盤５６０を正面視して左側の外周縁に外レール部３１が張り出すように配置され、盤面の右側の外周縁近傍に通路形成部材５３８（レール部材の一種）が配置される。通路形成部材５３８は、内レール部３２と連設されて遊技領域ＰＥを区画するための合成樹脂製の部材であり、遊技盤５６０の盤面の右側にビス等により固定される。通路形成部材５３８の盤面からの高さは、外レール部３１及び内レール部３２の盤面からの高さと略同一に設定されている。
【０２１９】
外周縁レール受け５３１ｄが形成された外周縁補強リブ５３１（遊技盤５６０を正面視して左側）と対向する位置にある外周縁補強リブ５３１（遊技盤５６０を正面視して右側）には、背面側端面に外周縁レール受け５３１ｆが形成されている。外周縁レール受け５３１ｆは、複数の遊技盤５６０を積み重ねたときに、他の遊技盤５６０の盤面に固定された通路形成部材５３８を受けるための部位であり、盤面からの高さが外周縁レール受け５３１ｄと同一の値に設定されている。
【０２２０】
遊技盤５６０は、厚さ方向に貫通形成される孔部６８を備え、その孔部６８の周囲に突出部５３７が設けられている。突出部５３７の軸方向長（図３３（ｂ）上下方向）は、レール受け５３２（図３３（ａ）参照）の軸方向長より短い値に設定されている。そのため、複数の遊技盤５３０を積み重ねた場合には、遊技盤５６０に設けられた内レール部３２の側縁（上端）と突出部５３７とは非接触の状態となる。従って、遊技盤５６０は、外周縁レール受け５３１ｄ，５３１ｆにより外レール部３１及び通路形成部材５３８の上に載置され、積み重ねられる。外周縁補強リブ５３１に外周縁レール受け５３１ｄ，５３１ｆが設けられているので、外レール部３１及び通路形成部材５３８が遊技盤５６０の外周縁に張り出すように配置されていても、遊技盤５６０を積み重ねた場合に、外レール部３１及び通路形成部材５３８と外周縁補強リブ５３１との干渉を防止できる。これにより、遊技盤５６０の遊技領域ＰＥを大きく拡張できる。
【０２２１】
次に図３４を参照して、レール受け５３２の他の実施形態について説明する。第６実施の形態では、レール受け５３２の軸方向端面に形成された受け部５３２ｃに、互いに対峙する突部５３２ａ，５３２ｂが突設される場合について説明した。これに対し図３４では、受け部５３２ｃに突部５３２ａ，５３２ｂの一方が突設される場合について説明する。なお、第６実施の形態と同一の部分については、同一の符号を付して以下の説明を省略する。図３４（ａ）及び図３４（ｂ）は他の実施形態における遊技盤５７０，５８０を複数枚積み重ねた状態を模式的に示す切断部端面図である。
【０２２２】
図３４（ａ）に示すように、各レール受け５４２は、肉厚部７０側（遊技盤の中央側）に位置する突部５３２ｂが突設されている。その突部５３２ｂ（受け面５３２ｂ１）が外レール部３１及び内レール部３２に対面するので、積み重ねられた遊技盤５７０の位置ずれを防止し、遊技盤５７０の滑落を防止できる。
【０２２３】
また、図３４（ｂ）に示すように、各レール受け５４３は、外周縁補強リブ５３１側（遊技盤の外周側）に位置する突部５３２ａが突設されている。その突部５３２ａ（受け面５３２ａ１）が外レール部３１及び内レール部３２に対面するので、積み重ねられた遊技盤５８０の位置ずれを防止し、遊技盤５８０の滑落を防止できる。
【０２２４】
次に図３５及び図３６を参照して、遊技盤５３０の盤面５３０ａに固定される案内部補強部材５５０について説明する。案内部補強部材５５０は外レール部３１を補強するための部材である。第１実施の形態では、案内部補強部材５０の接触部５２ｂと連成される傾斜部５２ａが、正面視して、嵌合凸部５５から離間する距離に対して略同一の幅で形成される場合について説明した。これに対し本実施の形態では、嵌合凸部５５から離れるにつれ、正面視における幅が大きくなるように傾斜部５５３が形成される場合について説明する。なお、第１実施の形態で説明したものと同一の部分については、同一の符号を付して以下の説明を省略する。図３５（ａ）は案内部（外レール部３１）及び案内部補強部材５５０を固定した遊技盤５３０の部分拡大正面図であり、図３５（ｂ）は図３５（ａ）のＸＸＸＶｂ−ＸＸＸＶｂ線における案内部（外レール部３１）及び案内部補強部材５５０の切断部端面図である。
【０２２５】
図３５（ａ）及び図３５（ｂ）に示すように、案内部補強部材５５０は、正面視して（遊技盤５３０の盤面側から見て）略台形状に形成されると共に外レール部３１の案内面３１ｃの反対面側に位置する基体部５１と、その基体部５１に立設される反対面側突設部５５１と、その反対面側突設部５５１が立設される向きと反対向きに基体部５１から突設される嵌合凸部５５とを主に備えて構成されている。案内部補強部材５５０は合成樹脂製の部材である。
【０２２６】
反対面側突設部５５１は、外レール部３１の反対面と対面しつつ、その外レール部３１の反対面の少なくとも一部が接触する接触部５５２と、その接触部５５２に連成されると共に頂部から嵌合凸部５５の軸方向外側へ向かって下降傾斜する傾斜部５５３とを備えている。その傾斜部５５３は、嵌合凸部５５を回動中心とする径方向外側に嵌合凸部５５に対してオフセットさせるように設けられている。さらに、傾斜部５５３は、嵌合凸部５５から離れるにつれ、正面視において、接触部５５２からの距離が大きくなるように形成されている。換言すれば、嵌合凸部５５から離れるにつれ、正面視における幅が大きくなるように傾斜部５５３が形成されている。
【０２２７】
次に図３６を参照して、案内部補強部材５５０及び外レール部３１の遊技盤５３０への装着方法について説明する。図３６（ａ）は案内部補強部材５５０を固定する状態を示す遊技盤５３０の部分拡大正面図であり、図３６（ｂ）は案内部（外レール部３１）及び案内部補強部材５５０を固定する状態を示す遊技盤５３０の部分拡大正面図である。なお、図３６（ａ）では、遊技盤５３０に配置される外レール部３１の位置を二点鎖線で図示している。
【０２２８】
図３６（ａ）に示すように、案内部補強部材５５０及び外レール部３１を遊技盤５３０の盤面５３０ａに配置する場合には、まず、案内部補強部材５５０の嵌合凸部５５を、遊技盤５３０の孔部６９に半分程の長さまで挿入して仮配置する。仮配置のときは、傾斜部５５３の位置を、外レール部３１が配置される位置（二点鎖線）と正面視において重なるようにする。
【０２２９】
次いで、図３６（ｂ）に示すように、外レール部３１を配置するため、外レール部３１の側縁（図３６（ｂ）紙面奥側縁）を傾斜部５５３に突き当てつつ盤面５３０ａに近づけていく。傾斜部５５３は、孔部６９に対して回動中心とする嵌合凸部５５に対して径方向外側にオフセットさせるように設けられているので、外レール部３１を盤面５３０ａに近接させるにつれ、傾斜部５５３が外レール部３１に押されて、嵌合凸部５５を中心に案内部補強部材５５０が回動する。外レール部３１の側縁（図３６（ｂ）紙面奥側縁）が傾斜部５５３から離脱すると、案内部補強部材５５０の回動が停止し、案内部補強部材５５０の位置が決まる。
【０２３０】
さらに、外レール部３１を盤面５３０ａに近づけると、接触部５５２と案内面側突設部５７との間の溝部５８に外レール部３１が収装させる。その状態でさらに外レール部３１を盤面５３０ａに近づけると、外レール部３１の側縁に嵌合凸部５５の基端側端面（溝部５８の底面）が押されて、嵌合凸部５５は次第に孔部６９に嵌入される。これにより、外レール部３１を遊技盤５３０の盤面５３０ａへ配置する配置作業の作業性を向上できる。
【０２３１】
このように、回動中心とする嵌合凸部５５に対して径方向外側にオフセットさせるように設けられた傾斜部５５３により、外レール部３１を盤面５３０ａに近接させる力を、嵌合凸部５５を中心に案内部補強部材５５０を回動させる力に換えることができる。その結果、外レール部３１を配置する前に、案内部補強部材５５０の嵌合凸部５５を遊技盤５３０の孔部６９に挿入して仮配置する作業では、傾斜部５５３の位置を外レール部３１が配置される位置と重なるようにすれば良い。そのため、仮配置する作業における案内部補強部材５５０の位置合わせ（回動中心となる嵌合凸部５５に対する接触部５５２の角度合わせ）の精度をほとんど必要としないようにできる。その結果、外レール部３１及び案内部補強部材５５０を遊技盤５３０の盤面５３０ａにスムーズに配置させることができ、それらの配置作業の作業性を向上できる。
【０２３２】
また、傾斜部５５３は、嵌合凸部５５から離れるにつれ、正面視において、接触部５５２からの距離が大きくなるように形成されている。即ち傾斜部５５３は、正面視において、嵌合凸部５５側が幅狭に形成される一方、嵌合凸部５５から離れるにつれ拡幅するように形成されている。これにより、嵌合凸部５５と反対側の傾斜部５５３の幅を大きくできる分だけ、案内部補強部材５５０を遊技盤５３０に仮配置する作業における位置合わせ（回動中心となる嵌合凸部５５に対する接触部５５２の角度合わせ）の精度を低下させることができる。その結果、案内部補強部材５５０を遊技盤５３０に仮配置する作業の位置合わせに要する時間を短縮でき、外レール部３１及び案内部補強部材５５０の配置作業を効率化できる。
【０２３３】
以上、実施形態に基づき本発明を説明したが、本発明は上記実施形態に何ら限定されるものではなく、本発明の趣旨を逸脱しない範囲内で種々の変形改良が可能であることは容易に推察できるものである。また、上記実施形態で挙げた数値や形状は一例であり、他の数値や形状を採用することは当然可能である。例えば、遊技領域ＰＥの各種役物の配置等は適宜設定することが可能である。
【０２３４】
上記実施の形態では、遊技機の代表例としてパチンコ機１，２０１，３０１，４０１について説明したが、必ずしもこれに限られるものではなく、雀球遊技機、アレンジボール機等の弾球遊技機に適用することは可能である。
【０２３５】
上記実施の形態では、外レール部３１に固定される嵌合ピン３１ａや案内部補強部材５０，８０，９０の嵌合凸部５５，８５，９５が嵌合される孔部６８，６９が、遊技盤３０，１３０の厚さ方向に貫通形成される場合について説明した。しかし、必ずしもこれに限られるものではなく、孔部６８，６９を、遊技盤３０，１３０の盤面側から形成される有底状とすることは当然可能である。なお、孔部６８，６９を遊技盤３０，１３０の厚さ方向に貫通形成する場合には、ドリル等により孔部６８，６９を穿設するときの屑の排出が容易であるので、好ましい。
【０２３６】
上記第２実施の形態では、構造物１７０に図柄表示部１７３（飾り部）が設けられる場合について説明したが、必ずしもこれに限られるものではなく、構造物に遊技球を導くように設置すると共に、遊技球の動きに干渉する干渉部を構造物に採用することは当然可能である。干渉部としては、例えば、遊技球を通過させる球通路、釘、電動役物等を挙げることができる。これにより、遊技球の動きに変化を与え、遊技の興趣を高めることができる。
【０２３７】
上記第２実施の形態における他の実施形態では、可動演出部材として回転体１９２を設け、その回転体１９２をモータ１９６（駆動部）により回転駆動させる場合について説明したが、必ずしもこれに限られるものではなく、他の駆動部を採用することは当然可能である。他の駆動部としては、例えば、軸状部材が伸縮可能に構成されたアクチュエータを挙げることができる。また、可動演出部材を回転体１９２に限定するものではなく、任意のリンク部材と組み合せることにより、可動演出部材を上下や左右、斜め方向に移動するように構成することは当然可能である。
【０２３８】
また、上記実施の形態では、可動演出部材（回転体１９２）の背面側に駆動部（モータ１９６）が配置される場合について説明したが、必ずしもこれに限られるものではなく、可動演出部材や駆動部の種類や機構等により、可動演出部材の前面側に駆動部を配置することは当然可能である。この場合においても、遊技盤１３０の厚さ方向（前後方向）の空間を有効に活用して、演出効果を向上させることができる。
【０２３９】
上記第２実施の形態では、遊技盤１３０に段差状の連結部（被係合部）１３１が形成され、それと対応する係合部１７１が構造物１７０，１９０に設けられる場合について説明したが、必ずしもこれに限られるものではなく、適宜の連結構造を採用することが可能である。例えば、遊技盤１３０に前面から背面に向かうにつれて漸次拡幅する傾斜面（連結部）を設け、その傾斜面と対応して当接可能な傾斜面を構造物１７０，１９０に設けるようにすることが可能である。この場合には、遊技盤１３０の背面側から構造物１７０，１９０を遊技盤１３０に取着し、ネジやピン、リベット等の軸状部材で遊技盤１３０と構造物１７０，１９０とを連結することが可能である。
【０２４０】
また、遊技盤１３０に背面から前面に向かうにつれて漸次拡幅する傾斜面（連結部）を設け、その傾斜面と対応して当接可能な傾斜面を構造物１７０，１９０に設けるようにすることが可能である。この場合には、遊技盤１３０の前面側から構造物１７０，１９０を遊技盤１３０に取着し、ネジやピン、リベット等の軸状部材で遊技盤１３０と構造物１７０，１９０とを連結することが可能である。
【０２４１】
また、遊技盤１３０に形成された開口部１６１の２箇所に突条や溝部（連結部）を設け、その突条や溝部と対応して係合可能な溝部や突条を構造物１７０，１９０に設けるようにすることが可能である。この場合には、突条と溝部とを係合させつつ、開放する遊技盤１３０の周縁部から構造物１７０，１９０をスライドさせ、遊技盤１３０に構造物１７０，１９０を取着することが可能である。
【０２４２】
上記第２実施の形態から第５実施の形態では、遊技盤１３０，２１０を正面視して右側の外周縁の一部が開放する開口部１６１，２１１を備える場合について説明したが、必ずしもこれに限られるものではなく、正面視して上側や左側の外周縁の一部が開放する開口部を備える遊技盤１３０，２１０に適用することは当然可能である。
【０２４３】
また、上記第２実施の形態では、遊技盤１３０の外周縁の一部に開放する開口部１６１を備える遊技盤１３０に、一つの構造物１７０，１９０が連結される場合について説明したが、必ずしもこれに限られるものではなく、複数の構造物を遊技盤に設けるようにすることは当然可能である。
【０２４４】
また、上記第２実施の形態では、構造物１７０，１９０が、遊技盤１３０の外周縁の一部に開放する開口部１６１の２箇所に連結される（連結部が２箇所に形成される）場合について説明したが、必ずしもこれに限られるものではなく、構造物１７０，１９０を、構造物１７０，１９０の開口部１６１の１箇所に連結するようにすることは当然可能である。
【０２４５】
また、上記第３実施の形態から第５実施の形態において、構造物２２０，２３０，２４０に、遊技盤２１０から遊技球が導かれる球通路や、遊技球が流下する領域を形成することは当然可能である。これにより、さらに遊技の興趣を向上させることが可能である。
【０２４６】
上記第６実施の形態において、外周縁レール受け５３１ｃ，５３１ｄの高さは、レール受け５３２，５３３，５３４の受け部５３２ｃ，５３３ａ，５３４ｃの高さと同一の値に設定される場合について説明した。しかし、必ずしもこれに限られるものではなく、外周縁レール受け５３１ｃ，５３１ｄの高さを、レール受け５３２，５３３，５３４の受け部５３２ｃ，５３３ａ，５３４ｃの高さより小さい値に設定することは可能である。これにより、複数の遊技盤５３０を積み重ねた場合には、外レール部３１を外周縁レール受け５３１ｃ，５３１ｄと非接触にすることができる。
【０２４７】
その結果、遊技盤５３０の外周縁にまで外レール部３１が張り出した遊技盤５３０の背面と他の遊技盤５３０の盤面５３０ａとが対向するように複数の遊技盤５３０を積み重ねた場合に、張り出した外レール部３１の側縁の一部に他の遊技盤５３０の外周縁レール受け５３１ｃ，５３１ｄが位置する。これにより、遊技盤５３０の外レール部３１が他の遊技盤５３０の外周縁レール受け５３１ｃ，５３１ｄと干渉することを回避できる。
【０２４８】
ここで、遊技盤５３０の外レール部３１が他の遊技盤５３０の外周縁レール受け５３１ｃ，５３１ｄと干渉する場合には、外レール部３１に上方の遊技盤５３０の荷重が集中して負荷される場合があるので、外レール部３１が変形する等の悪影響が生じるおそれがある。これに対し、遊技盤５３０の外レール部３１と他の遊技盤５３０の外周縁レール受け５３１ｃ，５３１ｄとの干渉を防止することで、外レール部３１が変形する等の悪影響が生じることを防止できる。よって、遊技盤５３０の外周縁にまで外レール部３１が張り出した遊技盤５３０同士を積み重ねることを可能にできる。遊技盤５３０の外周縁にまで外レール部３１を張り出させることにより、可能な限り広い遊技領域ＰＥを確保することが可能となる。
【０２４９】
上記第６実施の形態では、遊技盤５３０に外周縁レール受け５３１ｃ，５３１ｄ及びレール受け５３２，５３３，５３４が設けられる場合について説明したが、必ずしもこれに限られるものではなく、外周縁レール受け５３１ｃ，５３１ｄの一部、又は、レール受け５３２，５３３，５３４の一部を設けるようにすることは当然可能である。遊技盤５３０の外周縁に外レール部３１が張り出さない場合には、外周縁レール受け５３１ｃ，５３１ｄを省略することが可能である。
【０２５０】
また、上記第６実施の形態では、盤面５３０ａに配置される外レール部３１及び内レール部３２（盤面部品）に対応する遊技盤５３０の背面にレール受け５３２等（背面側当接部）を設ける場合について説明したが、必ずしもこれに限られるものではない。外レール部３１や内レール部３２以外の他の盤面部品を用いることは当然可能である。盤面部品としては、遊技盤５３０の盤面５３０ａ（前面）に配置される種々の部品を採用することが可能である。外レール部３１や内レール部３２以外の他の盤面部品としては、例えば、通路形成部材等の構造物（例えばセンターフレーム４７）、入賞装置（例えばスルーゲート３４、可変入賞装置３５、スルーチャッカー３６、入賞口３７、一般入賞口３８）等の役物を挙げることができる。
【０２５１】
また、背面側当接部としては、盤面５３０ａ側に配置される盤面部品の位置に対応して遊技盤５３０の背面側に設けるものであれば、特に限定することなく採用できる。背面側当接部を設けることで、遊技盤５３０間に盤面部品および背面側当接部の合計高さの間隔をあけて、複数の遊技盤５３０を積み重ねることができる。背面側当接部は盤面部品の前面側の一部または全部に当接するものなので、背面側当接部の背面側の端部は、盤面部品の前面側の一部または全部を受け入れる凹凸状（受け部および受け面を備えるもの）に形成されることが望ましい。背面側当接部が凹凸状に形成されることにより、複数の遊技盤５３０が積み重ねられたときに、遊技盤５３０の盤面方向の相対位置がずれることを防止できる。その結果、積み重ねられた遊技盤５３０の滑落を防止できる。
【０２５２】
なお、遊技盤５３０の盤面５３０ａからの背面側当接部（背面側の端部、受け部）の高さを適宜設定することにより、遊技盤５３０の盤面５３０ａからの盤面部品（前面側の端部）の高さを、盤面５３０ａに植設された釘５３６に対して、適宜の高さに設定することは可能である。これにより、盤面５３０ａに植設された釘５３６に対して、盤面部品の高さを低くしたり高くしたりすることができる。その結果、盤面部品の高さ方向の設計の自由度を確保できる。
【０２５３】
また、上記第６実施の形態では、レール受け５３２等（背面側当接部）が遊技盤５３０の背面側に突設される場合について説明したが、必ずしもこれに限られるものではなく、背面側当接部を、遊技盤５３０の背面側の一部を窪み状に形成することは当然可能である。
【０２５４】
また、上記第６実施の形態では、レール受け５３２等（背面側当接部）が遊技盤５３０と一体に形成される場合について説明したが、必ずしもこれに限られるものではない。レール受け５３２等の背面側当接部を、遊技盤５３０とは別部材として構成して、遊技盤５３０を積み重ねるときに、遊技盤５３０の間にスペーサのように配置することは可能である。この場合には、製造途中の遊技盤５３０を待機させるために遊技盤５３０を積み重ねた後は、背面側当接部と遊技盤５３０とを分離できるので、パチンコ機１を組み立てるときに、背面側当接部が組み立ての妨げになることを防止できる。
【０２５５】
また、レール受け５３２等の背面側当接部を、遊技盤５３０とは別部材として構成すると共に、遊技盤５３０に対して着脱可能に設けることは可能である。背面側当接部を遊技盤５３０に対して着脱可能に設け、遊技盤５３０の製造途中においては、遊技盤５３０に背面側当接部を固着しておく。これにより、製造途中の遊技盤５３０を待機させるために遊技盤５３０を積み重ねる都度、背面側当接部を遊技盤５３０間に介設する必要がなく、作業性に優れる。また、遊技盤５３０を積み重ねた後は、背面側当接部を遊技盤５３０から脱着して分離できるので、パチンコ機１を組み立てるときに、背面側当接部が組み立ての妨げになることを防止できる。
【０２５６】
上記第６実施の形態では、レール受け５３２，５３３を円柱状にする場合について説明したが、必ずしもこれに限られるものではなく、レール受け５３２，５３３を他の形状にすることは当然可能である。他の形状としては、例えば、三角柱、四角柱等の多角柱状、突条等が挙げられる。
【０２５７】
また、レール受け５３２，５３３を孔部６８が形成された位置に設ける場合について説明したが、必ずしもこれに限られるものではなく、孔部６８と異なる位置にレール受け５３２，５３３を設けることは当然可能である。
【０２５８】
上記第６実施の形態では、外周縁レール受け５３１ｃ，５３１ｄを外周縁補強リブ５３１と一体に形成する場合について説明したが、必ずしもこれに限られるものではなく、その位置で外周縁補強リブ５３１を分断して、分断した箇所に外周縁レール受け５３１ｃ，５３１ｄを設けるようにすることは当然可能である。
【０２５９】
また、他の実施形態（図３３（ｂ）参照）で説明した遊技盤５６０の通路形成部材５３８に代えて、遊技盤５６０とは別部材として構成されたスペーサを遊技盤５６０間に挿入することは当然可能である。その場合、スペーサ及び外レール部３１により外周縁レール受け５３１ｄ，５３１ｆを支持して、複数の遊技盤５６０を積み重ねるようにする。
【０２６０】
また、外周縁レール受け５３１ｆを通路形成部材５３８で支持するものに限定するものではなく、通路形成部材５３８に代えて、遊技盤５６０の盤面に配置される他の盤面部品を採用することは当然可能である。他の盤面部品としては、通路形成部材以外の他の構造物（例えばセンターフレーム４７）、入賞装置（例えばスルーゲート３４、可変入賞装置３５、スルーチャッカー（始動口）３６、入賞口３７、一般入賞口３８）等の役物を挙げることができる。
【０２６１】
なお、上記の各実施形態は、それぞれ、他の実施形態が有する構成の一部または複数部分を、その実施形態に追加し或いはその実施形態の構成の一部または複数部分と交換等することにより、その実施形態を変形して構成するようにしても良い。
【０２６２】
以下に、本発明の遊技機に加えて、上記実施形態に含まれる各種発明の概念を示す。
【０２６３】
遊技球を発射する遊技球発射装置と、その遊技球発射装置により発射される遊技球が流下する遊技領域を形成する合成樹脂製の遊技盤と、その遊技盤の盤面に配置され前記遊技球発射装置により発射された遊技球を案内面に沿って前記遊技領域に案内する帯状の案内部とを備える遊技機において、前記遊技盤の盤面に固定される案内部補強部材を備え、その案内部補強部材は、前記遊技盤の盤面に窪み状に形成された孔部に嵌合する嵌合凸部と、その嵌合凸部に突設されると共に前記案内部の案内面の反対面側に接触する反対面側突設部とを備えていることを特徴とする遊技機Ａ１。
【０２６４】
遊技機Ａ１によれば、遊技球発射装置により発射される遊技球が流下する遊技領域が合成樹脂製の遊技盤により形成される。その遊技盤の盤面には、遊技球発射装置により発射された遊技球を案内面に沿って遊技領域に案内する帯状の案内部が配置される。その遊技盤の盤面に案内部補強部材が固定される。案内部補強部材は、遊技盤の盤面に窪み状に形成された孔部に嵌合凸部が嵌合し、その嵌合凸部に突設される反対面側突設部が案内部の案内面の反対面側に接触する。これにより、案内面に沿って遊技領域へ向けて進行する遊技球によって、案内面が反対面側に押されて帯状の案内部が傾動することを抑制できる。遊技球を遊技領域に案内する案内部の傾動を抑制できるので、遊技領域へ案内される遊技球の軌道や飛距離を安定させることができる効果がある。
【０２６５】
即ち、案内面に沿って遊技領域へ向けて進行する遊技球によって案内面が反対面側に押されて帯状の案内部が傾動すると、遊技球の軌道が変化したり遊技球の運動エネルギーの損失が生じたりする。その結果、遊技領域へ案内される遊技球の軌道や飛距離が不安定になることがある。
【０２６６】
これに対し、遊技機Ａ１によれば、案内部の案内面の反対面側に反対面側突設部が接触するように案内部補強部材を配置することで、案内面に沿って遊技領域へ向けて進行する遊技球によって案内部が傾動することを抑制できる。これにより、遊技領域へ案内される遊技球の軌道や飛距離を安定させることができる。
【０２６７】
遊技機Ａ１において、前記嵌合凸部は、外周面の一部が窪み状に形成された凹部を備えていることを特徴とする遊技機Ａ２。
【０２６８】
遊技機Ａ２によれば、嵌合凸部の外周面の一部に凹部が窪み状に形成されているので、孔部に嵌合凸部を嵌合するときの嵌合凸部の外周面と孔部の内周面との接触面積を小さくできる。その結果、孔部に嵌合凸部を嵌合するときの孔部および嵌合凸部の単位面積あたりの垂直効力を大きくできる。これにより、孔部に嵌合凸部を嵌合するときに孔部または嵌合凸部を変形（弾性変形または塑性変形）させ易くすることができるので、遊技機Ａ１の奏する効果に加え、嵌合凸部を孔部に嵌合し易くできる効果がある。
【０２６９】
遊技機Ａ１又はＡ２において、前記凹部は、前記嵌合凸部の先端から基端に向けてすりわり状に形成されていることを特徴とする遊技機Ａ３。
【０２７０】
遊技機Ａ３によれば、嵌合凸部の先端から基端に向けてすりわり状に凹部が形成されているので、すりわりによる嵌合凸部の弾性変形を利用して、孔部に嵌合凸部を嵌合させることができる。その結果、遊技機Ａ１又はＡ２の奏する効果に加え、嵌合凸部を孔部に嵌合し易くできると共に、嵌合凸部の弾性変形を利用することで孔部と嵌合凸部とに隙間が生じることを防止できるので、孔部に嵌合された嵌合凸部をガタつき難くできる効果がある。
【０２７１】
遊技機Ａ３において、前記案内部補強部材は、前記嵌合凸部の軸方向からみた前記凹部のすりわりの方向が、前記案内部の長手方向と非平行に配置されていることを特徴とする遊技機Ａ４。
【０２７２】
遊技機Ａ４によれば、案内部補強部材は、嵌合凸部の軸方向からみた凹部のすりわりの方向が案内部の長手方向と非平行に配置されているので、帯状の案内部の案内面に沿って遊技領域へ向けて進行する遊技球によって案内面が反対面側に押されたときに、嵌合凸部を弾性変形し難くできる。これにより、案内部が傾動することを抑制できる。その結果、遊技機Ａ３の奏する効果に加え、遊技領域へ案内される遊技球の軌道や飛距離をさらに安定させることができる効果がある。
【０２７３】
即ち、嵌合凸部は、すりわりの方向と平行な荷重によって弾性変形し難く、すりわりの方向と直交する荷重によって弾性変形し易い。そのため、嵌合凸部のすりわりの方向を案内部の長手方向と平行となるように案内部補強部材を配置すれば、案内部の案内面が反対面側に押されたときには、嵌合凸部の弾性変形により案内部が傾動し易い。これに対し、嵌合凸部のすりわりの方向を案内部の長手方向と非平行となるように案内部補強部材を配置すれば、案内部の案内面が反対面側に押されたときに嵌合凸部を弾性変形し難くできる。これにより、案内部を案内面の反対面側に傾動し難くできる。
【０２７４】
遊技機Ａ１からＡ４のいずれかにおいて、前記案内部補強部材は、前記反対面側突設部と対峙して前記案内部の案内面側に配設されると共に前記案内面に接触する案内面側突設部を備え、その案内面側突設部は、前記反対面側突設部の高さより低く設定されていることを特徴とする遊技機Ａ５。
【０２７５】
遊技機Ａ５によれば、反対面側突設部と対峙して案内部の案内面側に配設される案内面側突設部が案内部の案内面に接触するので、反対面側突設部および案内面側突設部の間に案内部が保持される。案内部補強部材により案内面および反対面の両方から案内部が保持されるので、遊技機Ａ１からＡ４のいずれかの奏する効果に加え、案内部の傾動を確実に防止できる。その結果、遊技領域へ案内される遊技球の軌道や飛距離をさらに安定させることができる効果がある。
【０２７６】
また、案内部の案内面側に配設される案内面側突設部は、反対面側突設部の高さより低く設定されているので、案内面に沿う遊技球の進行を案内面側突設部が妨害しないようにできる。案内面側突設部に遊技球が干渉すると、遊技球の運動エネルギーの損失が生じ遊技領域へ案内される遊技球の飛距離が不安定になるところ、これを防止できるので、遊技領域へ案内される遊技球の飛距離が不安定になることを防止できる。
【０２７７】
遊技機Ａ１からＡ５のいずれかにおいて、前記反対面側突設部は、前記案内部の反対面と対面しつつ前記反対面の少なくとも一部が接触する接触部と、その接触部に連設されると共に頂部から前記嵌合凸部の軸方向外側に向けて下降傾斜する傾斜部とを備えていることを特徴とする遊技機Ａ６。
【０２７８】
遊技機Ａ６によれば、案内部補強部材および案内部を遊技盤の盤面に配置する場合には、まず、案内部補強部材の嵌合凸部を遊技盤の孔部に挿入する。次いで、案内部補強部材の接触部に反対面が対面するように、反対面側突設部の傾斜部に沿わせて案内部を配置する。傾斜部は頂部から嵌合凸部の軸方向外側へ向かって下降傾斜しており、接触部は傾斜部に連設されているので、傾斜部に沿って、案内部をスムーズに接触部へ配置させることができる。これにより、遊技盤Ａ１からＡ５のいずれかの奏する効果に加え、案内部を遊技盤の盤面にスムーズに配置させることができ、案内部を盤面へ配置する配置作業の作業性を向上できる効果がある。
【０２７９】
遊技機Ａ１からＡ６のいずれかにおいて、前記遊技盤は、前記遊技領域の背面側に位置し盤面に釘が植設される肉厚部と、その肉厚部に連設されると共に前記肉厚部より厚さが小さく設定される肉薄部と、その肉薄部の外周縁から背面側に立設される外周縁補強リブと、前記肉薄部の所定部から背面側に突出して連成される突出部とを備え、前記孔部は、前記肉薄部および前記突出部に貫通形成されていることを特徴とする遊技機Ａ７。
【０２８０】
遊技機Ａ７によれば、遊技盤は遊技領域の背面側に位置する肉厚部の盤面に釘が植設されるので、釘の打ち込み深さを確保することで釘の保持力を確保できる。また、肉厚部より厚さが小さく設定される肉薄部が肉厚部に連設されるので、肉薄部を設けない遊技盤（肉厚部の厚さで一様に形成される遊技盤）と比較して、遊技盤を軽量化できる。さらに、肉薄部の外周縁から背面側に外周縁補強リブが立設されているので、肉薄部の剛性を確保できる。これにより、剛性を確保しつつ遊技盤を軽量化できると共に、盤面に植設される釘の保持力を高めることができる。
【０２８１】
また、肉薄部の所定部から背面側に突出して突出部が連成され、肉薄部および突出部に孔部が貫通形成されているので、孔部に嵌合される嵌合凸部の嵌合深さを確保できる。孔部に嵌合される嵌合凸部の嵌合深さが大きくなるにつれ、孔部に嵌合された嵌合凸部が軸方向と直交する方向に揺動し難くなる傾向がみられるので、孔部に嵌合される嵌合凸部の嵌合深さを確保することで、遊技盤に固定された案内部補強部材を揺動し難くできる。遊技盤に固定された案内部補強部材を揺動し難くすることで、遊技球を遊技領域に案内する案内部の傾動を抑制できるので、遊技領域へ案内される遊技球の軌道や飛距離をさらに安定させることができる。
【０２８２】
また、肉薄部の所定部から背面側に突出して突出部を連成し、その突出部および肉薄部に孔部を貫通形成するので、孔部を形成するために肉厚部の面積を広げることを不要にできる。肉薄部に連成される突出部（孔部を除く）の分だけ遊技盤の質量が増加するが、肉厚部の面積を広げる必要がないので、遊技盤の質量の増加を抑えることができる。さらに、孔部が貫通形成された突出部は孔部の周囲の肉薄部の剛性を高めるリブの機能を発揮するので、孔部の周囲の肉薄部の剛性を確保できる。
【０２８３】
以上のように遊技機Ａ７によれば、遊技機Ａ１からＡ６のいずれかの奏する効果に加え、遊技盤の剛性を確保しつつ遊技盤を軽量化できると共に、盤面に植設される釘の保持力を高められることに加え、遊技領域へ案内される遊技球の軌道や飛距離をさらに安定させることができる効果がある。
【０２８４】
遊技機Ａ６において、前記傾斜部は、前記嵌合凸部を回動中心とする径方向外側に前記嵌合凸部に対してオフセットさせるように設けられていることを特徴とする遊技機Ａ８。
【０２８５】
遊技機Ａ８によれば、案内部補強部材および案内部を遊技盤の盤面に配置する場合には、まず、案内部補強部材の嵌合凸部を遊技盤の孔部に挿入して仮配置する。仮配置のときは、傾斜部の位置を、案内部が配置される位置と重なるようにする。次いで、案内部を配置するため、案内部の側縁を傾斜部に突き当てつつ盤面に近づけていく。傾斜部は、回動中心とする嵌合凸部に対して径方向外側にオフセットさせるように設けられているので、案内部を盤面に近接させるにつれ、傾斜部が案内部に押されて、嵌合凸部を中心に案内部補強部材が回動する。案内部の側縁が傾斜部から離脱すると、案内部補強部材の回動が停止し、案内部および案内部補強部材は盤面に配置される。
【０２８６】
このように、回動中心とする嵌合凸部に対して径方向外側にオフセットさせるように設けられた傾斜部により、案内部を盤面に近接させる力を、嵌合凸部を中心に案内部補強部材を回動させる力に換えることができる。その結果、案内部を配置する前に、案内部補強部材の嵌合凸部を遊技盤の孔部に挿入して仮配置する作業では、傾斜部の位置を案内部が配置される位置と重なるようにすれば良い。そのため、仮配置する作業における案内部補強部材の位置合わせ（回動中心となる嵌合凸部に対する接触部の角度合わせ）の精度をほとんど必要としないようにできる。その結果、遊技盤Ａ６の奏する効果に加え、案内部および案内部補強部材を遊技盤の盤面にスムーズに配置させることができ、案内部および案内部補強部材を盤面へ配置する配置作業の作業性を向上できる効果がある。
【０２８７】
遊技球が流下する遊技領域を形成する合成樹脂製の遊技盤と、その遊技盤の厚さ方向に貫通形成されると共に前記遊技盤の外周縁の一部が開放される開口部と、その開口部に配置される構造物とを備え、その構造物は、遊技球の動きに干渉する部材または遊技球が通過する部材もしくは遊技の告知や演出に用いられる部材を備えていることを特徴とする遊技機Ｂ１。
【０２８８】
遊技機Ｂ１によれば、遊技球が流下する遊技領域が合成樹脂製の遊技盤により形成され、その遊技盤の厚さ方向に開口部が貫通形成される。その開口部は遊技盤の外周縁の一部が開放され、開口部に、遊技球の動きに干渉する部材または遊技球が通過する部材もしくは遊技の告知や演出に用いられる部材としての構造物が配置される。これにより、構造物を、遊技盤の制約を受け難く配置できる。その結果、遊技の演出の自由度を向上でき、遊技の興趣を大いに高めることができる効果がある。
【０２８９】
即ち、従来よりこの種の遊技機として、遊技領域に対して遊技球が発射され、遊技領域内の各種入賞口に遊技球が入賞されるとそれに伴い所定個数の遊技球が払い出されるパチンコ機がある。パチンコ機では、例えば、遊技領域の中央部には液晶表示装置等の図柄表示ユニットが配置され、その図柄変動ユニットにより複数列の図柄が変動表示される。所定の入賞口（始動入賞口）への入賞をトリガとして図柄表示ユニットによる図柄の変動表示が開始され、その後、所定の変動パターンによる変動表示を経て図柄の変動表示が停止される。停止した図柄が確定した際、その図柄の組み合せが予め設定された所定の組み合せであれば、特別遊技状態（大当たり状態）に移行し多量の遊技球が払い出される。
【０２９０】
また近年では、遊技の興趣を高めるべく、液晶表示装置の表示画面に表示される表示内容を複雑なものにしたり、表示画面を大型化して表示画像の迫力を向上させたりする等、図柄表示に関して様々な工夫が施されている。しかし、図柄表示に関して様々な工夫を施しても、遊技者に与える印象は似かよったものになりがちである。遊技者の興味を引くためには、新たな構造を採用してその構造による新たな演出が必要である。
【０２９１】
しかしながら、表示装置や役物等の部品を遊技盤の盤面に取着する従来の構造では、奥行き方向の広がりが乏しいので、似かよった演出が採用され易い。また、従来の木製の合板（ベニヤ）で作成される遊技盤では、加工性や機械的強度を考慮すると、新たな構造を採用し難い。
【０２９２】
これに対し、遊技機Ｂ１によれば、周縁部の一部が開放する開口部が形成された合成樹脂製の遊技盤を使用することにより、遊技盤の制約を受け難い構造物の配置を採用することができる。その結果、遊技の演出の自由度を向上できる。これにより、遊技の興趣を大いに高めることができる効果がある。
【０２９３】
遊技機Ｂ１において、前記開口部に設置されると共に図柄を変動表示する表示部を有する図柄表示装置を備え、前記構造物は、前記図柄表示装置の周辺に配置されることを特徴とする遊技機Ｂ２。
【０２９４】
遊技機Ｂ２によれば、開口部の空間を利用して、図柄を変動表示する表示部を有する図柄表示装置が設置され、図柄表示装置の周辺に構造物が配置される。遊技機Ｂ１の奏する効果に加え、図柄表示装置の平面的な図柄演出のみならず、構造物により多様な演出を実現することができる効果がある。
【０２９５】
遊技機Ｂ１又はＢ２において、前記構造物は、少なくとも一部が可動する飾り部を備えるものであり、その飾り部は、移動可能に構成される可動演出部材と、その可動演出部材の前面側または背面側に配置されると共に前記可動演出部材を動作させる駆動部とを備えていることを特徴とする遊技機Ｂ３。
【０２９６】
遊技機Ｂ３によれば、可動演出部材が移動可能に構成され、その可動演出部材の前面側または背面側に配置される駆動部により可動演出部材が動作される。遊技盤の厚さ方向の空間を利用して可動演出部材の駆動部が配置されるので、遊技機という限られた空間において駆動部を配置するスペースを有効活用できる効果がある。その結果、遊技機Ｂ１又はＢ２の奏する効果に加え、遊技盤に対面して遊技を行う遊技者に視認される可動演出部材の設計の自由度を向上でき、多彩な演出を実現することができる効果がある。
【０２９７】
遊技機Ｂ１からＢ３のいずれかにおいて、前記遊技盤および前記構造物の背面側に配置されると共に前記遊技盤および前記構造物に向けて光を照射可能な発光部を備え、前記遊技盤および前記構造物の少なくとも一部が透光性を有し前記発光部により照射される光を視認可能に構成されていることを特徴とする遊技機Ｂ４。
【０２９８】
遊技機Ｂ４によれば、遊技盤および構造物の背面側に配置される発光部により遊技盤および構造物に光が照射される。遊技盤および構造物の少なくとも一部が透光性を有し、発光部により照射される光を視認可能に構成されているので、遊技機Ｂ１からＢ３のいずれかの奏する効果に加え、遊技盤および構造物による演出効果を向上できる効果がある。
【０２９９】
遊技機Ｂ４において、前記遊技盤は、前記開口部の周縁の所定部に前記構造物と連結される連結部を備え、その連結部は、前記発光部により照射される光を散乱させる光散乱部を備えていることを特徴とする遊技機Ｂ５。
【０３００】
遊技機Ｂ５によれば、開口部の周縁の所定部に構造物と連結される連結部を設け、その連結部に照射される光は、光散乱部により散乱する。これにより、遊技機Ｂ４の奏する効果に加え、光散乱部により散乱される光によって遊技盤と構造物との継ぎ目部分（連結部）を視認し難くできると共に、遊技盤と構造物との継ぎ目部分（連結部）の演出効果を向上できる。
【０３０１】
遊技球が流下する遊技領域を形成する合成樹脂製の遊技盤と、その遊技盤の盤面に配置される盤面部品とを備える遊技機において、前記遊技盤は、背面側に設けられる背面側当接部を備え、その背面側当接部は、前記遊技盤の背面と他の遊技盤の盤面とが対向するように前記遊技盤と前記他の遊技盤とを積み重ねた場合に、前記他の遊技盤に配置された盤面部品に当接するように設定されていることを特徴とする遊技機Ｃ１。
【０３０２】
遊技機Ｃ１によれば、遊技球が流下する遊技領域が合成樹脂製の遊技盤により形成され、その遊技盤の盤面には盤面部品が配置される。遊技盤は、その遊技盤の背面と他の遊技盤の盤面とが対向するように遊技盤と他の遊技盤とを積み重ねた場合に、他の遊技盤に配置された盤面部品に背面側が当接するように、背面側当接部が設けられている。これにより、複数の遊技盤を積み重ねた場合に、背面側当接部と盤面部品とを鉛直方向に交互に密着させることができる。その結果、積み重ねられた上方の遊技盤の荷重を盤面部品および背面側当接部が受けることにより、遊技盤を積み重ねることを可能にできる効果がある。
【０３０３】
遊技機Ｃ１において、前記背面側当接部は、前記盤面部品の前面部が当接する受け部と、その受け部から前記遊技盤の厚さ方向に突設されると共に前記盤面部品の側面に沿う受け面とを備えていることを特徴とする遊技機Ｃ２。
【０３０４】
遊技機Ｃ２によれば、遊技盤の背面と他の遊技盤の盤面とが対向するように遊技盤と他の遊技盤とを積み重ねた場合に、背面側当接部の受け部が盤面部品の前面部が当接する。盤面部品の側面に沿う受け面が、受け部から遊技盤の厚さ方向に突設されているので、積み重ねられた遊技盤の位置が盤面部品の側面と直交する方向にずれると、受け面が盤面部品に突き当たり、それ以上の遊技盤の位置ずれが防止される。その結果、背面側当接部の受け部に盤面部品の前面部が当接した状態を維持できるので、遊技機Ｃ１の奏する効果に加え、積み重ねられた上方の遊技盤が滑落することを抑制できる効果がある。
【０３０５】
遊技機Ｃ１又はＣ２において、前記遊技盤は、盤面に植設される釘を備え、前記背面側当接部は、前記遊技盤の背面と他の遊技盤の盤面とが対向するように遊技盤と他の遊技盤とを積み重ねた場合に、前記他の遊技盤の盤面に植設された釘が前記遊技盤の背面に非接触となるように前記遊技盤の厚さ方向における高さが設定されていることを特徴とする遊技機Ｃ３。
【０３０６】
遊技機Ｃ３によれば、遊技盤の背面と他の遊技盤の盤面とが対向するように遊技盤と他の遊技盤とを積み重ねた場合に、他の遊技盤の盤面に植設された釘が遊技盤の背面に非接触となるように遊技盤の厚さ方向における背面側当接部の高さが設定されているので、積み重ねられた下方の遊技盤の釘に加わる上方の遊技盤の荷重をゼロにできる。その結果、遊技機Ｃ１又はＣ２の奏する効果に加え、遊技盤を積み重ねたときに、遊技盤に植設された釘が曲がる等の悪影響が生じることを防止できる効果がある。
【０３０７】
遊技機Ｃ１からＣ３のいずれかにおいて、前記盤面部品は、前記遊技球が存在可能な領域を区画する帯状のレール部材を含み、前記背面側当接部は、前記レール部材の前記盤面への配置位置に対応して前記遊技盤の背面に設けられるレール受けを備え、そのレール受けは、前記遊技盤の背面と他の遊技盤の盤面とが対向するように前記遊技盤と前記他の遊技盤とを積み重ねた場合に、前記他の遊技盤に配置されたレール部材の側縁に当接するように設定されていることを特徴とする遊技機Ｃ４。
【０３０８】
遊技機Ｃ４によれば、遊技球が存在可能な領域を区画する帯状のレール部材が遊技盤の盤面に配置される。また、遊技盤は、レール部材の盤面への配置位置に対応して背面にレール受けが設けられ、そのレール受けは、遊技盤の背面と他の遊技盤の盤面とが対向するように遊技盤と他の遊技盤とを積み重ねた場合に、他の遊技盤に配置されたレール部材の側縁に当接するように設定されている。遊技球が存在可能な領域を区画するレール部材は、盤面を正面視して円弧状に湾曲して遊技盤の盤面に配置されるので、遊技盤の厚さ方向の剛性を確保できる。よって、複数の遊技盤が積み重ねられて、積み重ねられた上方の遊技盤の荷重がレール部材に加わったときに、レール部材が折れ曲がる等の不具合が生じることを防止できる。従って、遊技機Ｃ１からＣ３のいずれかの奏する効果に加え、盤面に配置されたレール部材に悪影響を及ぼすことなく遊技盤を積み重ねることを可能にできる効果がある。
【０３０９】
遊技機Ｃ１からＣ４のいずれかにおいて、前記レール部材は、前記側縁から前記レール部材の幅方向外側に向けて突設される嵌合ピンを備え、前記遊技盤は、前記嵌合ピンが嵌挿されると共に前記レール受けの位置に形成される孔部を備えていることを特徴とする遊技機Ｃ５。
【０３１０】
遊技機Ｃ５によれば、レール部材は、側縁からレール部材の幅方向外側に向けて嵌合ピンが突設され、遊技盤は、嵌合ピンが嵌挿される孔部がレール受けの位置に形成されているので、遊技盤の厚さ方向のレール受けの高さの分だけ孔部の深さを確保できる。これにより、孔部に嵌挿される嵌合ピンの保持力を大きくできる。よって、遊技機Ｃ１からＣ４のいずれかの奏する効果に加え、嵌合ピンを遊技盤に強固に固定できる効果がある。
【０３１１】
遊技機Ｃ１からＣ５のいずれかにおいて、前記レール部材は、前記遊技領域に遊技球を導く外レール部と、その外レール部と所定間隔をあけて前記外レール部の内側に配置される内レール部とを備え、前記レール受けは、前記遊技盤の背面と他の遊技盤の盤面とが対向するように前記遊技盤と前記他の遊技盤とを積み重ねた場合に、前記他の遊技盤に配置された内レール部の位置に対応して前記遊技盤の背面に設けられていることを特徴とする遊技機Ｃ６。
【０３１２】
遊技機Ｃ６によれば、レール部材は、遊技領域に遊技球を導く外レール部と、その外レール部と所定間隔をあけて外レール部の内側に配置される内レール部とを備えている。レール受けは、遊技盤の背面と他の遊技盤の盤面とが対向するように遊技盤と他の遊技盤とを積み重ねた場合に、他の遊技盤に配置された内レール部の位置に対応して遊技盤の背面に設けられている。これにより、複数の遊技盤を積み重ねた場合に、レール受けに内レール部が当接する。
【０３１３】
ここで、遊技球は遠心力により外レール部に沿って移動し遊技領域に導かれるので、外レール部の曲率等は遊技領域に打ち込まれる遊技球の軌道に影響する。これに対し、内レール部は外レール部の内側に配置されるので、遊技球の軌道に与える影響が外レール部より小さい。その内レール部にレール受けが当接することにより遊技盤が支持されるので、積み重ねられた遊技盤の荷重は内レール部に負荷される。この荷重により、仮に内レール部が塑性変形したとしても、外レール部が塑性変形する場合と比較して、遊技球の軌道に与える影響を小さくできる。その結果、遊技機Ｃ１からＣ５のいずれかの効果に加え、遊技領域に打ち込まれる遊技球の軌道を安定にできる効果がある。
【０３１４】
遊技機Ｃ１からＣ６のいずれかにおいて、前記遊技盤は、平板状に形成されると共に前記釘が前面に植設される板部と、その板部の外周縁から背面側に立設される外周縁補強リブと、前記レール部材の前記盤面への配置位置に対応して前記板部の外周縁に設けられる外周縁レール受けとを備え、その外周縁レール受けは、前記遊技盤の背面と他の遊技盤の盤面とが対向するように前記遊技盤と前記他の遊技盤とを積み重ねた場合に、前記他の遊技盤に配置されたレール部材の側縁の一部に非接触の状態で端面が位置するように設定されていることを特徴とする遊技機Ｃ７。
【０３１５】
遊技機Ｃ７によれば、遊技盤は、平板状に形成される板部の前面に釘が植設され、板部の外周縁から背面側に外周縁補強リブが立設される。レール部材の盤面への配置位置に対応して板部の外周縁に外周縁レール受けが設けられ、その外周縁レール受けは、遊技盤の背面と他の遊技盤の盤面とが対向するように遊技盤と他の遊技盤とを積み重ねた場合に、他の遊技盤に配置されたレール部材の側縁の一部に非接触の状態で端面が位置するように設定されている。
【０３１６】
その結果、板部の外周縁にまでレール部材が張り出した遊技盤の背面と他の遊技盤の盤面とが対向するように遊技盤と他の遊技盤とを積み重ねた場合に、張り出したレール部材の側縁の一部に他の遊技盤の外周縁レール受けが位置する。これにより、遊技盤のレール部材が他の遊技盤の外周縁レール受けと干渉することを回避できる。
【０３１７】
ここで、遊技盤のレール部材が他の遊技盤の外周縁レール受けと干渉する場合には、レール部材に上方の遊技盤の荷重が集中して負荷される場合があるので、レール部材が変形する等の悪影響が生じるおそれがある。これに対し、遊技盤のレール部材と他の遊技盤の外周縁レール受けとの干渉を防止することで、レール部材が変形する等の悪影響が生じることを防止できる。よって、遊技機Ｃ７によれば、遊技機Ｃ１からＣ６の奏する効果に加え、板部の外周縁にまでレール部材が張り出した遊技盤同士を積み重ねることを可能にできる効果がある。板部の外周縁にまでレール部材を張り出させることにより、可能な限り広い遊技領域を確保することが可能となる。
【０３１８】
遊技球が流下する遊技領域を形成する合成樹脂製の遊技盤と、その遊技盤の盤面に配置されると共に前記遊技球が存在可能な領域を区画する帯状のレール部材と、そのレール部材で区画された領域内に植設される釘とを備える遊技機において、前記遊技盤は、平板状に形成されると共に前記釘が前面に植設される板部と、その板部の外周縁から背面側に立設される外周縁補強リブと、前記レール部材の前記盤面への配置位置に対応して前記板部の外周縁に設けられる外周縁レール受けとを備え、その外周縁レール受けは、前記遊技盤の背面と他の遊技盤の盤面とが対向するように前記遊技盤と前記他の遊技盤とを積み重ねた場合に、前記他の遊技盤に配置されたレール部材の側縁の一部に端面が当接するように設定されていることを特徴とする遊技機Ｄ１。
【０３１９】
遊技機Ｄ１によれば、遊技球が流下する遊技領域が合成樹脂製の遊技盤により形成される。その遊技盤の盤面には、遊技球が存在可能な領域を区画する帯状のレール部材が配置され、その領域に釘が植設される。遊技盤は、平板状に形成される板部の前面に釘が植設され、板部の外周縁から背面側に外周縁補強リブが立設される。レール部材の盤面への配置位置に対応して板部の外周縁に外周縁レール受けが設けられ、その外周縁レール受けは、遊技盤の背面と他の遊技盤の盤面とが対向するように遊技盤と他の遊技盤とを積み重ねた場合に、他の遊技盤に配置されたレール部材の側縁の一部に端面が当接するように設定されている。
【０３２０】
その結果、積み重ねられた上方の遊技盤の荷重を外周縁レール受けが受けるので、他の遊技盤の盤面に植設された釘が遊技盤の背面に非接触となる場合には、積み重ねられた下方の遊技盤の釘に加わる上方の遊技盤の荷重をゼロにできる。また、他の遊技盤の盤面に植設された釘が遊技盤の背面に接触する場合には、積み重ねられた下方の遊技盤の釘に加わる上方の遊技盤の荷重を、外周縁レール受け及びレール部材に分散させて小さくできる。これにより、遊技盤を積み重ねたときに、遊技盤に植設された釘が曲がる等の悪影響が生じることを防止できる。
【０３２１】
なお、遊技球が存在可能な領域を区画するレール部材は、盤面を正面視して円弧状に湾曲して遊技盤の盤面に配置されるので、遊技盤の厚さ方向の剛性を確保できる。よって、積み重ねられた上方の遊技盤の荷重が外周縁レール受けを介してレール部材に加わったときに、レール部材が折れ曲がる等の不具合が生じることを防止できる。従って、盤面に植設された釘に悪影響を及ぼすことなく遊技盤を積み重ねることを可能にできる効果がある。
【０３２２】
遊技機Ｄ１において、前記外周縁レール受けは、前記遊技盤の厚さ方向における高さが、前記外周縁補強リブより小さい値に設定されていることを特徴とする遊技機Ｄ２。
【０３２３】
遊技機Ｄ２によれば、外周縁レール受けは、遊技盤の厚さ方向における高さが、遊技盤の厚さ方向における外周縁補強リブの高さより小さい値に設定されているので、遊技盤を、上面に平坦面が形成された台の上に外周縁補強リブを下に向けて（背面側を下に向けて）置いた場合には、その平坦面と遊技盤との間に外周縁レール受けの分だけ隙間ができる。その隙間に手の指先等を差し込み、差し込んだ指先等を手掛かりとして平坦面の上に置かれた遊技盤を持ち上げることができる。
【０３２４】
これに対し、遊技盤の厚さ方向における外周縁レール受けの高さが、遊技盤の厚さ方向における外周縁補強リブの高さより大きい値に設定されている場合には、遊技盤を、上面に平坦面が形成された台の上に外周縁補強リブを下に向けて（背面側を下に向けて）置いた場合には、台の上に置かれた遊技盤にガタつきが生じる。遊技機Ｄ２によれば、この問題を解消することができ、外周縁補強リブを下に向けて（背面側を下に向けて）平置きされた遊技盤のガタつきを防止して安定に静置できる。さらに、平置きされた遊技盤を持ち上げる場合に、外周縁レール受けに差し込んだ指先等を手掛かりにすることができ、遊技機Ｄ１の奏する効果に加え、製造途中の遊技盤や完成した遊技盤の取扱性を向上できる効果がある。
【０３２５】
遊技機Ｄ１又はＤ２において、前記外周縁レール受けは、前記外周縁補強リブと一体に形成されていることを特徴とする遊技機Ｄ３。
【０３２６】
遊技機Ｄ３によれば、外周縁レール受けを外周縁補強リブと一体に形成することにより板部の剛性（特にねじり剛性）を確保することができるので、遊技機Ｄ１又はＤ２の奏する効果に加え、遊技盤の剛性（特にねじり剛性）を確保できる効果がある。
【０３２７】
遊技機Ｄ１からＤ３のいずれかにおいて、前記レール部材の前記盤面への配置位置に対応して前記遊技盤の背面に設けられるレール受けを備え、そのレール受けは、前記遊技盤の背面と他の遊技盤の盤面とが対向するように前記遊技盤と前記他の遊技盤とを積み重ねた場合に、前記他の遊技盤に配置されたレール部材の側縁に端面が当接するように設定されていることを特徴とする遊技機Ｄ４。
【０３２８】
遊技機Ｄ４によれば、遊技盤は、レール部材の盤面への配置位置に対応して背面にレール受けが設けられ、そのレール受けは、遊技盤の背面と他の遊技盤の盤面とが対向するように遊技盤と他の遊技盤とを積み重ねた場合に、他の遊技盤に配置されたレール部材の側縁に端面が当接するように設定されている。その結果、積み重ねられた上方の遊技盤の荷重を、レール受け及び外周縁レール受けを介してレール部材が受けるので、他の遊技盤の盤面に植設された釘が遊技盤の背面に非接触となる場合には、積み重ねられた下方の遊技盤の釘に加わる上方の遊技盤の荷重をゼロにできる。また、他の遊技盤の盤面に植設された釘が遊技盤の背面に接触する場合には、積み重ねられた下方の遊技盤の釘に加わる上方の遊技盤の荷重を、レール受け及び外周縁レール受けに分散させて小さくできる。これにより、遊技盤Ｄ１からＤ３のいずれかの奏する効果に加え、遊技盤を積み重ねたときに、遊技盤に植設された釘が曲がる等の悪影響が生じることを防止できる効果がある。
【０３２９】
遊技機Ｄ４において、前記レール受けは、前記遊技盤の厚さ方向における高さが、前記外周縁レール受けと同一の値に設定されていることを特徴とする遊技機Ｄ５。
【０３３０】
遊技機Ｄ５によれば、遊技盤の厚さ方向におけるレール受けの高さが、遊技盤の厚さ方向における外周縁レール受けの高さと同一の値に設定されているので、遊技盤の背面と他の遊技盤の盤面とが対向するように遊技盤と他の遊技盤とを積み重ねた場合に、遊技盤の盤面と他の遊技盤の遊技盤の盤面とを略平行にできる。その結果、遊技機Ｄ４の奏する効果に加え、遊技盤を略鉛直に積み重ねることができ、積み上げた遊技盤を滑落し難くできる効果がある。
＜その他＞
遊技球を使用して遊技を行う遊技機の代表例としてパチンコ機がある。パチンコ機は、前面に遊技領域が形成される遊技盤を有している。遊技領域には遊技球が入球可能な入球部が設けられており、その入球部への入球が発生した場合には、例えば遊技者に有利な特別遊技状態を発生させるか否かの抽選や遊技球の払出し等の特典が、遊技者に対して付与される。
この種の遊技機において、従来の遊技盤は、絵柄を印刷した合成樹脂製フィルムを木製合板（ベニヤ）の表面に貼り付けたものが一般的であった。近年、意匠性やリサイクル性の観点から、合成樹脂製の遊技盤が採用されつつある（例えば特許文献１：特開平１０−１１３４２８号公報（特に図５））。
このようなパチンコ機では、パチンコ機本体に遊技盤を着脱可能に取り付け、機種変更等必要に応じ、パチンコ機本体に対して遊技盤を交換可能とするものが一般的である。そのため、一般に、遊技盤はパチンコ機本体とは別個の製造工程を通して生産される。合成樹脂製の遊技盤の製造工程では、まず、合成樹脂製の遊技盤用の板材に釘（障害釘）を植設する。その後、風車等の小型部品やレール部材（誘導レール）を板材に取り付けた後、大型の入賞装置や制御回路基板等の大型部品を組み付ける。大型部品の組み付けは、作業が煩雑化するので工程能力が低下する。その工程能力のアンバランスにより、製造途中の遊技盤が工程間で一時的に滞留することがある。そのような場合には、滞留した遊技盤を待機させるため、製造途中の遊技盤を一時的に積み重ねておくことがある。
しかしながら上述したような遊技機では、製造途中の遊技盤を積み重ね難い等の問題が生じ得る。
本技術的思想は、上記例示した問題点等を解決するためになされたものであり、製造途中の遊技盤を積み重ねることを可能にできる遊技機を提供することを目的としている。
＜手段＞
この目的を達成するために技術的思想１の遊技機は、遊技球が流下する遊技領域を形成する合成樹脂製の遊技盤と、その遊技盤の盤面に配置されると共に前記遊技球が存在可能な領域を区画する帯状のレール部材と、そのレール部材で区画された領域内に植設される釘とを備えるものにおいて、前記遊技盤は、平板状に形成されると共に前記釘が前面に植設される板部と、その板部の外周縁から背面側に立設される外周縁補強リブと、前記レール部材の前記盤面への配置位置に対応して前記板部の外周縁に設けられる外周縁レール受けとを備え、その外周縁レール受けは、前記遊技盤の背面と他の遊技盤の盤面とが対向するように前記遊技盤と前記他の遊技盤とを積み重ねた場合に、前記他の遊技盤に配置されたレール部材の側縁の一部に当接するように設定されている。
技術的思想２の遊技機は、技術的思想１記載の遊技機において、前記外周縁レール受けは、前記遊技盤の厚さ方向における高さが、前記外周縁補強リブより小さい値に設定されている。
技術的思想３の遊技機は、技術的思想１又は２に記載の遊技機において、前記外周縁レール受けは、前記外周縁補強リブと一体に形成されている。
技術的思想４の遊技機は、技術的思想１から３のいずれかに記載の遊技機において、前記レール部材の前記盤面への配置位置に対応して前記遊技盤の背面に設けられるレール受けを備え、そのレール受けは、前記遊技盤の背面と他の遊技盤の盤面とが対向するように前記遊技盤と前記他の遊技盤とを積み重ねた場合に、前記他の遊技盤に配置されたレール部材の側縁に当接するように設定されている。
技術的思想５の遊技機は、技術的思想４記載の遊技機において、前記レール受けは、前記遊技盤の厚さ方向における高さが、前記外周縁レール受けと同一の値に設定されている。
＜効果＞
本技術的思想によれば、製造途中の遊技盤を積み重ねておくことを可能にできる効果がある。
【符号の説明】
【０３３１】
１                                パチンコ機（遊技機）
３０，１３０，５３０，５６０，５７０，５８０  遊技盤
５３０ａ                          盤面
３１                              外レール部（レール部材の一部）
３２                              内レール部（レール部材の一部）
６８ａ，６９ａ                    突出部（レール受け）
７０                              肉厚部（板部の一部）
７１                              傾斜面部（板部の一部）
７２                              肉薄部（板部の一部）
７３，５３１                      外周縁補強リブ
５３１ｃ，５３１ｄ，５３１ｆ      外周縁レール受け
５３２，５３３，５３４            レール受け
５３６                            釘
５３８                            通路形成部材（レール部材）